(57)【要約】無線通信システムにおいて下りリンク信号の送信／受信方法及び装置が提供される。第１搬送波上で前記第１搬送波とは違う第２搬送波についての搬送波情報が送信されることができる。前記搬送波情報に基づいて前記第２搬送波上で前記使用者器機のための下りリンクデータが送信されることができる。前記第１搬送波は同期信号及び物理ブロードキャストチャネルがある搬送波であり、前記第２搬送波は何らの同期信号及び物理ブロードキャストチャネルもない搬送波であり得る。前記第１搬送波は前記無線通信システムで使われるガード帯域内の１個リソースブロック上で動作することができる。【選択図】図１２
2018536335.tif 000002
【特許請求の範囲】
【請求項１】
無線通信システムにおいて使用者器機がＮＢ−ＩｏＴ（ｎａｒｒｏｗｂａｎｄ  ｉｎｔｅｒｎｅｔ  ｏｆ  ｔｈｉｎｇｓ）で下りリンク信号を受信する方法であって、
第１搬送波上で前記第１搬送波とは違う第２搬送波についての搬送波情報を受信する段階と、
前記搬送波情報に基づいて前記第２搬送波上で前記使用者器機のための下りリンクデータを受信する段階を含み、
前記第１搬送波は前記無線通信システムで使われるガード帯域内の１個の第１リソースブロック（ｒｅｓｏｕｒｃｅ  ｂｌｏｃｋ、ＲＢ）上で動作し、前記第２搬送波は前記無線通信システムで使われるチャネル帯域内の１個の第２ＲＢ上で動作し、
前記第１搬送波はＮＢ−ＩｏＴ同期信号（ｓｙｎｃｈｒｏｎｉｚａｔｉｏｎ  ｓｉｇｎａｌ、ｎＳＳ）及びＮＢ−ＩｏＴ物理ブロードキャストチャネル（ｐｈｙｓｉｃａｌ  ｂｒｏａｄｃａｓｔ  ｃｈａｎｎｅｌ、ｎＰＢＣＨ）が受信される搬送波であり、前記第２搬送波は何らのｎＳＳ及びｎＰＢＣＨもない搬送波である、下りリンク信号受信方法。
【請求項２】
前記無線通信システムはＬＴＥ（Ｌｏｎｇ  Ｔｅｒｍ  Ｅｖｏｌｕｔｉｏｎ）システムである、請求項１に記載の下りリンク信号受信方法。
【請求項３】
前記搬送波情報は前記第２搬送波上のセル特定的参照信号のためのアンテナポートの数についての情報及び前記セル特定的参照信号に適用されたセル識別子についての情報の少なくとも一つを含む、請求項１に記載の下りリンク信号受信方法。
【請求項４】
前記第２搬送波は下りリンク搬送波と上りリンク搬送波からなり、前記搬送波情報は前記下りリンク搬送波及び前記上りリンク搬送波についての情報を含む、請求項１に記載の下りリンク信号受信方法。
【請求項５】
無線通信システムにおいて基地局がＮＢ−ＩｏＴ（ｎａｒｒｏｗｂａｎｄ  ｉｎｔｅｒｎｅｔ  ｏｆ  ｔｈｉｎｇｓ）で使用者器機に下りリンク信号を送信する方法であって、
第１搬送波上で前記第１搬送波とは違う第２搬送波についての搬送波情報を送信する段階と、
前記搬送波情報に基づいて前記第２搬送波上で前記使用者器機のための下りリンクデータを送信する段階を含み、
前記第１搬送波は前記無線通信システムで使われるガード帯域内の１個の第１リソースブロック（ｒｅｓｏｕｒｃｅ  ｂｌｏｃｋ、ＲＢ）上で動作し、前記第２搬送波は前記無線通信システムで使われるチャネル帯域内の１個の第２ＲＢ上で動作し、
前記第１搬送波はＮＢ−ＩｏＴ同期信号（ｓｙｎｃｈｒｏｎｉｚａｔｉｏｎ  ｓｉｇｎａｌ、ｎＳＳ）及びＮＢ−ＩｏＴ物理ブロードキャストチャネル（ｐｈｙｓｉｃａｌ  ｂｒｏａｄｃａｓｔ  ｃｈａｎｎｅｌ、ｎＰＢＣＨ）が送信される搬送波であり、前記第２搬送波は何らのｎＳＳ及びｎＰＢＣＨもない搬送波である、下りリンク信号送信方法。
【請求項６】
前記無線通信システムはＬＴＥ（Ｌｏｎｇ  Ｔｅｒｍ  Ｅｖｏｌｕｔｉｏｎ）システムである、請求項５に記載の下りリンク信号送信方法。
【請求項７】
前記搬送波情報は前記第２搬送波上のセル特定的参照信号のためのアンテナポートの数についての情報及び前記セル特定的参照信号に適用されたセル識別子についての情報の少なくとも一つを含む、請求項５に記載の下りリンク信号送信方法。
【請求項８】
前記第２搬送波は下りリンク搬送波と上りリンク搬送波からなり、前記搬送波情報は前記下りリンク搬送波及び前記上りリンク搬送波についての情報を含む、請求項５に記載の下りリンク信号送信方法。
【請求項９】
無線通信システムにおいてＮＢ−ＩｏＴ（ｎａｒｒｏｗｂａｎｄ  ｉｎｔｅｒｎｅｔ  ｏｆ  ｔｈｉｎｇｓ）で下りリンク信号を受信する使用者器機であって、
無線周波数（ｒａｄｉｏ  ｆｒｅｑｕｅｎｃｙ、ＲＦ）ユニットと、
前記ＲＦユニットを制御するように構成されたプロセッサとを含み、
前記プロセッサは、
第１搬送波上で前記第１搬送波とは違う第２搬送波についての搬送波情報を受信するように前記ＲＦユニットを制御し、
前記搬送波情報に基づいて前記第２搬送波上で前記使用者器機のための下りリンクデータを受信するように前記ＲＦユニットを制御するように構成され、
前記第１搬送波は前記無線通信システムで使われるガード帯域内の１個の第１リソースブロック（ｒｅｓｏｕｒｃｅ  ｂｌｏｃｋ、ＲＢ）上で動作し、前記第２搬送波は前記無線通信システムで使われるチャネル帯域内の１個の第２ＲＢ上で動作し、
前記第１搬送波はＮＢ−ＩｏＴ同期信号（ｓｙｎｃｈｒｏｎｉｚａｔｉｏｎ  ｓｉｇｎａｌ、ｎＳＳ）及びＮＢ−ＩｏＴ物理ブロードキャストチャネル（ｐｈｙｓｉｃａｌ  ｂｒｏａｄｃａｓｔ  ｃｈａｎｎｅｌ、ｎＰＢＣＨ）が受信される搬送波であり、前記第２搬送波は何らのｎＳＳ及びｎＰＢＣＨもない搬送波である、使用者器機。
【請求項１０】
前記無線通信システムはＬＴＥ（Ｌｏｎｇ  Ｔｅｒｍ  Ｅｖｏｌｕｔｉｏｎ）システムである、請求項９に記載の使用者器機。
【請求項１１】
前記搬送波情報は前記第２搬送波上のセル特定的参照信号のためのアンテナポートの数についての情報及び前記セル特定的参照信号に適用されたセル識別子についての情報の少なくとも一つを含む、請求項９に記載の使用者器機。
【請求項１２】
前記第２搬送波は下りリンク搬送波と上りリンク搬送波からなり、前記搬送波情報は前記下りリンク搬送波及び前記上りリンク搬送波についての情報を含む、請求項９に記載の使用者器機。
【請求項１３】
無線通信システムにおいてＮＢ−ＩｏＴ（ｎａｒｒｏｗｂａｎｄ  ｉｎｔｅｒｎｅｔ  ｏｆ  ｔｈｉｎｇｓ）で使用者器機に下りリンク信号を送信する基地局であって、
無線周波数（ｒａｄｉｏ  ｆｒｅｑｕｅｎｃｙ、ＲＦ）ユニットと、
前記ＲＦユニットを制御するように構成されたプロセッサを含み、
前記プロセッサは、
第１搬送波上で前記第１搬送波とは違う第２搬送波についての搬送波情報を送信するように前記ＲＦユニットを制御し、前記搬送波情報に基づいて前記第２搬送波上で前記使用者器機のための下りリンクデータを送信するように前記ＲＦユニットを制御するように構成され、
前記第１搬送波は前記無線通信システムで使われるガード帯域内の１個の第１リソースブロック（ｒｅｓｏｕｒｃｅ  ｂｌｏｃｋ、ＲＢ）上で動作し、前記第２搬送波は前記無線通信システムで使われるチャネル帯域内の１個の第２ＲＢ上で動作し、
前記第１搬送波はＮＢ−ＩｏＴ同期信号（ｓｙｎｃｈｒｏｎｉｚａｔｉｏｎ  ｓｉｇｎａｌ、ｎＳＳ）及びＮＢ−ＩｏＴ物理ブロードキャストチャネル（ｐｈｙｓｉｃａｌ  ｂｒｏａｄｃａｓｔ  ｃｈａｎｎｅｌ、ｎＰＢＣＨ）が送信される搬送波であり、前記第２搬送波は何らのｎＳＳ及びｎＰＢＣＨもない搬送波である、基地局。
【請求項１４】
前記無線通信システムはＬＴＥ（Ｌｏｎｇ  Ｔｅｒｍ  Ｅｖｏｌｕｔｉｏｎ）システムである、請求項１３に記載の基地局。
【請求項１５】
前記搬送波情報は前記第２搬送波上のセル特定的参照信号のためのアンテナポートの数についての情報及び前記セル特定的参照信号に適用されたセル識別子についての情報の少なくとも一つを含む、請求項１３に記載の基地局。
【発明の詳細な説明】
【技術分野】
【０００１】
本発明は無線通信システムに関するもので、特に下りリンク信号の送信／受信方法及び装置に関するものである。
【背景技術】
【０００２】
器機間（Ｍａｃｈｉｎｅ−ｔｏ−Ｍａｃｈｉｎｅ、Ｍ２Ｍ）通信と、高いデータ送信量を要求するスマートフォン、タブレットＰＣなどの様々な装置及び技術が出現及び普及されている。これに伴い、セルラー網で処理されることが要求されるデータ量も急増している。このように急増するデータ処理要求量を満たすために、より多くの周波数帯域を効率的に用いるための搬送波集約（ｃａｒｒｉｅｒ  ａｇｇｒｅｇａｔｉｏｎ）技術、認知無線（ｃｏｇｎｉｔｉｖｅ  ｒａｄｉｏ）技術などと、限られた周波数内で送信されるデータ容量を高めるための多重アンテナ技術、多重基地局協調技術などが発展している。
【０００３】
一般の無線通信システムは、１つの下りリンク（ｄｏｗｎｌｉｎｋ、ＤＬ）帯域とこれに対応する１つの上りリンク（ｕｐｌｉｎｋ、ＵＬ）帯域でデータ送／受信を行ったり（周波数分割デュプレックス（ｆｒｅｑｕｅｎｃｙ  ｄｉｖｉｓｉｏｎ  ｄｕｐｌｅｘ、ＦＤＤ）モードの場合）、所定の無線フレーム（Ｒａｄｉｏ  Ｆｒａｍｅ）を時間ドメイン（ｔｉｍｅ  ｄｏｍａｉｎ）で上りリンク時間ユニットと下りリンク時間ユニットとに区分し、上りリンク／下りリンク時間ユニットでデータ送／受信を行う（時分割デュプレックス（ｔｉｍｅ  ｄｉｖｉｓｉｏｎ  ｄｕｐｌｅｘ、ＴＤＤ）モードの場合）。基地局（ｂａｓｅ  ｓｔａｔｉｏｎ、ＢＳ）とユーザ機器（ｕｓｅｒ  ｅｑｕｉｐｍｅｎｔ、ＵＥ）は、所定の時間ユニット（ｕｎｉｔ）、例えば、サブフレーム（ｓｕｂｆｒａｍｅ、ＳＦ）内で、スケジュールされたデータ及び／又は制御情報を送受信する。データは、上りリンク／下りリンクサブフレームに設定されたデータ領域を通じて送受信され、制御情報は、上りリンク／下りリンクサブフレームに設定された制御領域を通じて送受信される。そのために、無線信号を搬送する様々な物理チャネルが上りリンク／下りリンクサブフレームに設定される。これに対し、搬送波集約技術は、より広い周波数帯域を用いるために複数の上りリンク／下りリンク周波数ブロックを集めてより大きい上りリンク／下りリンク帯域幅を用いることによって、単一搬送波が用いられる場合に比べて多量の信号を同時に処理することができる。
【０００４】
一方、ＵＥが周辺で接続（ａｃｃｅｓｓ）し得るノード（ｎｏｄｅ）の密度が高くなる方向に通信環境が進化している。ノードとは、１つ以上のアンテナを有し、ＵＥと無線信号を送信／受信できる固定した地点（ｐｏｉｎｔ）のことを指す。高い密度のノードを備えた通信システムは、ノード間の協調によってより高い性能の通信サービスをＵＥに提供することができる。
【発明の概要】
【発明が解決しようとする課題】
【０００５】
新しい無線通信技術の導入から、基地局が所定リソース領域でサービスを提供すべきＵＥの個数が増加するだけでなく、上記基地局がサービスを提供するＵＥと送信／受信するデータと制御情報の量も増加している。基地局がＵＥとの通信に利用可能な無線リソースの量は有限のため、基地局が有限の無線リソースを用いて上りリンク／下りリンクデータ及び／又は上りリンク／下りリンク制御情報をＵＥから／に効率的に受信／送信するための新しい方案が要求される。
【０００６】
本発明が遂げようとする技術的課題は、以上で言及した技術的課題に制限されず、言及していない他の技術的課題は、以下の発明の詳細な説明から、本発明の属する技術の分野における通常の知識を有する者には明確に理解されるであろう。
【課題を解決するための手段】
【０００７】
第１搬送波上で前記第１搬送波とは違う第２搬送波についての搬送波情報が送信されることができる。前記搬送波情報に基づいて前記第２搬送波上で前記使用者器機のための下りリンクデータが送信されることができる。前記第１搬送波は同期信号及び物理ブロードキャストチャネルがある搬送波であり、前記第２搬送波は何らの同期信号及び物理ブロードキャストチャネルもない搬送波であり得る。前記第１搬送波は前記無線通信システムで使われるガード帯域内の１個のリソースブロック上で動作することができる。
【０００８】
本発明の一態様において、無線通信システムにおいて使用者器機がＮＢ−ＩｏＴ（ｎａｒｒｏｗｂａｎｄ  ｉｎｔｅｒｎｅｔ  ｏｆ  ｔｈｉｎｇｓ）で下りリンク信号を受信する方法が提供される。前記方法は、第１搬送波上で前記第１搬送波とは違う第２搬送波についての搬送波情報を受信する段階と、前記搬送波情報に基づいて前記第２搬送波上で前記使用者器機のための下りリンクデータを受信する段階を含むことができる。前記第１搬送波は前記無線通信システムで使われるガード帯域内の１個の第１リソースブロック（ｒｅｓｏｕｒｃｅ  ｂｌｏｃｋ、ＲＢ）上で動作する搬送波であり得る。前記第２搬送波は前記無線通信システムで使われるチャネル帯域内の１個の第２ＲＢ上で動作する搬送波であり得る。前記第１搬送波はＮＢ−ＩｏＴ同期信号（ｓｙｎｃｈｒｏｎｉｚａｔｉｏｎ  ｓｉｇｎａｌ、ｎＳＳ）及びＮＢ−ＩｏＴ物理ブロードキャストチャネル（ｐｈｙｓｉｃａｌ  ｂｒｏａｄｃａｓｔ  ｃｈａｎｎｅｌ、ｎＰＢＣＨ）が受信される搬送波であり、前記第２搬送波は何らのｎＳＳ及びｎＰＢＣＨもない搬送波であり得る。
【０００９】
本発明の他の態様において、無線通信システムにおいて基地局がＮＢ−ＩｏＴ（ｎａｒｒｏｗｂａｎｄ  ｉｎｔｅｒｎｅｔ  ｏｆ  ｔｈｉｎｇｓ）で使用者器機に下りリンク信号を送信する方法が提供される。前記方法は、第１搬送波上で前記第１搬送波とは違う第２搬送波についての搬送波情報を送信する段階と、前記搬送波情報に基づいて前記第２搬送波上で前記使用者器機のための下りリンクデータを送信する段階を含むことができる。前記第１搬送波は前記無線通信システムで使われるガード帯域内の１個の第１リソースブロック（ｒｅｓｏｕｒｃｅ  ｂｌｏｃｋ、ＲＢ）上で動作する搬送波であり得る。前記第２搬送波は前記無線通信システムで使われるチャネル帯域内の１個の第２ＲＢ上で動作する搬送波であり得る。前記第１搬送波はＮＢ−ＩｏＴ同期信号（ｓｙｎｃｈｒｏｎｉｚａｔｉｏｎ  ｓｉｇｎａｌ、ｎＳＳ）及びＮＢ−ＩｏＴ物理ブロードキャストチャネル（ｐｈｙｓｉｃａｌ  ｂｒｏａｄｃａｓｔ  ｃｈａｎｎｅｌ、ｎＰＢＣＨ）が送信される搬送波であり、前記第２搬送波は何らのｎＳＳ及びｎＰＢＣＨもない搬送波であり得る。
【００１０】
本発明のさらに他の態様において、無線通信システムにおいてＮＢ−ＩｏＴ（ｎａｒｒｏｗｂａｎｄ  ｉｎｔｅｒｎｅｔ  ｏｆ  ｔｈｉｎｇｓ）で下りリンク信号を受信する使用者器機が提供される。前記使用者器機は、無線周波数（ｒａｄｉｏ  ｆｒｅｑｕｅｎｃｙ、ＲＦ）ユニットと、前記ＲＦユニットを制御するように構成されたプロセッサとを含む。前記プロセッサは第１搬送波上で前記第１搬送波とは違う第２搬送波についての搬送波情報を受信するように前記ＲＦユニットを制御するように構成されることができる。前記プロセッサは前記搬送波情報に基づいて前記第２搬送波上で前記使用者器機のための下りリンクデータを受信するように前記ＲＦユニットを制御するように構成されることができる。前記第１搬送波は前記無線通信システムで使われるガード帯域内の１個の第１リソースブロック（ｒｅｓｏｕｒｃｅ  ｂｌｏｃｋ、ＲＢ）上で動作する搬送波であり得る。前記第２搬送波は前記無線通信システムで使われるチャネル帯域内の１個の第２ＲＢ上で動作する搬送波であり得る。前記第１搬送波はＮＢ−ＩｏＴ同期信号（ｓｙｎｃｈｒｏｎｉｚａｔｉｏｎ  ｓｉｇｎａｌ、ｎＳＳ）及びＮＢ−ＩｏＴ物理ブロードキャストチャネル（ｐｈｙｓｉｃａｌ  ｂｒｏａｄｃａｓｔ  ｃｈａｎｎｅｌ、ｎＰＢＣＨ）が受信される搬送波であり、前記第２搬送波は何らのｎＳＳ及びｎＰＢＣＨもない搬送波であり得る。
【００１１】
本発明のさらに他の態様において、無線通信システムにおいてＮＢ−ＩｏＴ（ｎａｒｒｏｗｂａｎｄ  ｉｎｔｅｒｎｅｔ  ｏｆ  ｔｈｉｎｇｓ）で使用者器機に下りリンク信号を送信する基地局が提供される。前記基地局は、無線周波数（ｒａｄｉｏ  ｆｒｅｑｕｅｎｃｙ、ＲＦ）ユニットと、前記ＲＦユニットを制御するように構成されたプロセッサとを含む。前記プロセッサは、第１搬送波上で前記第１搬送波とは違う第２搬送波についての搬送波情報を送信するように前記ＲＦユニットを制御するように構成されることができる。前記プロセッサは前記搬送波情報に基づいて前記第２搬送波上で前記使用者器機のための下りリンクデータを送信するように前記ＲＦユニットを制御するように構成されることができる。前記第１搬送波は前記無線通信システムで使われるガード帯域内の１個の第１リソースブロック（ｒｅｓｏｕｒｃｅ  ｂｌｏｃｋ、ＲＢ）上で動作する搬送波であり得る。前記第２搬送波は前記無線通信システムで使われるチャネル帯域内の１個の第２ＲＢ上で動作する搬送波であり得る。前記第１搬送波はＮＢ−ＩｏＴ同期信号（ｓｙｎｃｈｒｏｎｉｚａｔｉｏｎ  ｓｉｇｎａｌ、ｎＳＳ）及びＮＢ−ＩｏＴ物理ブロードキャストチャネル（ｐｈｙｓｉｃａｌ  ｂｒｏａｄｃａｓｔ  ｃｈａｎｎｅｌ、ｎＰＢＣＨ）が送信される搬送波であり、前記第２搬送波は何らのｎＳＳ及びｎＰＢＣＨもない搬送波であり得る。
【００１２】
本発明の各態様において、前記無線通信システムはＬＴＥ（Ｌｏｎｇ  Ｔｅｒｍ  Ｅｖｏｌｕｔｉｏｎ）システムであり得る。
【００１３】
本発明の各態様において、前記搬送波情報は前記第２搬送波上のセル特定的参照信号のためのアンテナポートの数についての情報及び前記セル特定的参照信号に適用されたセル識別子についての情報の少なくとも一つを含むことができる。
【００１４】
本発明の各態様において、前記第２搬送波は下りリンク搬送波と上りリンク搬送波とからなることができる。前記搬送波情報は前記下りリンク搬送波及び前記上りリンク搬送波についての情報を含むことができる。
【００１５】
前記課題解決手段は本発明の実施例の一部に過ぎなく、本発明の技術的特徴が反映された多様な実施例が当該技術分野の通常の知識を有する者によって、以下で詳述する本発明の詳細な説明から導出されて理解可能である。
【発明の効果】
【００１６】
本発明の一実施例によると、無線通信信号が効率的に送信／受信されることができる。したがって、無線通信システムの処理能力が高まることができる。
【００１７】
本発明の一実施例によると、既存システムとの互換性を維持するとともに低複雑度／低費用の使用者器機が基地局と通信することができる。
【００１８】
本発明の一実施例によると、使用者器機が低複雑度／低費用で具現されることができる。
【００１９】
本発明の一実施例によると、使用者器機と基地局が狭い帯域（ｎａｒｒｏｗｂａｎｄ）で通信することができる。
【００２０】
本発明の一実施例によると、少量のデータが効率的に送信／受信されることができる。
【００２１】
本発明による効果は以上で言及した効果に制限されず、言及しなかった他の効果は以下の発明の詳細な説明から本発明が属する技術分野で通常の知識を有する者に明らかに理解可能であろう。
【図面の簡単な説明】
【００２２】
本発明に関する理解を助けるために詳細な説明の一部として含まれる添付の図面は、本発明に関する実施例を提供し、詳細な説明と共に本発明の技術的思想を説明する。
【図１】無線通信システムで用いられる無線フレーム構造の一例を示す図である。
【図２】無線通信システムで下りリンク／上りリンク（ＤＬ／ＵＬ）スロット構造の一例を示す図である。
【図３】同期信号（ｓｙｎｃｈｒｏｎｉｚａｔｉｏｎ  ｓｉｇｎａｌ、ＳＳ）の送信のための無線フレーム構造を例示した図である。
【図４】無線通信システムで使われる下りリンク（ｄｏｗｎｌｉｎｋ、ＤＬ）サブフレーム構造を例示した図である。
【図５】セル特定的参照信号（ｃｅｌｌ  ｓｐｅｃｉｆｉｃ  ｒｅｆｅｒｅｎｃｅ  ｓｉｇｎａｌ、ＣＲＳ）とＵＥ特定的参照信号（ｕｓｅｒ  ｓｐｅｃｉｆｉｃ  ｒｅｆｅｒｅｎｃｅ  ｓｉｇｎａｌ、ＵＥ−ＲＳ）を例示した図である。
【図６】無線通信システムに使われる上りリンク（ｕｐｌｉｎｋ、ＵＬ）サブフレーム構造の一例を示した図である。
【図７】ＭＴＣのための信号帯域の例を示した図である。
【図８】本発明による同期信号搬送波候補を例示した図である。
【図９】本発明による同期信号搬送波候補を例示した図である。
【図１０】本発明による同期信号搬送波候補を例示した図である。
【図１１】本発明による同期信号搬送波候補を例示した図である。
【図１２】本発明による使用者器機のための状態（ｓｔａｔｕｓ）及び遷移（ｔｒａｎｓｉｔｉｏｎ）図である。
【図１３】本発明による（レガシー）ＣＲＳとインバンドＮＢ−ＩｏＴ搬送波の関係を例示した図である。
【図１４】本発明を行う送信装置１０及び受信装置２０の構成要素を示すブロック図である。
【発明を実施するための形態】
【００２３】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。以下の詳細な説明は、本発明の完全な理解を提供するために具体的な細部事項を含む。しかし、当業者にとってはこのような具体的な細部事項なしにも本発明を実施できることは明らかである。
【００２４】
いくつかの場合、本発明の概念が曖昧になることを避けるために、公知の構造及び装置を省略したり、各構造及び装置の核心機能を中心にしたブロック図の形式で示すことができる。また、本明細書全体を通じて同一の構成要素については、同一の図面符号を付して説明する。
【００２５】
以下に説明する技法（ｔｅｃｈｎｉｑｕｅ）及び装置、システムは、様々な無線多元接続システムに適用することができる。多元接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システム、ＭＣ−ＦＤＭＡ（ｍｕｌｔｉ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）又はＣＤＭＡ２０００のような無線技術（ｔｅｃｈｎｏｌｏｇｙ）によって具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）、ＧＰＲＳ（Ｇｅｎｅｒａｌ  Ｐａｃｋｅｔ  Ｒａｄｉｏ  Ｓｅｒｖｉｃｅ）、ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）（ｉ．ｅ．，ＧＥＲＡＮ）などのような無線技術によって具現することができる。ＯＦＤＭＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ−ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の一部であり、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡを用いるＥ−ＵＭＴＳの一部である。３ＧＰＰ  ＬＴＥは、下りリンク（ｄｏｗｎｌｉｎｋ、ＤＬ）ではＯＦＤＭＡを採択し、上りリンク（ｕｐｌｉｎｋ、ＵＬ）ではＳＣ−ＦＤＭＡを採択している。ＬＴＥ−Ａ（ＬＴＥ−ａｄｖａｎｃｅｄ）は、３ＧＰＰ  ＬＴＥの進化した形態である。説明の便宜のために、以下では、本発明が３ＧＰＰ  ＬＴＥ／ＬＴＥ−Ａに適用される場合を仮定して説明する。しかし、本発明の技術的特徴がこれに制限されるものではない。例えば、以下の詳細な説明が、移動通信システムが３ＧＰＰ  ＬＴＥ／ＬＴＥ−Ａシステムに対応する移動通信システムに基づいて説明されても、３ＧＰＰ  ＬＴＥ／ＬＴＥ−Ａ特有の事項以外は、他の任意の移動通信システムにも適用可能である。
【００２６】
例えば、本発明は、３ＧＰＰ  ＬＴＥ／ＬＴＥ−Ａシステムのように、ｅＮＢがＵＥに下りリンク／上りリンク時間／周波数リソースを割り当て、ＵＥがｅＮＢの割当てによって下りリンク信号を受信し、上りリンク信号を送信する非−競合ベース（ｎｏｎ−ｃｏｎｔｅｎｔｉｏｎ  ｂａｓｅｄ）通信だけでなく、Ｗｉ−Ｆｉのような競合ベース（ｃｏｎｔｅｎｔｉｏｎ  ｂａｓｅｄ）通信にも適用することができる。非−競合ベース通信技法は、接続ポイント（ａｃｃｅｓｓ  ｐｏｉｎｔ、ＡＰ）或いは上記接続ポイントを制御する制御ノード（ｎｏｄｅ）が、ＵＥと上記ＡＰ間の通信のためのリソースを割り当てるが、競合ベース通信技法は、ＡＰに接続しようとする複数ＵＥ間の競合によって通信リソースが占有される。競合ベース通信技法についして簡略に説明すると、競合ベース通信技法の一種として搬送波感知多元接続（ｃａｒｒｉｅｒ  ｓｅｎｓｅ  ｍｕｌｔｉｐｌｅ  ａｃｃｅｓｓ、ＣＳＭＡ）がある。ＣＳＭＡとは、ノード或いは通信機器が周波数帯域（ｂａｎｄ）のような、共有伝送媒体（ｓｈａｒｅｄ  ｔｒａｎｓｍｉｓｓｉｏｎ  ｍｅｄｉｕｍ）（共有チャネルともいう。）上でトラフィック（ｔｒａｆｆｉｃ）を送信する前に、同一の共有伝送媒体上に他のトラフィックがないことを確認する確率的（ｐｒｏｂａｂｉｌｉｓｔｉｃ）媒体接続制御（ｍｅｄｉａ  ａｃｃｅｓｓ  ｃｏｎｔｒｏｌ、ＭＡＣ）プロトコル（ｐｒｏｔｏｃｏｌ）を指す。ＣＳＭＡにおいて送信装置は受信装置にトラフィックを送信することを試みる前に、他の送信が進行中であるか否か決定する。換言すれば、送信装置は、送信を試みる前に、他の送信装置からの搬送波（ｃａｒｒｉｅｒ）の存在を検出（ｄｅｔｅｃｔ）することを試みる。搬送波が感知されると、送信装置は、自身の送信を開始する前に、進行中の他の送信装置によって送信が完了（ｆｉｎｉｓｈ）することを待つ。結局、ＣＳＭＡは、“ｓｅｎｓｅ  ｂｅｆｏｒｅ  ｔｒａｎｓｍｉｔ”或いは“ｌｉｓｔｅｎ  ｂｅｆｏｒｅ  ｔａｌｋ”の原理に基づいてした通信技法といえる。ＣＳＭＡを用いる競合ベース通信システムにおいて送信装置間の衝突を回避するための技法としてＣＳＭＡ／ＣＤ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ｄｅｔｅｃｔｉｏｎ）及び／又はＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）が用いられる。ＣＳＭＡ／ＣＤは、有線ＬＡＮ環境での衝突検出技法であり、イーサネット（ｅｔｈｅｒｎｅｔ）環境で通信をしようとするＰＣ（Ｐｅｒｓｏｎａｌ  Ｃｏｍｐｕｔｅｒ）やサーバー（ｓｅｒｖｅｒ）がまず、ネットワーク上で通信が行われているか確認した後、他の装置（ｄｅｖｉｃｅ）がデータを上記ネットワーク上で載せて送っていると、待ってからデータを送る。すなわち、２人以上のユーザ（例、ＰＣ、ＵＥなど）が同時にデータを乗せて送る場合、上記同時送信間に衝突が発生するが、ＣＳＭＡ／ＣＤは、上記衝突を監視し、柔軟性あるデータ送信がなされるようにする技法である。ＣＳＭＡ／ＣＤを用いる送信装置は、特定規則を用いて他の送信装置によるデータ送信を感知し、自���のデータ送信を調節する。ＣＳＭＡ／ＣＡは、ＩＥＥＥ８０２．１１標準に明示されている媒体接近制御プロトコルである。ＩＥＥＥ８０２．１１標準に従うＷＬＡＮシステムは、ＩＥＥＥ８０２．３標準で用いられたＣＳＭＡ／ＣＤを用いず、ＣＡ、すなわち、衝突を回避する方式を用いている。送信装置は、常にネットワークの搬送波を感知しているが、ネットワークが空になると、目録に登載された自身の位置によって、定められた時間を待ってからデータを送る。目録内で送信装置間の優先順位を決め、これを再設定（ｒｅｃｏｎｆｉｇｕｒａｔｉｏｎ）するためには様々方法を用いることができる。ＩＥＥＥ８０２．１１標準の一部バージョンに従うシステムでは、衝突が起きることがあり、この場合には衝突感知手順が行われる。ＣＳＭＡ／ＣＡを用いる送信装置は、特定規則を用いて、他の送信装置によるデータ送信と自身のデータ送信間の衝突を回避する。
【００２７】
本発明において、ＵＥは、固定していても移動性を有してもよく、基地局（ｂａｓｅ  ｓｔａｔｉｏｎ、ＢＳ）と通信してユーザデータ及び／又は各種制御情報を送受信する各種機器がこれに属する。ＵＥは、端末（Ｔｅｒｍｉｎａｌ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）などと呼ぶことができる。また、本発明において、ＢＳは、一般に、ＵＥ及び／又は他のＢＳと通信する固定局（ｆｉｘｅｄ  ｓｔａｔｉｏｎ）のことをいい、ＵＥ及び他のＢＳと通信して各種データ及び制御情報を交換する。ＢＳは、ＡＢＳ（Ａｄｖａｎｃｅｄ  Ｂａｓｅ  Ｓｔａｔｉｏｎ）、ＮＢ（Ｎｏｄｅ−Ｂ）、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、接続ポイント（Ａｃｃｅｓｓ  Ｐｏｉｎｔ）、ＰＳ（Ｐｒｏｃｅｓｓｉｎｇ  Ｓｅｒｖｅｒ）等の他の用語と呼ぶこともできる。以下の本発明に関する説明では、ＢＳをｅＮＢと総称する。
【００２８】
本発明でいうノード（ｎｏｄｅ）とは、ＵＥと通信して無線信号を送信／受信し得る固定した地点（ｐｏｉｎｔ）のことを指す。様々な形態のｅＮＢを、その名称に関係なくノードとして用いることができる。例えば、ＢＳ、ＮＢ、ｅＮＢ、ピコセルｅＮＢ（ＰｅＮＢ）、ホームｅＮＢ（ＨｅＮＢ）、リレー、リピータなどをノードとすることができる。また、ノードは、ｅＮＢでなくてもよい。例えば、無線リモートヘッド（ｒａｄｉｏ  ｒｅｍｏｔｅ  ｈｅａｄ、ＲＲＨ）、無線リモートユニット（ｒａｄｉｏ  ｒｅｍｏｔｅ  ｕｎｉｔ、ＲＲＵ）とすることもできる。ＲＲＨ、ＲＲＵなどは、一般に、ｅＮＢの電力レベル（ｐｏｗｅｒ  ｌｅｖｅｌ）よりも低い電力レベルを有する。ＲＲＨ或いはＲＲＵ（以下、ＲＲＨ／ＲＲＵ）は、一般に、光ケーブルなどの専用回線（ｄｅｄｉｃａｔｅｄ  ｌｉｎｅ）でｅＮＢに接続されているため、一般に、無線回線で接続されたｅＮＢによる協調通信に比べて、ＲＲＨ／ＲＲＵとｅＮＢによる協調通信を円滑に行うことができる。１つのノードには少なくとも１つのアンテナが設置される。上記アンテナは物理アンテナを意味することもでき、アンテナポート、仮想アンテナ、又はアンテナグループを意味することもできる。ノードは、ポイント（ｐｏｉｎｔ）とも呼ばれる。
【００２９】
本発明でいうセル（ｃｅｌｌ）とは、１つ以上のノードが通信サービスを提供する一定の地理的領域を指す。したがって、本発明で特定セルと通信するということは、上記特定セルに通信サービスを提供するｅＮＢ或いはノードと通信するということを意味できる。また、特定セルの下りリンク／上りリンク信号は、上記特定セルに通信サービスを提供するｅＮＢ或いはノードからの／への下りリンク／上りリンク信号を意味する。ＵＥに上りリンク／下りリンク通信サービスを提供するセルを特にサービングセル（ｓｅｒｖｉｎｇ  ｃｅｌｌ）という。また、特定セルのチャネル状態／品質は、上記特定セルに通信サービスを提供するｅＮＢ或いはノードとＵＥ間に形成されたチャネル或いは通信リンクのチャネル状態／品質を意味する。ＬＴＥ／ＬＴＥ−Ａベースのシステムで、ＵＥは、特定ノードからの下りリンクチャネル状態を、上記特定ノードのアンテナポートが上記特定ノードに割り当てられたＣＲＳ（Ｃｅｌｌ−ｓｐｅｃｉｆｉｃ  Ｒｅｆｅｒｅｎｃｅ  Ｓｉｇｎａｌ）リソース上で送信されるＣＲＳ及び／又はＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）リソース上で送信するＣＳＩ−ＲＳ（上げる）を用いて測定することができる。具体的なＣＳＩ−ＲＳ設定については３ＧＰＰ  ＴＳ３６．２１１及び３ＧＰＰ  ＴＳ３６．３３１文書を参照することができる。
【００３０】
一方、３ＧＰＰ  ＬＴＥ／ＬＴＥ−Ａシステムは、無線リソースを管理するためにセル（ｃｅｌｌ）の概念を用いているが、無線リソースと関連付くセル（ｃｅｌｌ）は、地理的領域のセル（ｃｅｌｌ）と区別される。
【００３１】
地理的領域の“セル”は、ノードが搬送波を用いてサービスを提供できるカバレッジ（ｃｏｖｅｒａｇｅ）と理解することができ、無線リソースの“セル”は、上記搬送波によって設定（ｃｏｎｆｉｇｕｒｅ）される周波数範囲である帯域幅（ｂａｎｄｗｉｄｔｈ、ＢＷ）に関連する。ノードが有効な信号を送信できる範囲である下りリンクカバレッジと、ＵＥから有効な信号を受信できる範囲である上りリンクカバレッジは、当該信号を運ぶ搬送波に依存するので、ノードのカバレッジは、上記ノードが用いる無線リソースの“セル”のカバレッジと関連することもある。したがって、“セル”という用語は、時にはノードによるサービスのカバレッジを、時には無線リソースを、時には上記無線リソースを用いた信号が有効な強度で到達できる範囲を意味することに用いることができる。無線リソースの“セル”ついては以後により詳細に説明される。
【００３２】
３ＧＰＰ  ＬＴＥ／ＬＴＥ−Ａ標準は、上位層から生じる情報を運ぶリソース要素に対応する下りリンク物理チャネルと、物理層によって用いられるが、上位層から生じる情報を搬送しないリソース要素に対応する下りリンク物理信号を定義する。例えば、物理下りリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）、物理ブロードキャストチャネル（ｐｈｙｓｉｃａｌ  ｂｒｏａｄｃａｓｔ  ｃｈａｎｎｅｌ、ＰＢＣＨ）、物理マルチキャストチャネル（ｐｈｙｓｉｃａｌ  ｍｕｌｔｉｃａｓｔ  ｃｈａｎｎｅｌ、ＰＭＣＨ）、物理制御フォーマット指示子チャネル（ｐｈｙｓｉｃａｌ  ｃｏｎｔｒｏｌ  ｆｏｒｍａｔ  ｉｎｄｉｃａｔｏｒ  ｃｈａｎｎｅｌ、ＰＣＦＩＣＨ）、物理下りリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）及び物理ハイブリッドＡＲＱ指示子チャネル（ｐｈｙｓｉｃａｌ  ｈｙｂｒｉｄ  ＡＲＱ  ｉｎｄｉｃａｔｏｒ  ｃｈａｎｎｅｌ、ＰＨＩＣＨ）が下りリンク物理チャネルとして定義されており、参照信号と同期信号が下りリンク物理信号として定義されている。パイロット（ｐｉｌｏｔ）とも呼ばれる参照信号（ｒｅｆｅｒｅｎｃｅ  ｓｉｇｎａｌ、ＲＳ）は、ｅＮＢとＵＥが互いに知っている既に定義された特別な波形の信号を意味するが、例えば、セル特定的ＲＳ（ｃｅｌｌ  ｓｐｅｃｉｆｉｃ  ＲＳ）、ＵＥ−特定的ＲＳ（ＵＥ−ｓｐｅｃｉｆｉｃ  ＲＳ、ＵＥ−ＲＳ）、ポジショニングＲＳ（ｐｏｓｉｔｉｏｎｉｎｇ  ＲＳ、ＰＲＳ）及びチャネル状態情報ＲＳ（ｃｈａｎｎｅｌ  ｓｔａｔｅ  ｉｎｆｏｒｍａｔｉｏｎ  ＲＳ、ＣＳＩ−ＲＳ）が下りリンク参照信号として定義される。３ＧＰＰ  ＬＴＥ／ＬＴＥ−Ａ標準は、上位層から生じる情報を搬送するリソース要素に対応する上りリンク物理チャネルと、物理層によって用いられるが、上位層から生じる情報を搬送しないリソース要素に対応する上りリンク物理信号を定義している。例えば、物理上りリンク共有チャネル（ｐｈｙｓｉｃａｌ  ｕｐｌｉｎｋ  ｓｈａｒｅｄ  ｃｈａｎｎｅｌ、ＰＵＳＣＨ）、物理上りリンク制御チャネル（ｐｈｙｓｉｃａｌ  ｕｐｌｉｎｋ  ｃｏｎｔｒｏｌ  ｃｈａｎｎｅｌ、ＰＵＣＣＨ）、物理任意接続チャネル（ｐｈｙｓｉｃａｌ  ｒａｎｄｏｍ  ａｃｃｅｓｓ  ｃｈａｎｎｅｌ、ＰＲＡＣＨ）が上りリンク物理チャネルとして定義され、上りリンク制御／データ信号のための復調参照信号（ｄｅｍｏｄｕｌａｔｉｏｎ  ｒｅｆｅｒｅｎｃｅ  ｓｉｇｎａｌ、ＤＭＲＳ）と上りリンクチャネル測定に用いられるサウンディング参照信号（ｓｏｕｎｄｉｎｇ  ｒｅｆｅｒｅｎｃｅ  ｓｉｇｎａｌ、ＳＲＳ）が定義される。
【００３３】
本発明で、ＰＤＣＣＨ（Ｐｈｙｓｉｃａｌ  Ｄｏｗｎｌｉｎｋ  Ｃｏｎｔｒｏｌ  ＣＨａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）／ＰＨＩＣＨ（（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）／ＰＤＳＣＨ（Ｐｈｙｓｉｃａｌ  Ｄｏｗｎｌｉｎｋ  Ｓｈａｒｅｄ  Ｃｈａｎｎｅｌ）はそれぞれ、ＤＣＩ（Ｄｏｗｎｌｉｎｋ  Ｃｏｎｔｒｏｌ  Ｉｎｆｏｒｍａｔｉｏｎ）／ＣＦＩ（Ｃｏｎｔｒｏｌ  Ｆｏｒｍａｔ  Ｉｎｄｉｃａｔｏｒ）／下りリンクＡＣＫ／ＮＡＣＫ（ＡＣＫｎｏｗｌｅｇｅｍｅｎｔ／Ｎｅｇａｔｉｖｅ  ＡＣＫ）／下りリンクデータを搬送する時間−周波数リソースの集合或いはリソース要素の集合を意味する。また、ＰＵＣＣＨ（Ｐｈｙｓｉｃａｌ  Ｕｐｌｉｎｋ  Ｃｏｎｔｒｏｌ  ＣＨａｎｎｅｌ）／ＰＵＳＣＨ（Ｐｈｙｓｉｃａｌ  Ｕｐｌｉｎｋ  Ｓｈａｒｅｄ  ＣＨａｎｎｅｌ）／ＰＲＡＣＨ（Ｐｈｙｓｉｃａｌ  Ｒａｎｄｏｍ  Ａｃｃｅｓｓ  ＣＨａｎｎｅｌ）はそれぞれ、ＵＣＩ（Ｕｐｌｉｎｋ  Ｃｏｎｔｒｏｌ  Ｉｎｆｏｒｍａｔｉｏｎ）／上りリンクデータ／任意接続信号を搬送する時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、これに属した時間−周波数リソース或いはリソース要素（ｒｅｓｏｕｒｃｅ  ｅｌｅｍｅｎｔ、ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ  ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと称する。以下では、ＵＥがＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で／或いはを通じて、上りリンク制御情報／上りリンクデータ／任意接続信号を送信することと同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で／或いはを通じて、下りリンクデータ／制御情報を送信することと同じ意味で使われる。
【００３４】
以下では、ＣＲＳ／ＤＭＲＳ／ＣＳＩ−ＲＳ／ＳＲＳ／ＵＥ−ＲＳ／ＴＲＳが割り当てられた或いは設定された（ｃｏｎｆｉｇｕｒｅｄ）ＯＦＤＭシンボル／副搬送波／ＲＥを、ＣＲＳ／ＤＭＲＳ／ＣＳＩ−ＲＳ／ＳＲＳ／ＵＥ−ＲＳ／ＴＲＳシンボル／搬送波／副搬送波／ＲＥと称する。例えば、トラッキングＲＳ（ｔｒａｃｋｉｎｇ  ＲＳ、ＴＲＳ）が割り当てられた或いは設定されたＯＦＤＭシンボルは、ＴＲＳシンボルと称し、ＴＲＳが割り当てられた或いは設定された副搬送波は、ＴＲＳ副搬送波と称し、ＴＲＳが割り当てられた或いは設定されたＲＥはＴＲＳ  ＲＥと称する。また、ＴＲＳ送信のために設定された（ｃｏｎｆｉｇｕｒｅｄ）サブフレームを、ＴＲＳサブフレームと称する。また、ブロードキャスト信号が送信されるサブフレームを、ブロードキャストサブフレーム或いはＰＢＣＨサブフレームと称し、同期信号（例えば、ＰＳＳ及び／又はＳＳＳ）が送信されるサブフレームを、同期信号サブフレーム或いはＰＳＳ／ＳＳＳサブフレームと称する。ＰＳＳ／ＳＳＳが割り当てられた或いは設定された（ｃｏｎｆｉｇｕｒｅｄ）ＯＦＤＭシンボル／副搬送波／ＲＥをそれぞれ、ＰＳＳ／ＳＳＳシンボル／副搬送波／ＲＥと称する。
【００３５】
本発明で、ＣＲＳポート、UE-ＲＳポート、ＣＳＩ−ＲＳポート、ＴＲＳポートとは、それぞれ、ＣＲＳを送信するように設定された（ｃｏｎｆｉｇｕｒｅｄ）アンテナポート、ＵＥ−ＲＳを送信するように設定されたアンテナポート、ＣＳＩ−ＲＳを送信するように設定されたアンテナポート、ＴＲＳを送信するように設定されたアンテナポートを意味する。ＣＲＳを送信するように設定されたアンテナポートは、ＣＲＳポートによってＣＲＳが占有するＲＥの位置によって相互に区別でき、ＵＥ−ＲＳを送信するように設定された（ｃｏｎｆｉｇｕｒｅｄ）アンテナポートは、ＵＥ−ＲＳポートによってＵＥ−ＲＳが占有するＲＥの位置によって相互に区別でき、ＣＳＩ−ＲＳを送信するように設定されたアンテナポートは、ＣＳＩ−ＲＳポートによってＣＳＩ−ＲＳが占有するＲＥの位置によって相互に区別できる。したがって、ＣＲＳ／ＵＥ−ＲＳ／ＣＳＩ−ＲＳ／ＴＲＳポートという用語が、一定リソース領域（例、ＲＢ或いはＲＢ対）内でＣＲＳ／ＵＥ−ＲＳ／ＣＳＩ−ＲＳ／ＴＲＳが占有するＲＥのパターンを意味する用語として用いられることもある。
【００３６】
本発明で使われる用語及び技術のうち具体的に説明しなかった用語及び技術については３ＧＰＰ  ＬＴＥ／ＬＴＥ−Ａ標準文書、例えば３ＧＰＰ  ＴＳ  ３６．２１１、３ＧＰＰ  ＴＳ  ３６．２１２、３ＧＰＰ  ＴＳ  ３６．２１３、３ＧＰＰ  ＴＳ  ３６．３２１及び３ＧＰＰ  ＴＳ  ３６．３３１などを参照することができる。
【００３７】
図１は、無線通信システムで用いられる無線フレーム構造の一例を示す図である。
【００３８】
特に、図１（ａ）は、３ＧＰＰ  ＬＴＥ／ＬＴＥ−Ａシステムで用いられる周波数分割デュプレックス（ｆｒｅｑｕｅｎｃｙ  ｄｉｖｉｓｉｏｎ  ｄｕｐｌｅｘ、ＦＤＤ）用フレーム構造を示す図であり、図１（ｂ）は、３ＧＰＰ  ＬＴＥ／ＬＴＥ−Ａシステムで用いられる時分割デュプレックス（ｔｉｍｅ  ｄｉｖｉｓｉｏｎ  ｄｕｐｌｅｘ、ＴＤＤ）用フレーム構造を示す図である。
【００３９】
図１を参照すると、３ＧＰＰ  ＬＴＥ／ＬＴＥ−Ａシステムで用いられる無線フレームは、１０ｍｓ（３０７，２００Ｔｓ）の長さを有し、１０個の均等なサイズのサブフレーム（ｓｕｂｆｒａｍｅ、ＳＦ）で構成される。１無線フレーム内の１０個のサブフレームにはそれぞれ番号を与えることができる。ここで、Ｔｓは、サンプリング時間を表し、Ｔｓ＝１／（２０４８・１５ｋＨｚ）で表示される。それぞれのサブフレームは１ｍｓの長さを有し、２個のスロットで構成される。１無線フレームにおいて２０個のスロットには０から１９まで順次に番号を付けることができる。それぞれのスロットは、０．５ｍｓの長さを有する。１サブフレームを送信するための時間は、送信時間間隔（ｔｒａｎｓｍｉｓｓｉｏｎ  ｔｉｍｅ  ｉｎｔｅｒｖａｌ、ＴＴＩ）と定義される。時間リソースは、無線フレーム番号（或いは、無線フレームであるデックスとも咸）、サブフレーム番号（或いは、サブフレーム番号）、スロット番号（或いは、スロットインデックス）などによって区分することができる。
【００４０】
無線フレームは、デュプレックス（ｄｕｐｌｅｘ）モードによって異なるように設定（ｃｏｎｆｉｇｕｒｅ）することができる。例えば、ＦＤＤモードで、下りリンク送信及び上りリンク送信は周波数によって区分されるため、無線フレームは、特定周波数帯域に対して下りリンクサブフレーム又は上りリンクサブフレームのいずれか１つのみを含む。ＴＤＤモードで、下りリンク送信及び上りリンク送信は、時間によって区分されるため、特定周波数帯域に対して無線フレームは下りリンクサブフレームと上りリンクサブフレームの両方を含む。
【００４１】
表１は、ＴＤＤモードで、無線フレームにおけるサブフレームのＤＬ−ＵＬ設定（ｃｏｎｆｉｇｕｒａｔｉｏｎ）を例示するものである。
【００４２】
【表１】
2018536335.tif 000003
【００４３】
表１で、Ｄは下りリンクサブフレームを、Ｕは上りリンクサブフレームを、Ｓは特異（ｓｐｅｃｉａｌ）サブフレームを表す。特異サブフレームは、ＤｗＰＴＳ（Ｄｏｗｎｌｉｎｋ  Ｐｉｌｏｔ  ＴｉｍｅＳｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）の３つのフィールドを含む。ＤｗＰＴＳは、下りリンク送信用に留保される時間区間であり、ＵｐＰＴＳは、上りリンク送信用に留保される時間区間である。表２は、特異サブフレームの設定（ｃｏｎｆｉｇｕｒａｔｉｏｎ）を例示するものである。
【００４４】
【表２】
2018536335.tif 000004
【００４５】
図２は、無線通信システムにおいて下りリンク／上りリンク（ＤＬ／ＵＬ）スロット構造の一例を示す図である。特に、図２は、３ＧＰＰ  ＬＴＥ／ＬＴＥ−Ａシステムのリソース格子（ｒｅｓｏｕｒｃｅ  ｇｒｉｄ）の構造を示す。アンテナポート当たり１個のリソース格子がある。
【００４６】
図２を参照すると、スロットは、時間ドメイン（ｔｉｍｅ  ｄｏｍａｉｎ）で複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数ドメイン（ｆｒｅｑｕｅｎｃｙ  ｄｏｍａｉｎ）で複数のリソースブロック（ｒｅｓｏｕｒｃｅ  ｂｌｏｃｋ、ＲＢ）を含む。ＯＦＤＭシンボルは、１シンボル区間を意味してもよい。図２を参照すると、各スロットで送信される信号はＮＤＬ／ＵＬＲＢ×ＮＲＢｓｃ個の副搬送波（ｓｕｂｃａｒｒｉｅｒ）とＮＤＬ／ＵＬｓｙｍｂ個のＯＦＤＭシンボルとで構成されるリソース格子（ｒｅｓｏｕｒｃｅ  ｇｒｉｄ）で表現されることができる。ここで、ＮＤＬＲＢは、下りリンクスロットにおけるリソースブロック（ｒｅｓｏｕｒｃｅ  ｂｌｏｃｋ、ＲＢ）の個数を表し、ＮＵＬＲＢは、ＵＬスロットにおけるＲＢの個数を表す。ＮＤＬＲＢとＮＵＬＲＢは、ＤＬ送信帯域幅とＵＬ送信帯域幅にそれぞれ依存する。ＮＤＬｓｙｍｂは、下りリンクスロットにおけるＯＦＤＭシンボルの個数を表し、ＮＵＬｓｙｍｂは、ＵＬスロットにおけるＯＦＤＭシンボルの個数を表す。ＮＲＢｓｃは、１ ＲＢを構成する副搬送波の個数を表す。
【００４７】
ＯＦＤＭシンボルは、多元接続方式によって、ＯＦＤＭシンボル、ＳＣ−ＦＤＭ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボルなどと呼ぶことができる。１スロットに含まれるＯＦＤＭシンボルの数は、チャネル帯域幅、ＣＰ（ｃｙｃｌｉｃ  ｐｒｅｆｉｘ）の長さによって様々に変更することができる。例えば、正規（ｎｏｒｍａｌ）ＣＰの場合には、１スロットが７  ＯＦＤＭシンボルを含むが、拡張（ｅｘｔｅｎｄｅｄ）ＣＰの場合には、１スロットが６  ＯＦＤＭシンボルを含む。図２では、説明の便宜のために、１スロットが７  ＯＦＤＭシンボルで構成されるサブフレームを例示するが、本発明の実施例は、他の個数のＯＦＤＭシンボルを有するサブフレームにも同様の方式で適用することができる。図２を参照すると、各ＯＦＤＭシンボルは、周波数ドメインで、ＮＤＬ／ＵＬＲＢ×ＮＲＢｓｃ個の副搬送波を含む。副搬送波の類型としては、データ送信のためのデータ副搬送波、参照信号（ｒｅｆｅｒｅｎｃｅ  ｓｉｇｎａｌ）の送信のための参照信号副搬送波、保護バンド（ｇｕａｒｄ  ｂａｎｄ）又は直流（Ｄｉｒｅｃｔ  Ｃｕｒｒｅｎｔ、ＤＣ）成分のためのヌル（ｎｕｌｌ）副搬送波を含むことができる。ＤＣ成分は、ＯＦＤＭ信号生成過程或いは周波数アップコンバート過程で搬送波周波数（ｃａｒｒｉｅｒ  ｆｒｅｑｕｅｎｃｙ、ｆ０）にマップ（ｍａｐｐｉｎｇ）される。搬送波周波数は、中心周波数（ｃｅｎｔｅｒ  ｆｒｅｑｕｅｎｃｙ、ｆｃ）とも呼ぶ。
【００４８】
１ ＲＢは、時間ドメインでＮＤＬ／ＵＬｓｙｍｂ個（例えば、７個）の連続するＯＦＤＭシンボルと定義され、周波数ドメインでＮＲＢｓｃ個（例えば、１２個）の連続する副搬送波と定義される。参考として、１  ＯＦＤＭシンボルと１副搬送波で定義されたリソースをリソース要素（ｒｅｓｏｕｒｃｅ  ｅｌｅｍｅｎｔ、ＲＥ）或いはトーン（ｔｏｎｅ）という。したがって、１  ＲＢはＮＤＬ／ＵＬｓｙｍｂ×ＮＲＢｓｃ個のリソース要素で構成される。リソース格子内の各リソース要素は、１スロットにおけるインデックス対（ｋ，１）によって固有に定義することができる。ｋは、周波数ドメインで０からＮＤＬ／ＵＬＲＢ×ＮＲＢｓｃ−１まで与えられるインデックスであり、ｌは、時間ドメインで０からＮＤＬ／ＵＬｓｙｍｂ−１まで与えられるインデックスである。
【００４９】
一方、１  ＲＢは、物理リソースブロック（ｐｈｙｓｉｃａｌ  ｒｅｓｏｕｒｃｅ  ｂｌｏｃｋ、ＰＲＢ）と１仮想リソースブロック（ｖｉｒｔｕａｌ  ｒｅｓｏｕｒｃｅ  ｂｌｏｃｋ、ＶＲＢ）にそれぞれマップされる。ＰＲＢは、時間ドメインでＮＤＬ／ＵＬｓｙｍｂ個（例えば、７個）の連続するＯＦＤＭシンボル或いはＳＣ−ＦＤＭシンボルと定義され、周波数ドメインでＮＲＢｓｃ個（例えば、１２個）の連続する副搬送波と定義される。したがって、１  ＰＲＢは、ＮＤＬ／ＵＬｓｙｍｂ×ＮＲＢｓｃ個のリソース要素で構成される。１サブフレームでＮＲＢｓｃ個の連続する同一の副搬送波を占有しながら、上記サブフレームの２個のスロットそれぞれに１個ずつ位置する２個のＲＢを、ＰＲＢ対と呼ぶ。ＰＲＢ対を構成する２個のＲＢは、同一のＰＲＢ対号（或いは、ＰＲＢインデックスともいう）を有する。
【００５０】
図３は同期信号（ｓｙｎｃｈｒｏｎｉｚａｔｉｏｎ  ｓｉｇｎａｌ、ＳＳ）の送信のための無線フレーム構造を例示した図である。特に、図３は周波数分割デュプレックス（ｆｒｅｑｕｅｎｃｙ  ｄｉｖｉｓｉｏｎ  ｄｕｐｌｅｘ、ＦＤＤ）で同期信号及びＰＢＣＨの送信のための無線フレーム構造を例示した図で、図３（ａ）は正規ＣＰ（ｎｏｒｍａｌ  ｃｙｃｌｉｃ  ｐｒｅｆｉｘ）に設定された（ｃｏｎｆｉｇｕｒｅｄ）無線フレームでＳＳ及びＰＢＣＨの送信位置を示すものであり、図３（ｂ）は拡張ＣＰ（ｅｘｔｅｎｄｅｄ  ＣＰ）に設定された無線フレームでＳＳ及びＰＢＣＨの送信位置を示すものである。
【００５１】
ＵＥは、電源がついたり新しくセルに接続しようとする場合、上記セルとの時間及び周波数同期を取得し、上記セルの物理層セル識別子（ｐｈｙｓｉｃａｌ  ｌａｙｅｒ  ｃｅｌｌ  ｉｄｅｎｔｉｔｙ）ＮｃｅｌｌＩＤを検出（ｄｅｔｅｃｔ）する等のセル探索（ｉｎｉｔｉａｌ  ｃｅｌｌ  ｓｅａｒｃｈ）過程（ｐｒｏｃｅｄｕｒｅ）を行う。そのために、ＵＥは、ｅＮＢから同期信号、例えば、１次同期信号（Ｐｒｉｍａｒｙ  Ｓｙｎｃｈｒｏｎｉｚａｔｉｏｎ  Ｓｉｇｎａｌ、ＰＳＳ）及び２次同期信号（Ｓｅｃｏｎｄａｒｙ  Ｓｙｎｃｈｒｏｎｉｚａｔｉｏｎ  Ｓｉｇｎａｌ、ＳＳＳ）を受信してｅＮＢと同期を取り、セル識別子（ｉｄｅｎｔｉｔｙ、ＩＤ）などの情報を取得することができる。
【００５２】
図３を参照して、ＳＳをより具体的に説明すれば次のようである。ＳＳはＰＳＳとＳＳＳに区分される。ＰＳＳはＯＦＤＭシンボル同期、スロット同期などの時間ドメイン同期及び／又は周波数ドメイン同期を得るために使われ、ＳＳＳはフレーム同期、セルグループＩＤ及び／又はセルのＣＰ設定（ｃｏｎｆｉｇｕｒａｔｉｏｎ）（すなわち、一般ＣＰ又は拡張ＣＰの使用情報）を得るために使われる。図３を参照すると、ＰＳＳとＳＳＳは各無線フレームの２個のＯＦＤＭシンボルでそれぞれ送信される。具体的には、ＳＳはインターＲＡＴ（ｉｎｔｅｒ  ｒａｄｉｏ  ａｃｃｅｓｓ  ｔｅｃｈｎｏｌｏｇｙ）測定の容易さのためにＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）フレーム長である４．６ｍｓを考慮してサブフレーム０の一番目スロットとサブフレーム５の一番目スロットでそれぞれ送信される。特に、ＰＳＳはサブフレーム０の一番目スロットの最後のＯＦＤＭシンボルとサブフレーム５の一番目スロットの最後のＯＦＤＭシンボルでそれぞれ送信され、ＳＳＳはサブフレーム０の一番目スロットの終わりから二番目ＯＦＤＭシンボルでかつサブフレーム５の一番目スロットの終わりから二番目ＯＦＤＭシンボルでそれぞれ送信される。該当無線フレームの境界はＳＳＳを介して検出されることができる。ＰＳＳは該当スロットの最後のＯＦＤＭシンボルで送信され、ＳＳＳはＰＳＳの直前ＯＦＤＭシンボルで送信される。ＳＳの送信ダイバーシティ（ｄｉｖｅｒｓｉｔｙ）方式は単一アンテナポート（ｓｉｎｇｌｅ  ａｎｔｅｎｎａ  ｐｏｒｔ）のみを使い、標準では別に定義していない。
【００５３】
ＰＳＳは、５ｍｓごとに送信されるため、ＵＥは、ＰＳＳを検出することによって、当該サブフレームがサブフレーム０又はサブフレーム５のいずれかであることがわかるが、当該サブフレームがサブフレーム０とサブフレーム５のうちのいずれであるかは具体的にわからない。したがって、ＵＥは、ＰＳＳだけでは無線フレームの境界を認知できない。すなわち、ＰＳＳだけではフレーム同期を取ることができない。ＵＥは、無線フレーム内で２回送信されるものの、互いに異なったシーケンスで送信されるＳＳＳを検出して無線フレームの境界を検出する。
【００５４】
ＰＳＳ／ＳＳＳを用いたセル（ｃｅｌｌ）探索過程を行ってＤＬ信号の復調（ｄｅｍｏｄｕｌａｔｉｏｎ）及びＵＬ信号の送信を正確な時点に行うのに必要な時間及び周波数パラメーターを決定したＵＥはまた前記ｅＮＢから前記ＵＥのシステム設定（ｓｙｓｔｅｍ  ｃｏｎｆｉｇｕｒａｔｉｏｎ）に必要なシステム情報を獲得すると前記ｅＮＢと通信することができる。
【００５５】
システム情報はマスター情報ブロック（Ｍａｓｔｅｒ  Ｉｎｆｏｒｍａｔｉｏｎ  Ｂｌｏｃｋ、ＭＩＢ）及びシステム情報ブロック（Ｓｙｓｔｅｍ  Ｉｎｆｏｒｍａｔｉｏｎ  Ｂｌｏｃｋ、ＳＩＢ）によって設定される（ｃｏｎｆｉｇｕｒｅｄ）。各システム情報ブロックは機能的に関連したパラメーターの集まりを含み、含まれたパラメーターによってマスター情報ブロック（Ｍａｓｔｅｒ  Ｉｎｆｏｒｍａｔｉｏｎ  Ｂｌｏｃｋ、ＭＩＢ）及びシステム情報ブロックタイプ１（Ｓｙｓｔｅｍ  Ｉｎｆｏｒｍａｔｉｏｎ  Ｂｌｏｃｋ  Ｔｙｐｅ  １、ＳＩＢ１）、システム情報ブロックタイプ２（Ｓｙｓｔｅｍ  Ｉｎｆｏｒｍａｔｉｏｎ  Ｂｌｏｃｋ  Ｔｙｐｅ  ２、ＳＩＢ２）、ＳＩＢ３〜ＳＩＢ１７に区分されることができる。
【００５６】
ＭＩＢはＵＥがｅＮＢのネットワーク（ｎｅｔｗｏｒｋ）に初期接続（ｉｎｉｔｉａｌ  ａｃｃｅｓｓ）するのに必須である、最もよく送信されるパラメーターを含む。 ＵＥはＭＩＢをブロードキャストチャネル（例えば、ＰＢＣＨ）を介して受信することができる。ＭＩＢには下りリンクシステム帯域幅（ｄｌ−Ｂａｎｄｗｉｄｔｈ、ＤＬ  ＢＷ）、ＰＨＩＣＨ設定（ｃｏｎｆｉｇｕｒａｔｉｏｎ）、システムフレームナンバー（ＳＦＮ）が含まれる。よって、ＵＥはＰＢＣＨを受信することによって明示的（ｅｘｐｌｉｃｉｔ）にＤＬ  ＢＷ、ＳＦＮ、ＰＨＩＣＨ設定についての情報が分かる。一方、ＰＢＣＨの受信によってＵＥが黙示的（ｉｍｐｌｉｃｉｔ）に分かる情報としてはｅＮＢの送信アンテナポートの数がある。ｅＮＢの送信アンテナ数についての情報はＰＢＣＨのエラー検出に使われる１６ビットＣＲＣ（Ｃｙｃｌｉｃ  Ｒｅｄｕｎｄａｎｃｙ  Ｃｈｅｃｋ）に送信アンテナ数に対応するシーケンスをマスキング（例えば、ＸＯＲ演算）して黙示的にシグナリングされる。
【００５７】
ＳＩＢ１は他のＳＩＢの時間ドメインスケジューリングについての情報だけではなく、特定のセルがセル選択に適したセルであるかを判断するのに必要なパラメーターを含む。ＳＩＢ１はブロードキャストシグナリング又は専用（ｄｅｄｉｃａｔｅｄ）シグナリングによってＵＥに受信される。
【００５８】
ＤＬ搬送波周波数と該当システム帯域幅はＰＢＣＨが搬送するＭＩＢによって獲得されることができる。ＵＬ搬送波周波数及び該当システム帯域幅はＤＬ信号であるシステム情報によって得ることができる。ＭＩＢを受信したＵＥは該当セルに対して保存された有効なシステム情報がなければ、システム情報ブロックタイプ２（ＳｙｓｔｅｍＩｎｆｏｒｍａｔｉｏｎＢｌｏｃｋＴｙｐｅ２、ＳＩＢ２）が受信されるまで、ＭＩＢ内ＤＬ  ＢＷの値をＵＬ帯域幅（ＵＬ  ＢＷ）に適用する。例えば、ＵＥはシステム情報ブロックタイプ２（ＳｙｓｔｅｍＩｎｆｏｒｍａｔｉｏｎＢｌｏｃｋＴｙｐｅ２、ＳＩＢ２）を獲得し、前記ＳＩＢ２内ＵＬ搬送波周波数及びＵＬ帯域幅情報によって自分がＵＬ送信に使える全ＵＬシステム帯域を把握することができる。
【００５９】
周波数ドメインで、ＰＳＳ／ＳＳＳ及びＰＢＣＨは実際システム帯域幅と関係なく、該当ＯＦＤＭシンボル内でＤＣ副搬送波を中心に左右３個ずつ、総６個のＲＢ、つまり総７２個の副搬送波内でのみ送信される。よって、ＵＥは前記ＵＥに設定された（ｃｏｎｆｉｇｕｒｅｄ）下りリンク送信帯域幅と関係なく、ＳＳ及びＰＢＣＨを検出（ｄｅｔｅｃｔ）又は復号（ｄｅｃｏｄｅ）することができるように設定される（ｃｏｎｆｉｇｕｒｅｄ）。
【００６０】
初期セル探索を終えたＵＥは、ｅＮＢへの接続を完了するために、任意の接続過程（ｒａｎｄｏｍ  ａｃｃｅｓｓ  ｐｒｏｃｅｄｕｒｅ）を行うことができる。このために、ＵＥは物理任意接続チャネル（ｐｈｙｓｉｃａｌ  ｒａｎｄｏｍ  ａｃｃｅｓｓ  ｃｈａｎｎｅｌ、ＰＲＡＣＨ）を介してプリアンブル（ｐｒｅａｍｂｌｅ）を送信し、ＰＤＣＣＨ及びＰＤＳＣＨを介してプリアンブルに対する応答メッセージを受信することができる。競争に基づく任意接続（ｃｏｎｔｅｎｔｉｏｎ  ｂａｓｅｄ  ｒａｎｄｏｍ  ａｃｃｅｓｓ）の場合、追加的なＰＲＡＣＨの送信、そしてＰＤＣＣＨ及び前記ＰＤＣＣＨに対応するＰＤＳＣＨのような衝突解決過程（ｃｏｎｔｅｎｔｉｏｎ  ｒｅｓｏｌｕｔｉｏｎ  ｐｒｏｃｅｄｕｒｅ）を行うことができる。
【００６１】
上述したような過程を行ったＵＥはその後に一般的な上り／下りリンク信号送信過程としてＰＤＣＣＨ／ＰＤＳＣＨ受信及びＰＵＳＣＨ／ＰＵＣＣＨ送信を行うことができる。
【００６２】
前記任意接続過程は任意接続チャネル（ｒａｎｄｏｍ  ａｃｃｅｓｓ  ｃｈａｎｎｅｌ、ＲＡＣＨ）過程とも言われる。任意接続過程は初期接続、上りリンク同期調整、リソース割当て、ハンドオーバーなどの用途で多様に使われる。任意接続過程は競争基盤（ｃｏｎｔｅｎｔｉｏｎ−ｂａｓｅｄ）過程と、専用（ｄｅｄｉｃａｔｅｄ）（すなわち、非競争基盤）過程に分類される。競争基盤任意接続過程は初期接続を含んで一般的に使われ、専用任意接続過程をハンドオーバーなどに制限的に使われる。競争基盤任意接続過程でＵＥはＲＡＣＨプリアンブルシーケンスを任意に（ｒａｎｄｏｍｌｙ）選択する。よって、複数のＵＥが同時に同じＲＡＣＨプリアンブルシーケンスを送信することが可能であり、これによって以後に競争解消過程が必要である。一方、専用任意接続過程でＵＥはｅＮＢが該当ＵＥに唯一に割り当てたＲＡＣＨプリアンブルシーケンスを使う。よって、他のＵＥとの衝突なしに任意接続過程を行うことができる。
【００６３】
競争基盤任意接続過程は次の４段階を含む。以下、段階１〜４で送信されるメッセージはそれぞれメッセージ１〜４（Ｍｓｇ１〜Ｍｓｇ４）と言うことができる。
【００６４】
−段階１：ＲＡＣＨプリアンブル（ｖｉａ  ＰＲＡＣＨ）（ＵＥ  ｔｏ  ｅＮＢ）
【００６５】
−段階２：任意接続応答（ｒａｎｄｏｍ  ａｃｃｅｓｓ  ｒｅｓｐｏｎｓｅ、ＲＡＲ）（ｖｉａ  ＰＤＣＣＨ及びＰＤＳＣＨ）（ｅＮＢ  ｔｏ  ＵＥ）
【００６６】
−段階３：レイヤー２／レイヤー３メッセージ（ｖｉａ  ＰＵＳＣＨ）（ＵＥ  ｔｏ  ｅＮＢ）
【００６７】
−段階４：競争解消（ｃｏｎｔｅｎｔｉｏｎ  ｒｅｓｏｌｕｔｉｏｎ）メッセージ（ｅＮＢ  ｔｏ  ＵＥ）
【００６８】
専用任意接続過程は次の３段階を含む。以下、段階０〜２で送信されるメッセージはそれぞれメッセージ０〜２（Ｍｓｇ０〜Ｍｓｇ２）と言うことができる。任意接続過程の一部としてＲＡＲに対応する上りリンク送信（すなわち、段階３）も行われることができる。専用任意接続過程は基地局がＲＡＣＨプリアンブル送信を命令する用途のＰＤＣＣＨ（以下、ＰＤＣＣＨオーダー（ｏｒｄｅｒ））を用いてトリガーされることができる。
【００６９】
−段階０：専用シグナリングによるＲＡＣＨプリアンブル割当て（ｅＮＢ  ｔｏ  ＵＥ）
【００７０】
−段階１：ＲＡＣＨプリアンブル（ｖｉａ  ＰＲＡＣＨ）（ＵＥ  ｔｏ  ｅＮＢ）
【００７１】
−段階２：任意接続応答（ＲＡＲ）（ｖｉａ  ＰＤＣＣＨ及びＰＤＳＣＨ）（ｅＮＢ  ｔｏ  ＵＥ）
【００７２】
ＲＡＣＨプリアンブルを送信した後、ＵＥは前もって設定された時間ウィンドウ内で任意接続応答（ＲＡＲ）受信を試みる。具体的には、ＵＥは時間ウィンドウ内でＲＡ−ＲＮＴＩ（Ｒａｎｄｏｍ  Ａｃｃｅｓｓ  ＲＮＴＩ）を有するＰＤＣＣＨ（以下、ＲＡ−ＲＮＴＩ  ＰＤＣＣＨ）（例えば、ＰＤＣＣＨでＣＲＣがＲＡ−ＲＮＴＩでマスクされる）の検出を試みる。ＲＡ−ＲＮＴＩ  ＰＤＣＣＨの検出時、ＵＥはＲＡ−ＲＮＴＩ  ＰＤＣＣＨに対応するＰＤＳＣＨ内に自らのためのＲＡＲが存在するかを確認する。ＲＡＲはＵＬ同期化のためのタイミングオフセット情報を示すタイミングアドバンス（ｔｉｍｉｎｇ  ａｄｖａｎｃｅ、ＴＡ）情報、ＵＬリソース割当て情報（ＵＬグラント情報）、臨時端末識別子（例えば、ｔｅｍｐｏｒａｒｙ  ｃｅｌｌ−ＲＮＴＩ、ＴＣ−ＲＮＴＩ）などを含む。ＵＥはＲＡＲ内のリソース割当て情報及びＴＡ値によってＵＬ送信（例えば、Ｍｓｇ３）を行うことができる。ＲＡＲに対応するＵＬ送信にはＨＡＲＱが適用される。よって、ＵＥは、Ｍｓｇ３を送信した後、Ｍｓｇ３に対応する受信応答情報（例えば、ＰＨＩＣＨ）を受信することができる。
【００７３】
図４は、無線通信システムで用いられる下りリンクサブフレーム（ｓｕｂｆｒａｍｅ）構造を例示する図である。
【００７４】
図４を参照すると、ＤＬサブフレームは、時間ドメインで制御領域（ｃｏｎｔｒｏｌ  ｒｅｇｉｏｎ）とデータ領域（ｄａｔａ  ｒｅｇｉｏｎ）とに区別される。図３を参照すると、サブフレームの第１のスロットで前部に位置した最大３（或いは、４）個のＯＦＤＭシンボルは、制御チャネルが割り当てられる制御領域（ｃｏｎｔｒｏｌ  ｒｅｇｉｏｎ）に対応する。以下、ＤＬサブフレームでＰＤＣＣＨ送信に利用可能なリソース領域（ｒｅｓｏｕｒｃｅ  ｒｅｇｉｏｎ）をＰＤＣＣＨ領域と称する。制御領域として用いられるＯＦＤＭシンボル以外の残りのＯＦＤＭシンボルは、ＰＤＳＣＨ（Ｐｈｙｓｉｃａｌ  Ｄｏｗｎｌｉｎｋ  Ｓｈａｒｅｄ  ＣＨａｎｎｅｌ）が割り当てられるデータ領域（ｄａｔａ  ｒｅｇｉｏｎ）に該当する。以下、ＤＬサブフレームでＰＤＳＣＨ送信に利用可能なリソース領域をＰＤＳＣＨ領域と称する。
【００７５】
３ＧＰＰ  ＬＴＥで用いられるＤＬ制御チャネルの例としては、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などを含む。
【００７６】
ＰＣＦＩＣＨは、サブフレームの最初のＯＦＤＭシンボルで送信され、サブフレーム内で制御チャネルの送信に用いられるＯＦＤＭシンボルの個数についての情報を搬送する。ＰＣＦＩＣＨはサブフレームごとに該当サブフレームで使われるＯＦＤＭシンボルの個数をＵＥに知らせる。ＰＣＦＩＣＨは一番目ＯＦＤＭシンボルに位置する。ＰＣＦＩＣＨは４個のリソース要素グループ（ｒｅｓｏｕｒｃｅ  ｅｌｅｍｅｎｔ  ｇｒｏｕｐ、ＲＥＧ）で構成され、それぞれのＲＥＧはセルＩＤに基づいて制御領域内に分散される。一つのＲＥＧは４個のＲＥで構成される。
【００７７】
サブフレームでＰＤＣＣＨのために使用可能なＯＦＤＭシンボルのセットは次の表によって与えられる。
【００７８】
【表３】
2018536335.tif 000005
【００７９】
ＰＤＳＣＨ送信を支援する搬送波上の無線フレーム内下りリンクサブフレームのサブセットが上位階層によってＭＢＳＦＮサブフレーム（等）に設定されることができる。各ＭＢＳＦＮサブフレームは非ＭＢＳＦＮ領域（ｒｅｇｉｏｎ）とＭＢＳＦＮ領域に分けられ、非ＭＢＳＦＮ領域は先頭の１個又は２個のＯＦＤＭシンボルをスパンし、ここで、非ＭＢＳＦＮ領域の長さは表３によって与えられる。ＭＢＳＦＮサブフレームの非ＭＢＳＦＮ領域内送信はサブフレーム０のために使用された循環前置（ｃｙｃｌｉｃ  ｐｒｅｆｉｘ、ＣＰ）と同一のＣＰを使う。ＭＢＳＦＮサブフレーム内ＭＢＳＦＮ領域は非ＭＢＳＦＮ領域に使われなかったＯＦＤＭシンボルと定義される。
【００８０】
ＰＣＦＩＣＨは制御フォーマット指示子（ｃｏｎｔｒｏｌ  ｆｏｒｍａｔ  ｉｎｄｉｃａｔｏｒ、ＣＦＩ）を搬送し、ＣＦＩは１〜３のいずれか一値を指示する。下りリンクシステム帯域幅ＮＤＬＲＢ＞１０に対し、ＰＤＣＣＨによって搬送されるＤＣＩのスパンであるＯＦＤＭシンボルの数１、２又は３は前記ＣＦＩによって与えられ、下りリンクシステム帯域幅ＮＤＬＲＢ≦１０に対してＰＤＣＣＨによって搬送されるＤＣＩのスパンであるＯＦＤＭシンボルの数２、３又は４はＣＦＩ＋１によって与えられる。ＣＦＩは次の表によってコードされる。
【００８１】
【表４】
2018536335.tif 000006
【００８２】
ＰＨＩＣＨは、ＵＬ送信に対する応答としてＨＡＲＱ（Ｈｙｂｒｉｄ  Ａｕｔｏｍａｔｉｃ  Ｒｅｐｅａｔ  Ｒｅｑｕｅｓｔ）ＡＣＫ／ＮＡＣＫ（ａｃｋｎｏｗｌｅｄｇｍｅｎｔ／ｎｅｇａｔｉｖｅ−ａｃｋｎｏｗｌｅｄｇｍｅｎｔ）信号を搬送する。ＰＨＩＣＨは３個のＲＥＧで構成され、セル特定的にスクランブリングされる。ＡＣＫ／ＮＡＣＫは１ビットで指示され、前記１ビットのＡＣＫ／ＮＡＣＫは３回繰り返され、繰り返されたＡＣＫ／ＮＡＣＫビットのそれぞれは拡散因子（ｓｐｒｅａｄｉｎｇ  ｆａｃｔｏｒ、ＳＦ）４又は２によって拡散されて制御領域にマッピングされる。
【００８３】
ＰＤＣＣＨで送信される制御情報を下りリンク制御情報（ｄｏｗｎｌｉｎｋ  ｃｏｎｔｒｏｌ  ｉｎｆｏｒｍａｔｉｏｎ、ＤＣＩ）と称する。ＤＣＩは、ＵＥ又はＵＥグループのためのリソース割当て情報及び他の制御情報を含む。ＤＬ共有チャネル（ｄｏｗｎｌｉｎｋ  ｓｈａｒｅｄ  ｃｈａｎｎｅｌ、ＤＬ−ＳＣＨ）の送信フォーマット（Ｔｒａｎｓｍｉｔ  Ｆｏｒｍａｔ）及びリソース割当て情報は、ＤＬスケジューリング情報或いはＤＬグラント（ＤＬ  ｇｒａｎｔ）とも呼ばれ、ＵＬ共有チャネル（ｕｐｌｉｎｋ  ｓｈａｒｅｄ  ｃｈａｎｎｅｌ、ＵＬ−ＳＣＨ）の送信フォーマット及びリソース割当て情報は、ＵＬスケジューリング情報或いはＵＬグラント（ＵＬ  ｇｒａｎｔ）とも呼ばれる。１  ＰＤＣＣＨが搬送するＤＣＩは、ＤＣＩフォーマットによってそのサイズと用途が異なり、コーディングレートによってそのサイズが異なりうる。現在３ＧＰＰ  ＬＴＥシステムでは、上りリンク用にフォーマット０及び４、下りリンク用にフォーマット１、１Ａ、１Ｂ、１Ｃ、１Ｄ、２、２Ａ、２Ｂ、２Ｃ、３、３Ａなどの多様なフォーマットが定義されている。ＤＣＩフォーマットのそれぞれの用途に合わせて、ホッピングフラグ、ＲＢ割当て（ＲＢ  ａｌｌｏｃａｔｉｏｎ）、ＭＣＳ（ｍｏｄｕｌａｔｉｏｎ  ｃｏｄｉｎｇ  ｓｃｈｅｍｅ）、ＲＶ（ｒｅｄｕｎｄａｎｃｙ  ｖｅｒｓｉｏｎ）、ＮＤＩ（ｎｅｗ  ｄａｔａ  ｉｎｄｉｃａｔｏｒ）、ＴＰＣ（ｔｒａｎｓｍｉｔ  ｐｏｗｅｒ  ｃｏｎｔｒｏｌ）、循環遷移ＤＭＲＳ（ｃｙｃｌｉｃ  ｓｈｉｆｔ  ｄｅｍｏｄｕｌａｔｉｏｎ  ｒｅｆｅｒｅｎｃｅ  ｓｉｇｎａｌ）、ＵＬインデックス、ＣＱＩ（ｃｈａｎｎｅｌ  ｑｕａｌｉｔｙ  ｉｎｆｏｒｍａｔｉｏｎ）要請、ＤＬ割当てインデックス（ＤＬ  ａｓｓｉｇｎｍｅｎｔ  ｉｎｄｅｘ）、ＨＡＲＱプロセス番号（或いは、インデックス）、ＴＰＭＩ（ｔｒａｎｓｍｉｔｔｅｄ  ｐｒｅｃｏｄｉｎｇ  ｍａｔｒｉｘ  ｉｎｄｉｃａｔｏｒ）、ＰＭＩ（ｐｒｅｃｏｄｉｎｇ  ｍａｔｒｉｘ  ｉｎｄｉｃａｔｏｒ）情報などの制御情報が適宜選択された組合せが下りリンク制御情報としてＵＥに送信される。
【００８４】
複数のＰＤＣＣＨを制御領域内で送信することができる。ＵＥは、複数のＰＤＣＣＨをモニタすることができる。ｅＮＢは、ＵＥに送信されるＤＣＩによってＤＣＩフォーマットを決定し、ＤＣＩにＣＲＣ（ｃｙｃｌｉｃ  ｒｅｄｕｎｄａｎｃｙ  ｃｈｅｃｋ）を付加する。ＣＲＣは、ＰＤＣＣＨの所有者又は使用目的によって識別子（例、ＲＮＴＩ（ｒａｄｉｏ  ｎｅｔｗｏｒｋ  ｔｅｍｐｏｒａｒｙ  ｉｄｅｎｔｉｆｉｅｒ））でマスク（又は、スクランブル）される。例えば、ＰＤＣＣＨが特定ＵＥのためのものであれば、当該ＵＥの識別子（例、ｃｅｌｌ−ＲＮＴＩ（Ｃ−ＲＮＴＩ））をＣＲＣにマスクすることができる。ＰＤＣＣＨがページングメッセージのためのものであれば、ページング識別子（例、ｐａｇｉｎｇ−ＲＮＴＩ（Ｐ−ＲＮＴＩ））をＣＲＣにマスクすることができる。ＰＤＣＣＨがシステム情報（より具体的には、システム情報ブロック（ｓｙｓｔｅｍ  ｉｎｆｏｒｍａｔｉｏｎ  ｂｌｏｃｋ、ＳＩＢ））のためのものであれば、ＳＩ−ＲＮＴＩ（ｓｙｓｔｅｍ  ｉｎｆｏｒｍａｔｉｏｎ  ＲＮＴＩ）をＣＲＣにマスクすることができる。ＰＤＣＣＨが任意接続応答のためのものであれば、ＲＡ−ＲＮＴＩ（ｒａｎｄｏｍ  ａｃｃｅｓｓ−ＲＮＴＩ）をＣＲＣにマスクすることができる。ＣＲＣマスク（又は、スクランブル）は、例えば、ビットレベルでＣＲＣとＲＮＴＩをＸＯＲ演算することを含む。
【００８５】
一般に、ＵＥに設定された（ｃｏｎｆｉｇｕｒｅｄ）送信モード（ｔｒａｎｓｍｉｓｓｉｏｎ  ｍｏｄｅ、ＴＭ）によって前記ＵＥに送信可能なＤＣＩフォーマットが変わる。言い換えれば、特定の送信モードに設定されたＵＥのためには全てのＤＣＩフォーマットを使うことができるものではなく、前記特定の送信モードに対応する一定のＤＣＩフォーマット（等）のみを使うことができる。
【００８６】
例えば、既定義の複数の送信モードの一つによって送信されるＰＤＳＣＨをＵＥが受信することができるように、前記ＵＥに送信モードが上位階層によって準静的に（ｓｅｍｉ−ｓｔａｔｉｃａｌｌｙ）設定される（ｃｏｎｆｉｇｕｒｅｄ）。前記ＵＥは自らの送信モードに相当するＤＣＩフォーマットにのみＰＤＣＣＨの復号を試みる。言い換えれば、ブラインド復号試みによるＵＥの演算負荷を一定水準以下に維持するため、全てのＤＣＩフォーマットがＵＥによって同時に探索されるものではない。
【００８７】
表５は多重アンテナ技術を設定する（ｃｏｎｆｉｇｕｒｅ）のための送信モード及び該当送信モードでＵＥがブラインド復号を行うＤＣＩフォーマットを例示したものである。特に、表５はＣ−ＲＮＴＩ（Ｃｅｌｌ  ＲＮＴＩ（Ｒａｄｉｏ  Ｎｅｔｗｏｒｋ  Ｔｅｍｐｏｒａｒｙ  Ｉｄｅｎｔｉｆｉｅｒ））によって設定された（ｃｏｎｆｉｇｕｒｅｄ）ＰＤＣＣＨ及びＰＤＳＣＨの関係を示す。
【００８８】
【表５−１】
2018536335.tif 000007
【表５−２】
2018536335.tif 000008
【００８９】
表５には送信モード１〜１０が羅列されているが、表５に定義された送信モードの外にも他の送信モードが定義されることができる。
【００９０】
ＰＤＣＣＨはサブフレーム内の最初ｍ個のＯＦＤＭシンボル（等）に割り当てられる。ここで、ｍは１以上の整数であり、ＰＣＦＩＣＨによって指示される。
【００９１】
ＰＤＣＣＨは、１つ又は複数の連続した制御チャネル要素（ｃｏｎｔｒｏｌ  ｃｈａｎｎｅｌ  ｅｌｅｍｅｎｔ、ＣＣＥ）の集約（ａｇｇｒｅｇａｔｉｏｎ）上で送信される。ＣＣＥは、ＰＤＣＣＨに無線チャネル状態に基づくコーディングレートを提供するために用いる論理的割当てユニットである。ＣＣＥは、複数のリソース要素グループ（ｒｅｓｏｕｒｃｅ  ｅｌｅｍｅｎｔ  ｇｒｏｕｐ、ＲＥＧ）に対応する。例えば、１  ＣＣＥは９  ＲＥＧに対応し、１  ＲＥＧは４  ＲＥに対応する。４個のＱＰＳＫシンボルがそれぞれのＲＥＧにマップされる。参照信号（ＲＳ）によって占有されたリソース要素（ＲＥ）は、ＲＥＧに含まれない。したがって、与えられたＯＦＤＭシンボル内でＲＥＧの個数は、ＲＳが存在するか否かによって異なってくる。ＲＥＧ概念は、他の下りリンク制御チャネル（すなわち、ＰＣＦＩＣＨ及びＰＨＩＣＨ）にも用いられる。
【００９２】
システムでＰＤＣＣＨ送信のために利用可能なＣＣＥは０からＮＣＣＥ−１まで番号が付けられることができ、ここで、ＮＣＣＥ＝ｆｌｏｏｒ（ＮＲＥＧ／９）であり、ＮＲＥＧはＰＣＦＩＣＨ又はＰＨＩＣＨに割り当てられなかったＲＥＧの個数を示す。
【００９３】
ＤＣＩフォーマット及びＤＣＩビットの個数はＣＣＥの個数によって決定される。ＣＣＥは番号が付けられて連続的に使われ、復号過程を簡単にするために、ｎ個のＣＣＥで構成されたフォーマットを有するＰＤＣＣＨはｎの倍数に相当する番号を有するＣＣＥでだけ始まることができる。特定のＰＤＣＣＨの送信に使われるＣＣＥの個数はチャネル状態によってネットワーク又はｅＮＢによって決定される。例えば、良い下りリンクチャネルを有するＵＥ（例えば、ｅＮＢに隣接）のためのＰＤＣＣＨの場合、一つのＣＣＥでも十分であり得る。しかし、劣悪なチャネルを有するＵＥ（例えば、セル境界の付近に存在）のためのＰＤＣＣＨの場合、十分な強健性（ｒｏｂｕｓｔｎｅｓｓ）を得るためには８個のＣＣＥが要求されることができる。また、ＰＤＣＣＨのパワーレベルはチャネル状態に合わせて調整されることができる。
【００９４】
３ＧＰＰ  ＬＴＥ／ＬＴＥ−Ａシステムの場合、それぞれのＵＥのためにＰＤＣＣＨが位置することができるＣＣＥの集まり（ｓｅｔ）が定義される。ＵＥが自らのＰＤＣＣＨを見つけることができるＣＣＥの集まりをＰＤＣＣＨ探索空間、簡単に探索空間（Ｓｅａｒｃｈ  Ｓｐａｃｅ、ＳＳ）と言う。探索空間内でＰＤＣＣＨが送信されることができる個別リソースをＰＤＣＣＨ候補（ｃａｎｄｉｄａｔｅ）と言う。ＵＥがモニタリング（ｍｏｎｉｔｏｒｉｎｇ）するＰＤＣＣＨ候補の集まりは探索空間と定義される。ここで、集成レベルＬ∈｛１、２、４、８｝での探索空間Ｓ（Ｌ）ｋはＰＤＣＣＨの候補の集まりによって定義される。探索空間は他のサイズを有することができ、専用（ｄｅｄｉｃａｔｅｄ）探索空間と共通（ｃｏｍｍｏｎ）探索空間が定義されている。専用探索空間はＵＥ特定的探索空間（ＵＥ−ｓｐｅｃｉｆｉｃ  ｓｅａｒｃｈ  ｓｐａｃｅ、ＵＳＳ）であり、それぞれの個別ＵＥのために設定される（ｃｏｎｆｉｇｕｒｅｄ）。共通探索空間（ｃｏｍｍｏｎ  ｓｅａｒｃｈ  ｓｐａｃｅ、ＣＳＳ）は複数のＵＥのために設定される。
【００９５】
ｅＮＢは探索空間内の任意のＰＤＣＣＨ候補上で実際ＰＤＣＣＨ（ＤＣＩ）を送信し、ＵＥはＰＤＣＣＨ（ＤＣＩ）を捜すために探索空間をモニターする。ここで、モニタリングとは全てのモニタリングされるＤＣＩフォーマットによって該当探索空間内の各ＰＤＣＣＨの復号（ｄｅｃｏｄｉｎｇ）を試みる（ａｔｔｅｍｐｔ）ことを意味する。ＵＥは前記複数のＰＤＣＣＨをモニタリングして自らのＰＤＣＣＨを検出することができる。基本的に、ＵＥは自らのＰＤＣＣＨが送信される位置が分からないから、サブフレームごとに該当ＤＣＩフォーマットの全てのＰＤＣＣＨを自らの識別子を有するＰＤＣＣＨを検出するまでＰＤＣＣＨの復号を試み、このような過程をブラインド検出（ｂｌｉｎｄ  ｄｅｔｅｃｔｉｏｎ）（ブラインド復号（ｂｌｉｎｄ  ｄｅｃｏｄｉｎｇ、ＢＤ））と言う。
【００９６】
例えば、特定のＰＤＣＣＨが“Ａ”というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣ（Ｃｙｃｌｉｃ  Ｒｅｄｕｎｄａｎｃｙ  Ｃｈｅｃｋ）マスキング（ｍａｓｋｉｎｇ）されており、“Ｂ”という無線リソース（例えば、周波数位置）及び“Ｃ”という送信形式情報（例えば、送信ブロックサイズ、変調方式、コーディング情報など）を用いて送信されるデータについての情報が特定のＤＬサブフレームを介して送信されると想定（ａｓｓｕｍｅ）する。ＵＥは自分が持っているＲＮＴＩ情報を用いてＰＤＣＣＨをモニタリングし、“Ａ”というＲＮＴＩを持っているＵＥはＰＤＣＣＨを検出し、受信したＰＤＣＣＨの情報によって“Ｂ”と“Ｃ”によって指示されるＰＤＳＣＨを受信する。
【００９７】
図５はセル特定的参照信号（ｃｅｌｌ  ｓｐｅｃｉｆｉｃ  ｒｅｆｅｒｅｎｃｅ  ｓｉｇｎａｌ、ＣＲＳ）とＵＥ特定的参照信号（ｕｓｅｒ  ｓｐｅｃｉｆｉｃ  ｒｅｆｅｒｅｎｃｅ  ｓｉｇｎａｌ、ＵＥ−ＲＳ）を例示したものである。特に、図５は正規ＣＰを有するサブフレームのＲＢ対でＣＲＳ（等）及びＵＥ−ＲＳ（等）によって占有されるＲＥを示したものである。
【００９８】
既存３ＧＰＰ  ＬＴＥシステムにおいてＣＲＳは復調の目的及び測定の目的の両方に用いられるので、ＣＲＳはＰＤＳＣＨ送信を支援するセル（ｃｅｌｌ）内の全ての下りリンクサブフレームで全下りリンク帯域幅にわたって送信され、ｅＮＢに設定された（ｃｏｎｆｉｇｕｒｅｄ）全てのアンテナポートで送信される。
【００９９】
図５を参照すると、送信ノードのアンテナポートの数によってアンテナポートｐ＝０、ｐ＝０、１、ｐ＝０、１、２、３を介してＣＲＳが送信される。ＣＲＳは制御領域及びデータ領域にかかわらず、サブフレーム内に一定したパターンで固定される。制御チャネルは制御領域のうちＣＲＳが割り当てられていないリソースに割り当てられ、データチャネルもデータ領域のうちＣＲＳが割り当てられていないリソースに割り当てられる。
【０１００】
ＵＥはＣＲＳを用いてＣＳＩを測定することができ、ＣＲＳを用いて前記ＣＲＳを含むサブフレームでＰＤＳＣＨを介して受信された信号を復調することもできる。すなわち、ｅＮＢは全てのＲＢで各ＲＢ内の一定の位置にＣＲＳを送信し、ＵＥは前記ＣＲＳを基準にチャネル推定を行った後、ＰＤＳＣＨを検出する。例えば、ＵＥはＣＲＳ  ＲＥから受信された信号を測定し、前記測定された信号と、前記ＣＲＳ  ＲＥ別受信エネルギーのＰＤＳＣＨがマッピングされたＲＥ別受信エネルギーに対する比を用いてＰＤＳＣＨがマッピングされたＲＥからＰＤＳＣＨ信号を検出することができる。しかし、このようにＣＲＳに基づいてＰＤＳＣＨが送信される場合にはｅＮＢが全てのＲＢに対してＣＲＳを送信しなければならないので、不要なＲＳオーバーヘッドが発生することになる。このような問題点を解決するために、３ＧＰＰ  ＬＴＥ−Ａシステムでは、ＣＲＳの外にＵＥ特定的ＲＳ（以下、ＵＥ−ＲＳ）及びＣＳＩ−ＲＳをさらに定義する。ＵＥ−ＲＳは復調のために、ＣＳＩ−ＲＳはチャネル状態情報を得る（ｄｅｒｉｖｅ）ために使われる。ＵＥ−ＲＳはＤＲＳの一種と見なし得る。ＵＥ−ＲＳ及びＣＲＳは復調のために使われるので、用途の側面で復調用ＲＳと言える。ＣＳＩ−ＲＳ及びＣＲＳはチャネル測定又はチャネル推定に使われるので、用途の側面では測定用ＲＳと言える。
【０１０１】
図５を参照すると、ＵＥ−ＲＳはＰＤＳＣＨの送信のために支援され、アンテナポート（等）ｐ＝５、ｐ＝７、ｐ＝８又はｐ＝７、８、．．．、υ＋６（ここで、υは前記ＰＤＳＣＨの送信のために使われるレイヤーの数）を介して送信される。ＵＥ−ＲＳはＰＤＳＣＨ送信が該当アンテナポートと関連すれば存在し、ＰＤＳＣＨの復調（ｄｅｍｏｄｕｌａｔｉｏｎ）のためにのみ有効な（ｖａｌｉｄ）参照（ｒｅｆｅｒｅｎｃｅ）である。ＵＥ−ＲＳは該当ＰＤＳＣＨがマッピングされたＲＢ上でのみ送信される。すなわち、ＵＥ−ＲＳはＰＤＳＣＨの存在有無にかかわらず、サブフレームごとに送信されるように設定されたＣＲＳとは違い、ＰＤＳＣＨがスケジューリングされたサブフレームでＰＤＳＣＨがマッピングされたＲＢ（等）でのみ送信されるように設定される。また、ＵＥ−ＲＳは、ＰＤＳＣＨのレイヤーの数にかかわらず、全てのアンテナポート（等）を介して送信されるＣＲＳとは違い、ＰＤＳＣＨのレイヤー（等）にそれぞれ対応するアンテナポート（等）を介して送信される。したがって、ＣＲＳに比べてＲＳのオーバーヘッドが減少することができる。
【０１０２】
３ＧＰＰ  ＬＴＥ−Ａシステムにおいて、Ｅ−ＲＳはＰＲＢ対で定義される。図５を参照すると、ｐ＝７、ｐ＝８又はｐ＝７、８、．．．、υ＋６に対し、該当ＰＤＳＣＨ送信のために割り当てられた（ａｓｓｉｇｎ）周波数ドメインインデックスｎＰＲＢを有するＰＲＢにおいて、ＵＥ−ＲＳシーケンスｒ（ｍ）の一部が次の式によってサブフレームで複素変調シンボルａ（ｐ）ｋ、ｌにマッピングされる。
【０１０３】
【数１】
2018536335.tif 000009
【０１０４】
ここで、ｗｐ（ｉ）、ｌ’、ｍ’は次の式によって与えられる。
【０１０５】
【数２】
2018536335.tif 000010
【０１０６】
ここで、ｎｓは一無線フレーム内のスロット番号であって、０から１９までの整数の一つである。正規ＣＰのためのシーケンス
2018536335.tif 000011
は次の表によって与えられる。
【０１０７】
【表６】
2018536335.tif 000012
【０１０８】
アンテナポートｐ∈｛７、８、．．．、υ＋６｝に対してＵＥ−ＲＳシーケンスｒ（ｍ）は次のように定義される。
【０１０９】
【数３】
2018536335.tif 000013
【０１１０】
ｃ（ｉ）は疑似任意（ｐｓｅｕｄｏ−ｒａｎｄｏｍ）シーケンスであって、長さ３１ゴールド（Ｇｏｌｄ）シーケンスによって定義される。長さＭＰＮである出力シーケンスｃ（ｎ）（ここで、ｎ＝０、１、．．．、ＭＰＮ−１）は次の式によって定義される。
【０１１１】
【数４】
2018536335.tif 000014
【０１１２】
ここで、ＮＣ＝１６００であり、一番目ｍ−シーケンスはｘ１（０）＝１、ｘ１（ｎ）＝０、ｎ＝１、２、．．．、３０に初期化され、二番目ｍ−シーケンスは前記シーケンスの適用による値を有する
2018536335.tif 000015
によって表示（ｄｅｎｏｔｅ）される。
【０１１３】
式３で、ｃ（ｉ）の生成のための任意疑似シーケンス生成器は各サブフレームの始まりで次の式によってｃｉｎｉｔに初期化される。
【０１１４】
【数５】
2018536335.tif 000016
【０１１５】
式５で、ｎ（ｎＳＣＩＤ）ＩＤに対応する数量（ｑｕａｎｔｉｔｉｅｓ）ｎ（ｉ）ＩＤ（ここで、ｉ＝０、１）はＵＥ−ＲＳ生成のために上位階層によって提供されるスクランブリング識別子ｎＤＭＲＳ、ｉＩＤに対する値が上位階層によって提供されない、又はＤＣＩフォーマット１Ａ、２Ｂ又は２ＣがＰＤＳＣＨ送信に関連したＤＣＩに対して使われれば、物理階層セル識別子ＮｃｅｌｌＩＤであり、その外であればｎＤＭＲＳ、ｉＩＤとなる。
【０１１６】
式５で、ｎＳＣＩＤの値は他に特定されなければ０であり、アンテナポート７又は８上のＰＤＳＣＨ送信に対してｎＳＣＩＤはＰＤＳＣＨ送信に関連したＤＣＩフォーマット２Ｂ又は２Ｃによって与えられる。ＤＣＩフォーマット２ＢはＵＥ−ＲＳを有するアンテナポートを最大２個まで用いるＰＤＳＣＨのためのリソース割当て（ｒｅｓｏｕｒｃｅ  ａｓｓｉｇｎｍｅｎｔ）のためのＤＣＩフォーマットであり、ＤＣＩフォーマット２ＣはＵＥ−ＲＳを有するアンテナポートを最大で８個まで用いるＰＤＳＣＨのためのリソース割当て（ｒｅｓｏｕｒｃｅ  ａｓｓｉｇｎｍｅｎｔ）のためのＤＣＩフォーマットである。
【０１１７】
ＣＲＳのための参照信号シーケンスｒｌ、ｎｓ（ｍ）は次のように定義される。
【０１１８】
【数６】
2018536335.tif 000017
【０１１９】
ここで、Ｎｍａｘ、ＤＬＲＢは最大の下りリンク帯域幅設定であり、ＮＲＢｓｃの倍数と表現される。ｎｓは無線フレーム内のスロット番号であり、ｌはスロット内のＯＦＤＭシンボル番号である。疑似任意シーケンスｃ（ｉ）は式４によって定義される。疑似任意シーケンス生成器は各ＯＦＤＭシンボルの始まりで次の式によって初期化される。
【０１２０】
【数７】
2018536335.tif 000018
【０１２１】
ここで、ＮｃｅｌｌＩＤは物理階層セル識別子を意味し、正規ＣＰに対してＮＣＰ＝１であり、拡張ＣＰに対してＮＣＰ＝０である。
【０１２２】
３ＧＰＰ  ＬＴＥシステムにおいて、ＣＲＳはＰＲＢ対で定義される。図６を参照すると、ＣＲＳのための参照信号シーケンスｒｌ、ｎｓ（ｍ）は、次の式によって、スロットｎｓでアンテナポートｐのための参照シンボルとして使われる複素変調シンボルａ（ｐ）ｋ、ｌにマッピングされる。
【０１２３】
【数８】
2018536335.tif 000019
【０１２４】
ここで、ｋ、ｌ、ｍ’は次のように定義される。
【０１２５】
【数９】
2018536335.tif 000020
【０１２６】
変数ν及びνｓｈｉｆｔは他のＲＳのための周波数ドメイン内の位置を定義し、νは次の式によって与えられる。
【０１２７】
【数１０】
2018536335.tif 000021
【０１２８】
セル特定的周波数遷移はνｓｈｉｆｔ＝ＮｃｅｌｌＩＤｍｏｄ６によって与えられる。ここで、ＮｃｅｌｌＩＤは物理階層セル識別子、つまり物理セル識別子である。
【０１２９】
図６は、無線通信システムに用いられる上りリンク（ｕｐｌｉｎｋ、ＵＬ）サブフレーム構造の一例を示す図である。
【０１３０】
図６を参照すると、ＵＬサブフレームは、周波数ドメインで制御領域とデータ領域とに区別できる。１つ又は複数のＰＵＣＣＨ（ｐｈｙｓｉｃａｌ  ｕｐｌｉｎｋ  ｃｏｎｔｒｏｌ  ｃｈａｎｎｅｌ）を上りリンク制御情報（ｕｐｌｉｎｋ  ｃｏｎｔｒｏｌ  ｉｎｆｏｒｍａｔｉｏｎ、ＵＣＩ）を搬送するために上記制御領域に割り当てることができる。１つ又は複数のＰＵＳＣＨ（ｐｈｙｓｉｃａｌ  ｕｐｌｉｎｋ  ｓｈａｒｅｄ  ｃｈａｎｎｅｌ）をユーザデータを搬送するためにＵＬサブフレームのデータ領域に割り当てることができる。
【０１３１】
ＵＬサブフレームではＤＣ（Ｄｉｒｅｃｔ  Ｃｕｒｒｅｎｔ）副搬送波を基準に遠い距離の副搬送波が制御領域でとして活用される。換言すれば、ＵＬ送信帯域幅の両端部に位置する副搬送波が上りリンク制御情報の送信に割り当てられる。ＤＣ副搬送波は、信号送信に用いられないで残される成分であり、周波数アップコンバート過程で搬送波周波数ｆ０にマップされる。１つのＵＥに対するＰＵＣＣＨは、１つのサブフレームで、１つの搬送波周波数で動作するリソースに属したＲＢ対に割り当てられ、上記ＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホップすると表現する。ただし、周波数ホップが適用されない場合には、ＲＢ対が同一の副搬送波を占有する。
【０１３２】
ＰＵＣＣＨは、次の制御情報を送信するために用いことができる。
【０１３３】
●ＳＲ（Ｓｃｈｅｄｕｌｉｎｇ  Ｒｅｑｕｅｓｔ）：上りリンクＵＬ−ＳＣＨリソースを要請するために用いられる情報である。ＯＯＫ（Ｏｎ−Ｏｆｆ  Ｋｅｙｉｎｇ）方式を用いて送信される。
【０１３４】
●ＨＡＲＱ−ＡＣＫ：ＰＤＣＣＨに対する応答及び／又はＰＤＳＣＨ上の下りリンクデータパケット（例、コードワード）に対する応答である。ＰＤＣＣＨ或いはＰＤＳＣＨが成功的に受信されたか否かを示す。単一下りリンクコードワードに対する応答としてＨＡＲＱ−ＡＣＫ１ビットが送信され、２つの下りリンクコードワードに対する応答としてＨＡＲＱ−ＡＣＫ２ビットが送信される。
【０１３５】
ＨＡＲＱ−ＡＣＫ応答は、ポジティブＡＣＫ（簡単に、ＡＣＫ）、ネガティブＡＣＫ（以下、ＮＡＣＫ）、ＤＴＸ（Ｄｉｓｃｏｎｔｉｎｕｏｕｓ  Ｔｒａｎｓｍｉｓｓｉｏｎ）又はＮＡＣＫ／ＤＴＸを含む。ここで、ＨＡＲＱ−ＡＣＫという用語は、ＨＡＲＱ   ＡＣＫ／ＮＡＣＫ、ＡＣＫ／ＮＡＣＫと同じ意味で使われる。
【０１３６】
●ＣＳＩ（Ｃｈａｎｎｅｌ  Ｓｔａｔｅ  Ｉｎｆｏｒｍａｔｉｏｎ）：下りリンクチャネルに対するフィードバック情報（ｆｅｅｄｂａｃｋ  ｉｎｆｏｒｍａｔｉｏｎ）である。ＣＳＩは、チャネル品質指示子（ｃｈａｎｎｅｌ  ｑｕａｌｉｔｙ  ｉｎｆｏｒｍａｔｉｏｎ、ＣＱＩ）、プリコーディング行列指示子（ｐｒｅｃｏｄｉｎｇ  ｍａｔｒｉｘ  ｉｎｄｉｃａｔｏｒ、ＰＭＩ）、プリコーディングタイプ指示子（ｐｒｅｃｏｄｉｎｇ  ｔｙｐｅ  ｉｎｄｉｃａｔｏｒ）、及び／又はランク指示（ｒａｎｋ  ｉｎｄｉｃａｔｉｏｎ、ＲＩ）で構成することができる。これらのうち、ＭＩＭＯ（Ｍｕｌｔｉｐｌｅ  Ｉｎｐｕｔ  Ｍｕｌｔｉｐｌｅ  Ｏｕｔｐｕｔ）−関連フィードバック情報は、ＲＩ及びＰＭＩを含む。ＲＩは、ＵＥが同一の時間−周波数リソースを用いて受信できるストリームの個数或いはレイヤ（ｌａｙｅｒ）の個数を意味する。ＰＭＩは、チャネルの空間（ｓｐａｃｅ）特性を反映した値であり、ＵＥがＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）などのメトリック（ｍｅｔｒｉｃ）を基準に下りリンク信号送信のために好むプリコーディング行列のインデックスを表す。ＣＱＩは、チャネルの強度を示す値であり、通常、ｅＮＢがＰＭＩを用いたときにＵＥに得られる受信ＳＩＮＲを表す。
【０１３７】
一般的な無線通信システムは、一つのＤＬ帯域とこれに対応する一つのＵＬ帯域を介してデータの送信又は受信を行うか（周波数分割デュプレックス（ｆｒｅｑｕｅｎｃｙ  ｄｉｖｉｓｉｏｎ  ｄｕｐｌｅｘ、ＦＤＤ）モードの場合）、所定の無線フレーム（ｒａｄｉｏ  ｆｒａｍｅ）を時間ドメイン（ｔｉｍｅ  ｄｏｍａｉｎ）で上りリンク時間ユニットと下りリンク時間ユニットに区分し、上り／下りリンク時間ユニットを介してデータの送信又は受信を行う（時分割デュプレックス（ｔｉｍｅ  ｄｉｖｉｓｉｏｎ  ｄｕｐｌｅｘ、ＴＤＤ）モードの場合）。しかし、近年、無線通信システムでは、より広い周波数帯域を使うために複数のＵＬ及び／又はＤＬ周波数ブロックを集めてもっと大きなＵＬ／ＤＬ帯域幅を使う搬送波集成（ｃａｒｒｉｅｒ  ａｇｇｒｅｇａｔｉｏｎ又はｂａｎｄｗｉｄｔｈ  ａｇｇｒｅｇａｔｉｏｎ）技術の導入が論議されている。搬送波集成（ｃａｒｒｉｅｒ  ａｇｇｒｅｇａｔｉｏｎ、ＣＡ）は複数の搬送波周波数を使ってＤＬ又はＵＬ通信を行うという点で、複数の直交する副反送波に分割された基本周波数帯域を一つの搬送波周波数に含めてＤＬ又はＵＬ通信を行うＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）システムとは区分される。以下、搬送波集成によって集成される搬送波のそれぞれを要素搬送波（ｃｏｍｐｏｎｅｎｔ  ｃａｒｒｉｅｒ、ＣＣ）と言う。
【０１３８】
例えば、ＵＬ及びＤＬにそれぞれ３個の２０ＭＨｚＣＣが集まって６０ＭＨｚの帯域幅が支援されることができる。それぞれのＣＣは周波数ドメインで互いに隣接するか隣接しないことができる。便宜上、ＵＬ  ＣＣの帯域幅とＤＬ  ＣＣの帯域幅が皆同一であって対称である場合を説明したが、各ＣＣの帯域幅は独立的に決定されることができる。また、ＵＬ  ＣＣの数とＤＬ  ＣＣの数が違う非対称的搬送波集成も可能である。また、ＵＬ  ＣＣの個数とＤＬ  ＣＣの個数が違う非対称的搬送波集成も可能である。特定のＵＥに限定されたＤＬ／ＵＬ  ＣＣを特定のＵＥでの設定された（ｃｏｎｆｉｇｕｒｅｄ）サービング（ｓｅｒｖｉｎｇ）ＵＬ／ＤＬ  ＣＣと呼ぶことができる。
【０１３９】
一方、３ＧＰＰ  ＬＴＥ−Ａ標準は無線リソースを管理するためにセル（ｃｅｌｌ）の概念を使う。無線リソースに関連した“セル”とは下りリンクリソース（ＤＬ  ｒｅｓｏｕｒｃｅｓ）と上りリンクリソース（ＵＬ  ｒｅｓｏｕｒｃｅｓ）の組合せ、つまりＤＬ  ＣＣとＵＬ  ＣＣの組合せと定義される。セルはＤＬリソース単独、又はＤＬリソースとＵＬリソースの組合せに設定される（ｃｏｎｆｉｇｕｒｅｄ）ことができる。搬送波集成が支援される場合、ＤＬリソース（又は、ＤＬ  ＣＣ）の搬送波周波数（ｃａｒｒｉｅｒ  ｆｒｅｑｕｅｎｃｙ）とＵＬリソース（又は、ＵＬ  ＣＣ）の搬送波周波数（ｃａｒｒｉｅｒ  ｆｒｅｑｕｅｎｃｙ）の間のリンケージ（ｌｉｎｋａｇｅ）はシステム情報によって指示されることができる。例えば、システム情報ブロックタイプ２（Ｓｙｓｔｅｍ  Ｉｎｆｏｒｍａｔｉｏｎ  Ｂｌｏｃｋ  Ｔｙｐｅ２、ＳＩＢ２）リンケージ（ｌｉｎｋａｇｅ）によってＤＬリソースとＵＬリソースの組合せが指示されることができる。ここで、搬送波周波数とは各セル又はＣＣの中心周波数（ｃｅｎｔｅｒ  ｆｒｅｑｕｅｎｃｙ）を意味する。以下では、１次周波数（ｐｒｉｍａｒｙ  ｆｒｅｑｕｅｎｃｙ）上で動作するセルを１次セル（ｐｒｉｍａｒｙ  ｃｅｌｌ、Ｐｃｅｌｌ）又はＰＣＣと言い、２次周波数（Ｓｅｃｏｎｄａｒｙ  ｆｒｅｑｕｅｎｃｙ）（又はＳＣＣ）上で動作するセルを２次セル（ｓｅｃｏｎｄａｒｙ  ｃｅｌｌ、Ｓｃｅｌｌ）又はＳＣＣと言う。下りリンクでＰｃｅｌｌに対応する搬送波は下りリンク１次ＣＣ（ＤＬ  ＰＣＣ）と言い、上りリンクでＰｃｅｌｌに対応する搬送波はＵＬ１次ＣＣ（ＤＬ  ＰＣＣ）と言う。ＳｃｅｌｌとはＲＲＣ（Ｒａｄｉｏ  Ｒｅｓｏｕｒｃｅ  Ｃｏｎｔｒｏｌ）連結開設（ｃｏｎｎｅｃｔｉｏｎ  ｅｓｔａｂｌｉｓｈｍｅｎｔ）がなされた後に設定可能であり、追加的な無線リソースを提供するために使われることができるセルを意味する。ＵＥの性能（ｃａｐａｂｉｌｉｔｉｅｓ）によって、ＳｃｅｌｌがＰｃｅｌｌと一緒に、前記ＵＥのためのサービングセルの集団（ｓｅｔ）を形成することができる。下りリンクでＳｃｅｌｌに対応する搬送波はＤＬ２次ＣＣ（ＤＬ  ＳＣＣ）と言い、上りリンクで前記Ｓｃｅｌｌに対応する搬送波はＵＬ２次ＣＣ（ＵＬＳＣＣ）と言う。ＲＲＣ＿ＣＯＮＮＥＣＴＥＤ状態にあるが、搬送波集成が設定されていないか搬送波集成を支援しないＵＥの場合、Ｐｃｅｌｌにだけ設定されたサービングセルがただ一つ存在する。
【０１４０】
ｅＮＢは前記ＵＥに設定されたサービングセルの一部又は全部を活性化（ａｃｔｉｖａｔｅ）するか、又は一部を非活性化（ｄｅａｃｔｉｖａｔｅ）することにより、ＵＥとの通信に使うことができる。前記ｅＮＢは活性化／非活性化するセルを変更することができ、活性化／非活性化するセルの個数を変更することができる。ｅＮＢがＵＥに利用可能なセルをセル特定的又はＵＥ特定的に割り当てれば、前記ＵＥに対するセル割当てが全面的に再設定（ｒｅｃｏｎｆｉｇｕｒｅ）されるか、前記ＵＥがハンドオーバー（ｈａｎｄｏｖｅｒ）しない限り、一旦割り当てられたセルの少なくとも一つは非活性化しない。ＵＥに対するセル割当ての全面的な再設定ではない限り、非活性化しないセルをＰｃｅｌｌと言える。ｅＮＢが自由に活性化／非活性化することができるセルをＳｃｅｌｌと言える。ＰｃｅｌｌとＳｃｅｌｌは制御情報に基づいて区分されることもできる。例えば、特定の制御情報は特定のセルを介してだけ送信／受信されるように設定されることができ、このような特定のセルをＰｃｅｌｌと言い、残りのセル（等）をＳｃｅｌｌと言うことができる。
【０１４１】
設定されたセル（ｃｏｎｆｉｇｕｒｅｄ  ｃｅｌｌ）とはｅＮＢのセルの中で他のｅＮＢ又はＵＥからの測定報告に基づいてＵＥのために搬送波集成が行われたセルであり、ＵＥ別に設定される。ＵＥに設定されたセルは該当ＵＥの観点ではサービングセルと言える。ＵＥに設定されたセル、つまりサービングセルはＰＤＳＣＨ送信に対するＡＣＫ／ＮＡＣＫ送信のためのリソースが前もって予約される。活性化したセルは前記ＵＥに設定されたセルの中で実際にＰＤＳＣＨ／ＰＵＳＣＨ送信に用いられるように設定されたセルであり、ＰＤＳＣＨ／ＰＵＳＣＨ送信のためのＣＳＩ報告とＳＲＳ送信が活性化したセル上で行われる。非活性化したセルはｅＮＢの命令又はタイマー（ｔｉｍｅｒ）の動作によってＰＤＳＣＨ／ＰＵＳＣＨ送信に用いられないように設定されたセルであり、該当セルが非活性化すればＣＳＩ報告及びＳＲＳ送信も該当セルで中断される。
【０１４２】
参考として、搬送波指示子（ｃａｒｒｉｅｒ  ｉｎｄｉｃａｔｏｒ、ＣＩ）はサービングセルインデックス（ｓｅｒｖｉｎｇ  ｃｅｌｌ  ｉｎｄｅｘ、ＳｅｒｖＣｅｌｌＩｎｄｅｘ）を意味し、ＣＩ＝０がＰｃｅｌｌのために適用される。 サービングセルインデックスはサービングセルを識別するために使われる短い識別子（ｓｈｏｒｔ  ｉｄｅｎｔｉｔｙ）であり、例えば０から‘ＵＥに一度に設定可能な搬送波周波数の最大個数−１’までの整数のいずれか一つがサービングセルインデックスとして一サービングセルに割り当てられることができる。すなわち、サービングセルインデックスは全ての搬送波周波数のうち特定の搬送波周波数を識別するのに使われる物理インデックスと言うよりはＵＥに割り当てられたセルの中でだけ特定のサービングセルを識別するのに使われる論理インデックスと言える。
【０１４３】
前述したように、搬送波集成に使われるセルという用語は一ｅＮＢ又は一アンテナグループによって通信サービスが提供される一定の地理的領域を指称するセルという用語とは区分される。
【０１４４】
特に他の言及がない限り、本発明で言及するセルはＵＬ  ＣＣとＤＬ  ＣＣの組合せである搬送波集成のセルを意味する。
【０１４５】
一方、ＲＲＨ技術、クロス搬送波スケジューリング技術などが導入されれば、ｅＮＢが送信しなければならないＰＤＣＣＨの量が段々増えることになる。しかし、ＰＤＣＣＨが送信されることができる制御領域のサイズは以前と同一であるので、ＰＤＣＣＨ送信システム性能のボトルネック（ｂｏｔｔｌｅｎｅｃｋ）として作用することになる。上述した多重ノードシステムの導入、多様な通信技法の適用などによってチャネル品質が改善されることができるが、既存の通信技法及び搬送波集成技術などを多重ノード環境に適用するためにも新しい制御チャネルの導入が要求されている。このような必要によって既存の制御領域（以下、ＰＤＣＣＨ領域）ではないデータ領域（以下、ＰＤＳＣＨ領域）に新しい制御チャネルを設定することが論議されている。以下、前記新しい制御チャネルを進歩した（ｅｎｈａｎｃｅｄ）ＰＤＣＣＨ（以下、ＥＰＤＣＣＨ）と称する。
【０１４６】
ＥＰＤＣＣＨはサブフレームの先頭ＯＦＤＭシンボルではない、設定されたＯＦＤＭシンボルから始まる後半ＯＦＤＭシンボルに設定されることができる。ＥＰＤＣＣＨは連続的な周波数リソースを用いて設定（ｃｏｎｆｉｇｕｒｅ）されることもでき、周波数ダイバーシティ（ｄｉｖｅｒｓｉｔｙ）のために非連続的な周波数リソースを用いて設定されることもできる。このようなＥＰＤＣＣＨを用いることにより、ＵＥにノード別制御情報を送信することが可能になり、既存のＰＤＣＣＨ領域が不足な問題も解決することができる。参考として、ＰＤＣＣＨはＣＲＳの送信のために設定された（ｃｏｎｆｉｇｕｒｅｄ）アンテナポート（等）と同一のアンテナポート（等）を介して送信され、ＰＤＣＣＨを復号するように設定された（ｃｏｎｆｉｇｕｒｅｄ）ＵＥはＣＲＳを用いてＰＤＣＣＨを復調又は復号することができる。ＣＲＳに基づいて送信されるＰＤＣＣＨとは違い、ＥＰＤＣＣＨは復調ＲＳ（以下、ＤＭＲＳ）に基づいて送信されることができる。したがって、ＵＥは、ＰＤＣＣＨはＣＲＳに基づいて復号／復調し、ＥＰＤＣＣＨはＤＭＲＳに基づいて復号／復調することができる。ＥＰＤＣＣＨと関連したＤＭＲＳはＥＰＤＣＣＨ物理リソースと同一のアンテナポートｐ∈｛１０７、１０８、１０９、１１０｝上で送信され、前記ＥＰＤＣＣＨが該当アンテナポートと関連した場合にのみ前記ＥＰＤＣＣＨの復調のために存在し、前記ＥＤＣＣＨがマッピングされたＰＲＢ（等）上でのみ送信される。例えば、アンテナポート７又は８のＵＥ−ＲＳ（等）によって占有されたＲＥがＥＰＤＣＣＨのマッピングされたＰＲＢ上ではアンテナポート１０７又は１０８のＤＭＲＳ（等）によって占有されることができ、アンテナポート９又は１０のＵＥ−ＲＳ（等）によって占有されたＲＥがＥＰＤＣＣＨがマッピングされたＰＲＢ上ではアンテナポート１０９又は１１０のＤＭＲＳ（等）によって占有されることができる。結局、ＰＤＳＣＨの復調のためのＵＥ−ＲＳと同様に、ＥＰＤＣＣＨの復調のためのＤＭＲＳも、ＥＰＤＣＣＨのタイプとレイヤーの数が同一であれば、ＵＥ又はセルと関係なくＲＢ対別に一定数のＲＥがＤＭＲＳの送信に用いられる。
【０１４７】
近年、機械タイプ通信（ｍａｃｈｉｎｅ  ｔｙｐｅ  ｃｏｍｍｕｎｉｃａｔｉｏｎ、ＭＴＣ）が重要な通信標準化イシューの一つとして台頭している。ＭＴＣとは主に人の介入なしにあるいは人の介入を最小化したままで機械（ｍａｃｈｉｎｅ）とｅＮＢの間で行われる情報交換を意味する。例えば、ＭＴＣは計量器検針、水位測定、監視カメラの活用、自動販売機の在庫報告などのような測定／感知／報告などのデータ通信などに用いられることができ、所定特性を共有する複数のＵＥに対する自動アプリケーション又はファームウエアの更新過程などに用いられることができる。ＭＴＣの場合、送信データ量が少なく、上り／下りリンクデータの送信又は受信（以下、送信／受信）がたまに発生する。このようなＭＴＣの特性のため、ＭＴＣのためのＵＥ（以下、ＭＴＣ  ＵＥ）の場合、低いデータ送信率に合わせてＵＥの製作コストを低め、バッテリー消耗を減らすことが効率的である。また、このようなＭＴＣ  ＵＥは移動性が少なく、よってチャネル環境がほぼ変わらない特性を有する。ＭＴＣ  ＵＥが計量、検針、監視などに使われる場合、ＭＴＣ  ＵＥは通常のｅＮＢのカバレッジが及ばない位置、例えば地下又は倉庫、山間などに位置する可能性が高い。このようなＭＴＣ  ＵＥの用途を考慮すれば、ＭＴＣ  ＵＥのための信号は既存ＵＥ（以下、レガシーＵＥ）のための信号に比べて広いカバレッジを有することが良い。
【０１４８】
ＭＴＣ  ＵＥの用途を考慮すれば、ＭＴＣ  ＵＥはレガシーＵＥに比べて広いカバレッジの信号を必要とする可能性が高い。したがって、ｅＮＢがレガシーＵＥに送信する方式と同一の方式でＰＤＣＣＨ、ＰＤＳＣＨなどをＭＴＣ  ＵＥに送信すれば、ＭＴＣ  ＵＥはこれを受信するのに困難を経験することになる。したがって、本発明は、ｅＮＢが送信する信号をＭＴＣ  ＵＥが有効に受信することができるようにするために、ｅＮＢはカバレッジ問題（ｃｏｖｅｒａｇｅ  ｉｓｓｕｅ）が存在するＭＴＣ  ＵＥに信号を送信するとき、サブフレーム繰り返し（信号を有するサブフレームを繰り返す）、サブフレームバンドリングなどのカバレッジ強化（ｃｏｖｅｒａｇｅ  ｅｎｈａｎｃｅｍｅｎｔ）のための技法を適用することを提案する。例えば、カバレッジ問題が存在するＭＴＣ  ＵＥにはＰＤＣＣＨ及び／又はＰＤＳＣＨが複数（例えば、約１００個）のサブフレームを介して送信されることができる。
【０１４９】
図７はＭＴＣのための信号帯域の例を示した図である。
【０１５０】
ＭＴＣ  ＵＥのコストを低めるための一方法として、セルの動作（ｏｐｅｒａｔｉｎｇ）システム帯域幅（ｓｙｓｔｅｍ  ｂａｎｄｗｉｄｔｈ）と無関係に、例えば１．４ＭＨｚの縮小した（ｒｅｄｕｃｅｄ）ＵＥ下りリンク及び上りリンク帯域幅でＭＴＣ  ＵＥの動作が行われることができる。この時、このようなＭＴＣ  ＵＥが動作するサブバンド（ｓｕｂ−ｂａｎｄ）（＝ｎａｒｒｏｗｂａｎｄ）は、図７（ａ）に示したように、いつもセルの中心（例えば、中心の６個のＰＲＢ）に位置することもでき、図７（ｂ）に示したように、サブフレームにＭＴＣ  ＵＥを多重化するためにＭＴＣのための多数のサブバンドを一サブフレームに置き、ＵＥが互いに異なるサブバンドを使うようにするとか、ＵＥが同じサブバンドを使うが中心の６個のＰＲＢからなったサブバンドではない他のサブバンドを使うようにすることもできる。
【０１５１】
このような場合、ＭＴＣ  ＵＥは全システム帯域を介して送信されるレガシーＰＤＣＣＨを正常に受信することができなく、他のＵＥに送信されるＰＤＣＣＨとの多重化イシューによってレガシーＰＤＣＣＨが送信されるＯＦＤＭシンボル領域でＭＴＣ  ＵＥのためのＰＤＣＣＨが送信されることは好ましくないことがある。これを解決するための一方法として、ＭＴＣ  ＵＥのためにＭＴＣが動作するサブバンド内で送信される制御チャネルを導入する必要がある。このような低複雑度（ｌｏｗ−ｃｏｍｐｌｅｘｉｔｙ）ＭＴＣ  ＵＥのための下りリンク制御チャネルとして、既存のＥＰＤＣＣＨをそのまま使うことができる。もしくは、既存のＰＤＣＣＨ／ＥＰＤＣＣＨが変形された形態の制御チャネルであるＭＴＣ  ＵＥのためのＭ−ＰＤＣＣＨを導入することもできる。
【０１５２】
データチャネル（例えば、ＰＤＳＣＨ、ＰＵＳＣＨ）及び／又は制御チャネル（例えば、Ｍ−ＰＤＣＣＨ、ＰＵＣＣＨ、ＰＨＩＣＨ）はＵＥのカバレッジ強化（ｃｏｖｅｒａｇｅ  ｅｎｈａｎｃｅｍｅｎｔ、ＣＥ）のために多数のサブフレーム（ｍｕｌｔｉｐｌｅ  ｓｕｂｆｒａｍｅｓ）を介して繰り返し又はＴＴＩバンドリングの技法を用いて送信されることができる。ＣＥのために追加的にクロスサブフレームチャネル推定（ｅｓｔｉｍａｔｉｏｎ）、周波数（狭帯域（ｎａｒｒｏｗｂａｎｄ））ホッピングなどの技法を用いて制御／データチャネルを送信することができる。ここで、クロスサブフレームチャネル推定とは該当チャネルがあるサブフレーム内の参照信号だけではなく隣接したサブフレーム（等）内の参照信号を一緒に使用するチャネル推定方法を意味する。
【０１５３】
ＭＴＣ  ＵＥは、例えば１５ｄＢまでのＣＥを必要とすることができる。しかし、全てのＭＴＣ  ＵＥがＣＥを必要とする環境に存在するものではない。また、全てのＭＴＣ  ＵＥのＱｏＳに対する要求（ｒｅｑｕｉｒｅｍｅｎｔ）が同一であるものでもない。例えば、センサー、メーター（ｍｅｔｅｒ）のような器機は移動性（ｍｏｂｉｌｉｔｙ）が少なくてデータ送受信量が少ないながらも陰影地域に位置する可能性が高いから、高いＣＥを必要とすることができる。しかし、スマート時計（ｓｍａｒｔ  ｗａｔｃｈ）のようなウェアラブル器機（ｗｅａｒａｂｌｅ  ｄｅｖｉｃｅ）は移動性（ｍｏｂｉｌｉｔｙ）を有することができ、データ送受信量が相対的に多いとともに陰影地域ではない場所に位置する可能性が高い。したがって、全てのＭＴＣ  ＵＥが高い水準のＣＥを必要とするものではなく、ＭＴＣ  ＵＥのタイプによって必要とする能力が変わることがある。
【０１５４】
後述する本発明の実施例で、“仮定する”と言う表現はチャネルを送信する主体が該当“仮定”に合うように前記チャネルを送信することを意味し得る。前記チャネルを受信する主体は前記チャネルが該当“仮定”に合うように送信されたという前提の下で、該当“仮定”に合う形態で前記チャネルを受信又は復号するものであることを意味し得る。
【０１５５】
ＬＴＥセルは最小で６個のＲＢの帯域幅で動作する。ＭＴＣ  ＵＥのコストをもっと低めるため、２００ｋＨｚ程度の小さな狭帯域幅（ｎａｒｒｏｗ ｂａｎｄｗｉｄｔｈ）を介してＭＴＣ  ＵＥが動作する環境を考慮することができる。このようなＭＴＣ  ＵＥ、すなわち狭帯域幅内でのみ動作することが可能なＭＴＣ  ＵＥは２００ｋＨｚより広い帯域幅を有するレガシーセル内で逆方向に互換可能（ｂａｃｋｗａｒｄ ｃｏｍｐａｔｉｂｌｅ）に動作することもできる。レガシーセルが存在しないきれいな（ｃｌｅａｎ）周波数帯域がこのようなＭＴＣ  ＵＥのみのために活用（ｄｅｐｌｏｙ）されることもできる。
【０１５６】
本発明では、２００ｋＨｚより広い帯域幅を有するレガシーセル内で１個のＰＲＢ程度の小さな狭帯域（ｎａｒｒｏｗｂａｎｄ）を介して動作するシステムをインバンド狭帯域（ｎａｒｒｏｗｂａｎｄ、ＮＢ）ＩｏＴ（Ｉｎｔｅｒｎｅｔ ｏｆ Ｔｈｉｎｇｓ）と称し、レガシーセルが存在しないきれいな周波数帯域でＭＴＣ  ＵＥのみのために１個のＰＲＢ程度の小さな狭帯域を介して動作するシステムを独立型（ｓｔａｎｄ−ａｌｏｎｅ）ＮＢ ＩｏＴと称する。
【０１５７】
ＩｏＴとは該当物体（ｏｂｊｅｃｔ）がデータを収集及び交換することができるようにする、電子装置（ｅｌｅｃｔｒｏｎｉｃｓ）、ソフトウェア、センサー、アクチュエータ及びネットワーク連結性を備えた物理的器機（ｄｅｖｉｃｅ）、連結された（ｃｏｎｎｅｃｔｅｄ）器機、スマート器機、建物及び他のアイテムなどのインタネットワーキングを意味する。言い換えれば、ＩｏＴ知能的（ｉｎｔｅｌｌｉｇｅｎｔ）アプリケーション及びサービスのためのデータを交換するための連結性及び通信を可能にする、物理的物体、機械（ｍａｃｈｉｎｅｓ）、人及び他の器機のネットワークを意味する。ＩｏＴは物体が現存の（ｅｘｉｓｔｉｎｇ）ネットワーク基盤施設（ｉｎｆｒａｓｔｒｕｃｔｕｒｅ）を介して遠隔で感知（ｓｅｎｓｅ）及び制御されることを許容し、改善した効率性、正確性及び経済的利得をもたらす、物理及びデジタル世界間の直接統合（ｉｎｔｅｇｒａｔｉｏｎ）のための機会を提供する。特に、３ＧＰＰ技術を用いるＩｏＴをセルラーＩｏＴ（ＣＩｏＴ）と言う。
【０１５８】
ＮＢ−ＩｏＴは１８０ｋＨｚに制限されたチャネル帯域幅を有し、Ｅ−ＵＴＲＡを介してのネットワークサービスへの接続を許容する。ＮＢ−ＩｏＴは１個のＰＲＢ単位で動作するＩｏＴとも見なすことができる。
【０１５９】
以下では、ＮＢ−ＩｏＴとして動作する１個のＲＢサイズの無線リソースをＮＢ−ＩｏＴセル又はＮＢ−ＬＴＥセルと称し、１個のＲＢ上で動作するＮＢ−ＩｏＴセルを支援するシステムをＮＢ−ＩｏＴシステム又はＮＢ−ＬＴＥシステムと称する。
【０１６０】
また、以下では、ＬＴＥシステムによって通信されるＬＴＥ無線リソースをＬＴＥセルと称し、ＧＳＭシステムによって通信されるＧＳＭ無線リソースをＧＳＭセルと称する。インバンドＮＢ  ＩｏＴセルは、ＬＴＥセルのシステム帯域内で、（ガード帯域を考慮すると）２００ｋＨｚ帯域又は（ガード帯域を考慮しなければ）１８０ｋＨｚ帯域で動作することができる。
【０１６１】
本発明は、ｅＮＢが広帯域システムで広帯域ＲＦ性能（ｃａｐａｂｉｌｉｔｙ）を有するＵＥをサービスしながら狭帯域（ｎａｒｒｏｗ  ｂａｎｄ）ＲＦ性能を有する狭帯域装置（ｄｅｖｉｃｅ）をサービスするための方法を提案する。ここで、広帯域とは最小で１．４Ｍｈｚ以上を意味する。
【０１６２】
本発明は狭帯域ＲＦ性能を有する狭帯域装置が自らの制限されたＲＦ性能を用いて広帯域ＬＴＥシステムで広帯域ＵＥに対する影響を最小化しながらサービスを受ける方法を提案する。以下では、本発明によってＮＢ−ＩｏＴを支援するＵＥをＮＢ−ＩｏＴ  ＵＥ又はＮＢ−ＬＴＥ  ＵＥと称する。
【０１６３】
初期接続（ｉｎｉｔｉａｌ  ａｃｃｅｓｓ）のための周波数と初期接続以外のデータ及び制御チャネル送信／受信のための周波数を区分して運営する方法を提案する。
【０１６４】
以下では、ＮＢ−ＬＴＥ  ＵＥを中心に本発明の提案を説明する。ただ、以下で説明する本発明の提案はＮＢ−ＩｏＴ  ＵＥのみならず、一般的な小さな（ｓｍａｌｌ）帯域幅（ｂａｎｄｗｉｄｔｈ、ＢＷ）で動作するＵＥにも適用可能である。
【０１６５】
既存のＬＴＥ／ＬＴＥ−Ａシステムの場合、ＰＳＳ／ＳＳＳ／ＰＢＣＨなどの初期接続のための信号及びシステム情報はｅＮＢの実際データ送信帯域と関係なく、チャネル帯域の中央にある６個のＲＢ（例えば、１．４ＭＨｚ）内で送信される。ＵＥはＰＳＳ／ＳＳＳ／ＰＢＣＨを受信してからは、該当セルのＵＬ／ＤＬタイミング、帯域幅、ＦＤＤ／ＴＤＤ可否、システムフレーム番号（ｓｙｓｔｅｍ  ｆｒａｍｅ  ｎｕｍｂｅｒ、ＳＦＮ）、ＣＰサイズ（拡張ＣＰ又は正規ＣＰ）、ＰＣＦＩＣＨなどの情報を把握することができる。ＰＳＳ／ＳＳＳ／ＰＢＣＨを受信して成功裏に復号し、任意接続過程を成功裏に完了すれば、ＵＥは該当セルに成功裏に接続したと判断し、その後、所望の該当セル上でＵＬ／ＤＬデータを送信／受信することができる。２００ｋＨｚの狭帯域ＲＦ性能を有するＮＢ−ＬＴＥ  ＵＥは６個のＲＢを受信することができないので、既存ＬＴＥ／ＬＴＥ−Ａシステムでは初期接続さえ行うことができなくなる。したがって、ＮＢ−ＬＴＥ  ＵＥのＲＦ性能に相当する１個のＲＢの帯域幅を有する帯域で別個の同期信号及びシステム情報などが送信されなければならない。本発明は、既存システムに及ぶ影響を最小化するとともに運営の便宜性のため、初期接続のための同期信号とシステム情報が送信される搬送波（以下、アンカー搬送波）と実質的なデータサービスのための搬送波（以下、データ搬送波）を運営することを提案する。ＮＢ−ＬＴＥ  ＵＥはアンカー搬送波を介して初期接続を行い、アンカー搬送波で指示するデータ搬送波上でデータサービスを受けることができる。
【０１６６】
以下では、狭帯域アンカー搬送波と狭帯域データ搬送波を用いるＮＢ−ＩｏＴシステム（又はＮＢ−ＬＴＥシステムとも言う）をＬＴＥ帯域内でＬＴＥシステムと一緒に運営するための方法をもっと詳細に記述する。特に、ＮＢ−ＩｏＴシステムとＬＴＥシステムを前記ＬＴＥ帯域で共存させるための狭帯域アンカー／データ搬送波の運営方式及び該当搬送波でＬＴＥ−ＮＢ  ＵＥに伝達されなければならないシグナリング情報及びＵＥ動作などをもっと詳細に記述する。ＮＢ−ＬＴＥシステムは既存広帯域ＬＴＥシステム帯域内で運営され、既存ｅＮＢ及びＵＥに対する影響を最小化しながら同一帯域内で共存するように設計されなければならない。
【０１６７】
ＵＥがＬＴＥシステムに初期接続を試みるとき、最も先にｅＮＢが周期的に送信する同期信号を受信する。ＬＴＥシステムで、ｅＮＢはＰＳＳ／ＳＳＳをシステム帯域の中央の６個のＲＢ（すなわち、１．０８ＭＨｚ）にわたって送信する。ＰＳＳ／ＳＳＳは６個のＲＢにわたって送信されるが、ＰＳＳ／ＳＳＳがある前記６個のＲＢの中心周波数は毎１００ｋＨｚの倍数となる周波数に位置しなければならない。セル探索（ｃｅｌｌ  ｓｅａｒｃｈ）を行うＵＥは毎１００ｋＨｚの単位で１００ｋＨｚの倍数に相当する中心周波数でｅＮＢのＰＳＳ／ＳＳＳの同期信号を捜すことになる。すなわち、ＵＥの初期セル探索を容易にするため、ＬＴＥシステムの下りリンクの中心周波数は使用可能な全体周波数帯域内の１００ｋＨｚの倍数にのみ位置することができる。これを周波数ラスター（ｒａｓｔｅｒ）又はチャネルラスターと言う。ＵＥのチャネルラスターが１００ｋＨｚであれば、ＵＥは与えられた周波数帯域で１００ｋＨｚごとに同期信号の検出を試みる。例えば、チャネルラスターが１００ｋＨｚと定義された場合、次のような周波数にのみ中心周波数が位置することができる。
【０１６８】
【数１１】
2018536335.tif 000022
【０１６９】
ここで、ｍは整数、Ｆｃは中心周波数である。ＦｏはＬＴＥシステムの動作が許容される周波数帯域が始まる周波数又はＬＴＥシステムの動作が許容される周波数帯域でＵＥが中心周波数を捜し始めるときに使われる参照（ｒｅｆｅｒｅｎｃｅ）周波数であり得る。もしくは、ＦｏはＬＴＥシステム、すなわちＥＵＴＲＡシステムの中間（ｍｉｄｄｌｅ）を意味し得る。チャネルラスターが１００ｋＨｚと定義された場合、中心周波数は１００ｋｈｚ単位でのみ位置することができる。式１１によると、ＵＥは特定周波数Ｆｏを始として毎１００ｋｈｚ単位でのみ同期信号の探索を行い、ＵＥは、システムの同期信号が送信されることができる周波数がＦｏを始として毎１００ｋｈｚ単位でのみ存在すると仮定する。
【０１７０】
既存ＬＴＥシステムのチャネルラスターは１００ｋＨｚである。よって、ＮＢ−ＬＴＥシステムでも１００ｋＨｚチャネルラスターが維持されることを考慮することができる。また、既存ＬＴＥシステムに対する影響を最小化するため、既存ＬＴＥシステムで使っている副搬送波間隔１５ｋＨｚがＮＢ−ＩｏＴシステムで維持されることを考慮することができる。ＮＢ−ＩｏＴシステムがＬＴＥシステムの帯域内、つまりインバンドで運営される場合には特にそうである。ただ、ＮＢ−ＩｏＴシステムがＬＴＥシステムのガード帯域又はＬＴＥシステムで使われる帯域（等）から遠く離れた帯域で運営される場合、狭帯域で多くのＵＥがサービスされることができるようにするために、１５ｋＨｚとは違う副搬送波間隔を使うこともできる。
【０１７１】
以下では、既存広帯域ＬＴＥシステムで送信されるチャネルと目的が同一乃至類似のチャネルの場合、既存ＬＴＥシステムで送信されるチャネルと区分するために、既存のチャネル名の前に“ｎ”を付け加えて説明する。例えば、ＮＢ−ＬＴＥシステムのために送信する同期信号をｎＳＳと称する。ｎＳＳはＬＴＥシステムと同様にｎＰＳＳ／ｎＳＳＳに細分化されて送信されることもでき、ｎＰＳＳとｎＳＳＳの区分なしに単一ｎＳＳが送信されることもできる。同様に、初期セル探索のために必須なＰＢＣＨの場合、ＮＢ−ＬＴＥシステムで送信されるＰＢＣＨをｎＰＢＣＨと称する。基本的なｎＰＳＳ／ｎＳＳＳ／ｎＰＢＣＨの送信目的と内容（ｃｏｎｔｅｎｔｓ）はＬＴＥシステムのそれと類似している。
【０１７２】
ＮＢ−ＬＴＥシステムにおいて、ｎＳＳの送信帯域はＮＢ−ＬＴＥ  ＵＥのＲＦ性能によって限定される。すなわち、ｎＳＳの送信帯域はＮＢ−ＬＴＥ  ＵＥのＲＦ性能より広い帯域に送信されることができない。必ずｎＳＳはＮＢ−ＬＴＥ  ＵＥが受信することができるように該当ＮＢ−ＬＴＥ  ＵＥのＲＦ性能と同一乃至それより小さな帯域に送信されなければならない。説明の便宜のため、ＮＢ−ＬＴＥ  ＵＥのＲＦ性能が２００ｋＨｚの場合を例として本発明の提案を記述する。ただ、以下で説明する本発明の提案は２００ｋＨｚ帯域幅のＮＢ−ＬＴＥシステムにのみ限定されるものではない。
【０１７３】
ＮＢ−ＬＴＥ  ＵＥのＲＦ性能が２００ｋＨｚであるので、ｎＳＳも２００ｋＨｚ内で送信されなければならない。また、１００ｋＨｚチャネルラスターを考慮すると、ｎＳＳが送信される帯域の中心周波数はいつも１００ｋＨｚの倍数となることが良い。ＤＬ信号の送信時にガード帯域を考慮すると、実際ＮＢ−ＬＴＥシステムで意味ある情報を送信する区間は１８０ｋＨｚであり得る。１８０ｋＨｚは現在ＬＴＥシステムで定義された一つの物理リソースブロック（ｐｈｙｓｉｃａｌ  ｒｅｓｏｕｒｃｅ  ｂｌｏｃｋ、ＰＲＢ）が有する周波数帯域であって、１５ｋＨｚ副搬送波間隔を考慮したとき、１２個の副搬送波から構成される。ＮＢ−ＬＴＥシステムがＬＴＥシステムと共存しなければならなく、ＵＥのチャネルラスターを１００ｋＨｚで維持するという前提の下で、ｎＳＳが送信されることができる位置は非常に制限的である。
【０１７４】
次の表はＬＴＥシステムで支援されるチャネル帯域幅とチャネル帯域幅別リソースブロックの数ＮＲＢを示したものである。すなわち、次の表はＥ−ＵＴＲＡチャネル帯域内の送信帯域幅設定ＮＲＢを示したものである。
【０１７５】
【表７】
2018536335.tif 000023
【０１７６】
ＬＴＥシステムは表７に表示したように、１．４、３、５、１０、１５、２０ＭＨｚを支援し、各帯域は１８０ｋＨｚ幅のＰＲＢの数によって定義されることができる。
【０１７７】
次の表はＬＴＥシステムのチャネル帯域幅別に、実際情報を含んで送信する帯域のサイズと該当チャネル帯域幅内で実際情報の送信に使われなかったガード帯域のサイズを示したものである。
【０１７８】
【表８】
2018536335.tif 000024
【０１７９】
図８〜図１１はＬＴＥチャネル帯域によるアンカー搬送波候補を例示したものである。特に、図８は５ＭＨｚのＬＴＥ帯域でｎＳＳがあり得るアンカー搬送波候補の位置を示したものであり、図９は１０ＭＨｚのＬＴＥ帯域でｎＳＳがあり得るアンカー搬送波候補の位置を示したものであり、図１０は１５ＭＨｚのＬＴＥ帯域でｎＳＳがあり得るアンカー搬送波候補の位置を示したものであり、図１１は２０ＭＨｚのＬＴＥ帯域でｎＳＳがあり得るアンカー搬送波候補の位置を示したものである。図８〜図１１で、ｎＳＳ搬送波候補として表示された周波数位置（等）でのみｎＳＳが送信されることができる。
【０１８０】
５ＭＨｚと１５ＭＨｚのように奇数のＲＢからなる帯域は中心周波数から毎９００ｋＨｚの倍数単位の位置にアンカー搬送波の中心周波数が位置することができるようになる。
【０１８１】
図８を参照すると、５ＭＨｚ帯域で１００ｋＨｚチャネルラスターと１５ｋＨｚ副搬送波の間隔を満たす１８０ＭＨｚ帯域は、図８に示したように、５ＭＨｚの中心の１個のＲＢと５ＭＨｚ帯域の両縁（ｅｄｇｅ）に位置するガード帯域でそれぞれ１個のＲＢずつ、総３個の位置に限定される。同じ方式で、図１０を参照すると、１５ＭＨｚ帯域では総１１個のＰＲＢがアンカー搬送波候補に相当することができる。
【０１８２】
特定サイズのＬＴＥ帯域で、特に偶数のＲＢからなるＬＴＥチャネル帯域幅を有するシステムでは、インバンド内に既存システムのＰＲＢマッピングと一致し、１５ｋＨｚ副搬送波の間隔を維持しながら１００ｋＨｚのチャネルラスターを満たすｎＳＳが送信されることができるＰＲＢを捜しにくい。例えば、図９を参照すると、１０ＭＨｚ帯域では総２個のＰＲＢがアンカー搬送波候補に相当することができ、図１１を参照すると、２０ＭＨｚ帯域では総６個のＰＲＢがアンカー搬送波候補に相当することができる。このように、アンカー副搬送波候補が少ない場合、レガシー搬送波の２個のＰＲＢにわたってＮＢ−ＬＴＥのｎＳＳが送信されることを考慮することができるが、このような構成はＲＢを必要以上に多く使う欠点がある。また、インバンドでｎＳＳが送信される場合、ｅＮＢは他のレガシーＵＥを同時に支援しなければならないので、ｅＮＢがｎＳＳに電力ブスティングを適用することができる程度が制約され、ｎＳＳの送信に限定的な電力を仮定しなければならないことがある。このような状況は、ＮＢ−ＬＴＥ  ＵＥが初期セル獲得（ａｃｑｕｉｓｉｔｉｏｎ）を行うとき、遅延（ｌａｔｅｎｃｙ）及びセル検出（ｄｅｔｅｃｔｉｏｎ）性能の劣化をもたらし得る。このような状況を改善するために、本発明は、ＮＢ−ＩｏＴがインバンドでサービスされてもガード帯域でｎＳＳなどを送信することを提案する。例えば、ｎＳＳを送信するアンカー搬送波と初期接続後のデータを送信／受信するのに使われるデータ搬送波が別に運営されることができる。ここで、“データ搬送波”において“データ”とは本発明の一部の実施例（等）ではＰＤＳＣＨ／ＰＵＳＣＨなどのデータチャネルだけではなく、同期以後の制御情報、システム情報などを総称する意味として使うことができる。
【０１８３】
図１２は本発明によるＵＥの状態（ｓｔａｔｕｓ）及び遷移（ｔｒａｎｓｉｔｉｏｎ）を示した図である。
【０１８４】
アンカー搬送波ではＮＢ−ＬＴＥ  ＵＥが初期接続を行うための基本的なシステム情報を送信し（Ｓ９０１）、またｎＳＳ／ｎＰＢＣＨを除いた他のチャネルが送信される搬送波、つまりデータ搬送波についての情報がシグナリングされる。本発明の一実施例によると、アンカー搬送波はｎＳＳ／ｎＰＢＣＨの送信に使われることができるが、データ搬送波はｎＳＳ／ｎＰＢＣＨの送信に使われない。
【０１８５】
図１１を参照すると、ＮＢ−ＬＴＥ  ＵＥは自らのＲＦをアンカー搬送波に合わせてモニターし（Ｓ９０１）、必要によってデータ搬送波に合わせてモニターすることができる（Ｓ９０３）。
【０１８６】
システム情報伝達を目的とするｎＰＢＣＨには、アンカー搬送波のシステム情報とデータ搬送波のシステム情報が送信されることができる。例えば、アンカー搬送波でのアンテナポートの数、セルＩＤ及び／又はシステムフレーム番号（ｓｙｓｔｅｍ  ｆｒａｍｅ  ｎｕｍｂｅｒ、ＳＦＮ）などの情報がアンカー搬送波のシステム情報となることができる。データ搬送波のシステム情報については後述する。アンカー搬送波で伝達するデータ搬送波についての情報はｎＰＢＣＨで送信されることができる。もしくは、ｎＰＢＣＨがデータ搬送波についての情報を搬送する代わり、別個のチャネルが設定されてデータ搬送波についての情報を搬送することもできる。
【０１８７】
ＮＢ−ＬＴＥ  ＵＥは初期アンカー搬送波でｎＳＳを受信してｅＮＢとの同期を取り、ｎＰＢＣＨを用いて前記初期アンカー搬送波についてのシステム情報を獲得した後、データ搬送波についての情報を受信し、これによってデータ搬送波に移動し（Ｔ９０２）、その他のデータ及び制御チャネルなどを送信／受信する。アンカー搬送波では、データ搬送波についての情報として、最も基本的にはデータ搬送波の位置についての情報を提供する。
【０１８８】
このようなアンカー搬送波とデータ搬送波の関係は（この以外の場合も排除されないが）次のような場合をカバーすることができる。
【０１８９】
−ガード帯域内アンカー搬送波＋同一電力増幅器（ｐｏｗｅｒ  ａｍｐｌｉｆｉｅｒ、ＰＡ）−インバンド内データ搬送波：アンカー搬送波とデータ搬送波に対して同じＰＡが使われる場合、セルＩＤ、ＳＦＮなどがアンカー搬送波とデータ搬送波の間に共有されると仮定することができ、時間／周波数トラッキング値が同一であると仮定することができる。すなわち、アンカー搬送波とデータ搬送波に対して同じＰＡが使われる場合、セルＩＤ、ＳＦＮもアンカー搬送波とデータ搬送波で同一であり得る。インバンドとガード帯域の周波数間隔が広くなければ、時間／周波数トラッキング値が同一であると仮定することができる。インバンドデータ搬送波はＬＴＥのセルＩＤ及び／又はＳＦＮを有することができる。
【０１９０】
−ガード帯域内アンカー搬送波＋他のＰＡ−インバンド内データ搬送波：アンカー搬送波とデータ搬送波に対して相異なるＰＡが使われる場合、アンカー搬送波とデータ搬送波でセルＩＤ、ＳＦＮなどが異なり得る。アンカー搬送波とデータ搬送波に対して違うＰＡが使われる場合、データ搬送波のセルＩＤ、ＳＦＮなどがアンカー搬送波で送信されることができる。インバンドデータ搬送波はＬＴＥのセルＩＤ及び／又はＳＦＮを有することができ、ガード帯域内アンカー搬送波はＬＴＥのセルＩＤ及び／又はＳＦＮとは違うセルＩＤ及び／又はＳＦＮを有することができる。インバンドとガード帯域の周波数間隔が広くなければ、時間／周波数トラッキング値が同一であると仮定することができる。インバンドとガード帯域の周波数間隔が広くなければ、データ搬送波とアンカー搬送波のトラッキング値を異にすることが好ましい。この場合、データ搬送波に対する時間／周波数トラッキングが新しく行われなければならないことがあり得るので、データ搬送波のｎＳＳが送信されるフレーム／サブフレームインデックスに対するオフセット値がアンカー搬送波を介して送信されることができる。アンカー搬送波とデータ搬送波間の送信パワーの差又はデータ搬送波に対する送信電力の値についての情報もアンカー搬送波を介して送信されることができる。
【０１９１】
−ガード帯域内アンカー搬送波＋ガード帯域内データ搬送波：この場合、同じＰＡ又は別個のＰＡを仮定することができる。同じＰＡを使う場合と別個のＰＡを使用する場合を区分するために、ＮＢ−ＬＴＥ  ＵＥが同じＰＡ（又は同一のセルＩＤ、ＳＦＮなど）を仮定することができるかについての情報が別に送信されることができる。
【０１９２】
−インバンド内アンカー搬送波＋ガード帯域内データ搬送波：隣り合うガード帯域とインバンドを使おうとする場合、ｅＮＢはアンカー搬送波をインバンドに構成し、ガード帯域の搬送波の周波数オフセットを（ＮＢ−ＬＴＥ  ＵＥに）知らせることができる。
【０１９３】
−インバンド内アンカー搬送波＋インバンド内データ搬送波：この場合、同じＰＡ又は別個のＰＡを仮定することができる。同じＰＡを使う場合と別個のＰＡを使用する場合を区分するために、ＮＢ−ＬＴＥ  ＵＥが同じＰＡ（又は同一セルＩＤ、ＳＦＮなど）を仮定することができるかについての情報が別に送信されることができる。
【０１９４】
特に、アンカー搬送波がガード帯域で運営されれば、ＬＴＥシステム帯域幅と関係なく、ＮＢ−ＬＴＥシステムがインバンドとガード帯域で運営されることができる。ガード帯域又はＬＴＥシステム帯域ではない他の帯域ではＬＴＥシステムの物理信号（例えば、ＰＤＣＣＨ領域、ＰＳＳ／ＳＳＳ、ＰＢＣＨリソースなど）に関する制約がないので、ＮＢ−ＩｏＴ信号とＬＴＥシステムの物理信号との衝突を考慮しなくても良いからである。例えば、アンカー搬送波がガード帯域に設定され、データ搬送波がＰＳＳ／ＳＳＳ及びＰＢＣＨが占有する中心の６個のＰＲＢを除いたＰＲＢで動作するように設定されれば、ｅＮＢはＰＳＳ／ＳＳＳ／ＰＢＣＨとｎＳＳの衝突を考慮せずにＮＢ−ＬＴＥ  ＵＥにデータ搬送波上でデータサービスを提供することができ、ＮＢ−ＬＴＥ  ＵＥはＰＳＳ／ＳＳＳ／ＰＢＣＨの存在を考慮せずにデータ搬送波上で自らのデータを送信／受信することができる。
【０１９５】
ＮＢ−ＬＴＥ  ＵＥは、一つのアンカー搬送波で接続して関係（ａｓｓｏｃｉａｔｉｏｎ）を結んだ後、データ搬送波についての情報を獲得するとか又はアンカー搬送波のシステム情報によってデータ搬送波についての情報を獲得することができる。例えば、データ搬送波についての情報はデータ搬送波の周波数リストで表現されることができる。データ搬送波の位置はアンカー搬送波の中心周波数と該当データ搬送波の中心周波数とのギャップ（ｇａｐ）で表現されることができる。データ搬送波は一つ又はそれ以上があり得る。この場合、データ搬送波別に該当データ搬送波上での通信に必要な情報が送信されることができる。例えば、Ｄａｔａ＿ｃａｒｒｉｅｒ＝｛ｎＤａｔａ＿ｃａｒｒｉｅｒ＿１、ｎＤａｔａ＿ｃａｒｒｉｅｒ＿２、ｎＤａｔａ＿ｃａｒｒｉｅｒ＿３、…｝の形態でデータ搬送波（等）についての情報が送信されることができ、データ搬送波別にデータ及びその他のチャネル受信のために必要な情報が送信されることができる。ｅＮＢは複数の下りリンク搬送波と複数の上りリンク搬送波が設定されることもできる。一つのデータ搬送波は一つの上りリンク搬送波と一つの下りリンク搬送波から構成されることができる。例えば、ｅＮＢはＮＢ−ＩｏＴ用データ下りリンク搬送波（ｎＤａｔａ＿ｄｏｗｎｌｉｎｋ＿ｃａｒｒｉｅｒ）を指示する情報とＮＢ−ＩｏＴ用データ上りリンク搬送波（ｎＤａｔａ＿ｕｐｌｉｎｋ＿ｃａｒｒｉｅｒ）を指示する情報（例えば、Ｄａｔａ＿Ｄａｔａ＿ｃａｒｒｉｅｒ＿１＝｛ｎＤａｔａ＿ｄｏｗｎｌｉｎｋ＿ｃａｒｒｉｅｒ＿１、ｎＤａｔａ＿ｕｐｌｉｎｋ＿ｃａｒｒｉｅｒ＿１｝）から構成されたデータ搬送波情報を送信することができる。複数のデータ搬送波が設定される場合、上りリンク搬送波と下りリンク搬送波が別個に構成されることができる。例えば、Ｄａｔａ＿Ｃａｒｒｉｅｒ＝｛ｎＤａｔａ＿ｄｏｗｎｌｉｎｋ＿ｃａｒｒｉｅｒ＿１、ｎＤａｔａ＿ｄｏｗｎｌｉｎｋ＿ｃａｒｒｉｅｒ＿２、ｎＤａｔａ＿ｄｏｗｎｌｉｎｋ＿ｃａｒｒｉｅｒ＿３、ｎＤａｔａ＿ｕｐｌｉｎｋ＿ｃａｒｒｉｅｒ＿１、ｎＤａｔａ＿ｕｐｌｉｎｋ＿ｃａｒｒｉｅｒ＿２｝）の情報がｅＮＢによって送信されることができる。
【０１９６】
したがって、チャネルラスターと一致する周波数を介して同期及び基本的な情報が送信され、別個のＮＢ−ＬＴＥ搬送波に対する周波数のリストが提供されることができる。これにより、１００ｋＨｚチャネルラスターと合わない周波数に中心周波数があるＮＢ−ＬＴＥ搬送波が設定されることができる。
【０１９７】
ｅＮＢは、上りリンク搬送波を設定するとき、ＮＢ−ＩｏＴ用の任意接続チャネル（以下、ｎＲＡＣＨ）の送信のための別個の上りリンク搬送波を指示することができる。別個のシグナリングがなければ、ＮＢ−ＬＴＥ  ＵＥは設定された全ての上りリンク搬送波ｎＲＡＣＨを送信することができる。
【０１９８】
以下では、アンカー搬送波でのＮＢ−ＩｏＴ  ＵＥが下りリンクチャネル（等）を受信する方法について説明する。
【０１９９】
ＮＢ−ＬＴＥ  ＵＥは複数のデータ搬送波が設定された場合、ＮＢ−ＬＴＥ  ＵＥは一般的に低費用／低複雑度で具現されるはずであるので、前記複数のデータ搬送波を一度にモニターするものではなく、一度に一つのデータ搬送波のみを順次モニターすることができるようになる。ここで、ＮＢ−ＬＴＥ  ＵＥはｅＮＢが指示する間隔（ｉｎｔｅｒｖａｌ）で又は前もって決定された時間間隔でそれぞれのデータ搬送波に移動してデータなどのチャネルを受信することができる。ＮＢ−ＬＴＥ  ＵＥがデータ搬送波をモニターすることができる間隔についての情報はアンカー搬送波で該当データ搬送波についての情報が提供されるときに一緒に提供されることができる。他の方式としては、ｎＰＤＳＣＨ／ｎＰＤＣＣＨなどのチャネル送信がある該当データ搬送波から他のデータ搬送波への遷移命令を伝達することができる。例えば、ＮＢ−ＬＴＥ  ＵＥがｎＤａｔａ＿Ｃａｒｒｉｅｒ＿１でｎＰＤＣＣＨ／ｎＰＤＳＣＨを受信していれば、ｎＰＤＳＣＨで該当ＮＢ−ＬＴＥ  ＵＥに特定時点にｎＤａｔａ＿ｃａｒｒｉｅｒ＿２に移動しろと指示することができる。このような過程は多数のデータ搬送波間の周波数ホッピングに黙示的（ｉｍｐｌｉｃｉｔ）に行われることができる。この場合、ｅＮＢは周波数ホッピングが行われる搬送波のリスト（すなわち、ＰＲＢのリスト）を送信することができる。
【０２００】
ＮＢ−ＬＴＥ  ＵＥは、まずアンカー搬送波を探索してｎＳＳを受信し、ｎＳＳ／ｎＰＢＣＨ受信に成功して初期接続に成功することになる。搬送波上でｎＳＳの受信に成功したＮＢ−ＬＴＥ  ＵＥは前記ｎＳＳから前記搬送波上の信号の送信／受信に使われるセルＩＤを獲得することができる。初期接続に成功したＮＢ−ＬＴＥ  ＵＥはアンカー搬送波で指示するデータ搬送波に移動してデータなどのチャネルを受信する動作を行うことができる。アンカー搬送波で伝達するデータ搬送波についての情報には、データ搬送波の位置、例えばアンカー搬送波の中心周波数とデータ搬送波の中心周波数の間隔、データ搬送波のＰＤＳＣＨレートマッチング情報、データ搬送波でのＣＲＳ情報、ＣＰタイプ（例えば、正規ＣＰ又は拡張ＣＰ）、フレーム構造タイプ（例えば、ＴＤＤ又はＦＤＤ）、ＰＤＳＣＨ開始シンボル番号、ＳＦＮについての情報、ＴＤＤの場合、ＴＤＤ  ＵＬ／ＤＬ設定（表１参照）及び／又は副搬送波間隔などがあり得る。データ搬送波でのＰＤＳＣＨレートマッチング情報には、一番代表的にはＣＲＳ位置についての情報があり得る。例えば、ＣＲＳ位置ではＰＤＳＣＨがレートマッチングされるというのは前記ＣＲＳがあるＲＥにはＰＤＳＣＨ信号がマッピングされないことを意味する。以下では、ＣＲＳがレートマッチングされるというのは、ｅＮＢが前記ＣＲＳがマッピングされる周波数−時間リソース（等）に他の下りリンク信号（例えば、ｎＰＤＣＣＨ及び／又はｎＰＤＳＣＨ）をマッピングしないことを意味し、ＵＥはＣＲＳがマッピングされる周波数−時間リソース（等）では他の下りリンク信号がマッピングされなかったと仮定して該当データを受信又は復号することを意味する。すなわち、信号がマッピングされるとはいうが、前記信号が送信されるときは該当周波数−時間リソースにマッピングされた部分は除いて送信されるパンクチャリングとは違い、レートマッチングされる周波数−時間リソースにはデータ信号が全然マッピングされない。したがって、信号のリソースマッピング過程でパンクチャリングされる周波数−時間リソースは該当信号のリソースとしてカウントはされるがパンクチャリングされる周波数−時間リソースにマッピングされた信号部分は実際には送信されないものに対し、レートマッチングされる周波数−時間リソースは該当信号のリソースとして全然カウントされない。よって、ＣＲＳがあるＲＥにはＰＤＳＣＨ信号がレートマッチングされるので、ｅＮＢは、ＣＲＳ送信に使われるＲＥ（等）はｎＰＤＣＣＨ／ｎＰＤＳＣＨの送信に使われなく、ＵＥは、ＣＲＳ送信に使用されると仮定されるＲＥ（等）はｎＰＤＣＣＨ／ｎＰＤＳＣＨの送信に使われないと仮定することができる。データ搬送波でのＣＲＳアンテナポートの数、ＣＲＳ周波数位置（すなわち、周波数遷移νｓｈｉｆｔ）に相応する情報を伝達しなければならない。周波数遷移νｓｈｉｆｔに相応する情報は実際に０、１、２の一つの値に代表される周波数遷移νｓｈｉｆｔ又はＣＲＳシーケンスの生成に使用されたセルＩＤ情報であり得る。また、データ搬送波で広帯域ＬＴＥシステムで使われる送信モード（ｔｒａｎｓｍｉｓｓｉｏｎ  ｍｏｄｅ、ＴＭ）情報、ＣＳＩ−ＲＳなどの情報も前記��ータ搬送波についての情報としてシグナリングされることができる。データ搬送波でＮＢ−ＬＴＥ  ＵＥがレートマッチングしなければならないＣＳＩ−ＲＳ位置情報も提供されることができる。
【０２０１】
ただ、ＮＢ−ＩｏＴシステム運営の便宜のために、データ搬送波でのＣＰタイプ、フレーム構造、ＴＤＤ  ＵＬ／ＤＬ設定、副搬送波間隔情報などはアンカー搬送波でのそれらと同様に設定されることができる。この場合、ＮＢ−ＬＴＥ  ＵＥはデータ搬送波でのＣＰタイプ、フレーム構造、ＴＤＤ  ＵＬ／ＤＬ設定、副搬送波間隔情報などはアンカー搬送波でのそれらと同一であると仮定することができる。データ搬送波でのＣＰタイプ、フレーム構造、ＴＤＤ  ＵＬ／ＤＬ設定、副搬送波間隔情報などはアンカー搬送波でのそれらと同一であるように定義された場合、このような情報はそれ以上シグナリングされないこともある。
【０２０２】
ＳＦＮもＬＴＥシステムとＮＢ−ＬＴＥシステムは互いに整列（ａｌｉｇｎ）されていると仮定することができる。すなわち、データ搬送波でのＳＦＮとアンカー搬送波でのＳＦＮは同一であると仮定することができる。データ搬送波でのＳＦＮとアンカー搬送波でのＳＦＮが同一でなければ、アンカー搬送波のＳＦＮとデータ搬送波のＳＦＮの差がシグナリングされることができる。
【０２０３】
図１３は本発明による（レガシー）ＣＲＳとインバンドＩｏＴ搬送波の関係を例示した図である。
【０２０４】
前述した本発明の実施例で次の事項を考慮することができる。
【０２０５】
多重ＰＲＢ動作は、ＵＥがアンカー搬送波から追加搬送波、つまり非アンカー搬送波への変更又は非アンカー搬送波からアンカー搬送波への変更を許容する。例えば、多重ＰＲＢで動作するＵＥは、インバンド内アンカー搬送波からガード帯域内の追加搬送波に、ガード帯域内アンカー搬送波からインバンド内の追加搬送波に、ガード帯域内アンカー搬送波からガード帯域内の追加搬送波に、あるいはインバンド内のアンカー搬送波からインバンド内の追加搬送波に、前記ＵＥがモニターする搬送波を変更することができる。ＵＥがインバンドからガード帯域に変更する場合、ガード帯域内に追加ＰＲＢがあると指示することで十分であり得る。搬送波からインバンドの他の搬送波へのＵＥ設定の場合、次のパラメーターのうちインバンド特定的パラメーターをどのように指示するかを明確化する必要がある。ｅＮＢはＵＥにインバンド内ＰＲＢのセルＩＤ及びＣＲＳについての情報を知らせる必要がある。簡略化のために、インバンドＰＲＢのセルＩＤがガード帯域又はインバンド内ＰＲＢのそれと同一であるかについての情報を提供することができる。例えば、アンカーＰＲＢからインバンドＰＲＢに遷移する場合、前記インバンドＰＲＢのセルＩＤと前記アンカーＰＲＢのセルＩＤが同一であれば、ＵＥは周波数情報（例えば、ＰＲＢインデックス、中心周波数からのオフセットなど）及び前記セルＩＤに基づいて周波数遷移νｓｈｉｆｔを導出することができる。一方、同一でなければ、インバンドＰＲＢのセルＩＤとＵＥがデータレートマッチングのために必要なＣＲＳポートの位置がアンカーＰＲＢ（すなわち、アンカー搬送波）を提供することができる。図５、式９及び式１０から分かるように、ＣＲＳポートの位置、言い換えればＣＲＳがマッピングされたＲＥの位置はＣＲＳポートの数及びセルＩＤによって変わるので、ＣＲＳポートの数及びＣＲＳに適用されたセルＩＤについての情報がレートマッチング情報として提供されることができる。また、インバンド内でＰＤＳＣＨを受信するためには、ＵＥはインバンド内の該当ＰＲＢ上の下りリンクデータ（例えば、ＰＤＳＣＨ）の開始位置についての情報と下りリンク制御チャネルのためのＯＦＤＭシンボルの数についての情報を必要とする。例えば、次の情報が提供されることができる。
【０２０６】
−同じ物理セル識別子（ｐｈｙｓｉｃａｌ  ｃｅｌｌ  ｉｄｅｎｔｉｔｙ、ＰＣＩ）（又はインバンド内ＰＲＢのセルＩＤがアンカーＰＲＢのそれと同一であるか否か）（Ｓ１３１０）
【０２０７】
＞同じ（ｓａｍｅ）ＰＣＩフィールドが真であれば（Ｓ１３１０、ＴＲＵＥ）、
【０２０８】
＞＞このフィールドが真であれば、インバンドの場合と同様に、前記アンカー搬送波で得られた（ｏｂｔａｉｎ）セルＩＤとインバンド追加ＰＲＢ内のホストセルＩＤが同一であると仮定される。ここで、ホストセルＩＤとはＮＢ−ＩｏＴセルが動作するＰＲＢがあるＬＴＥセル、つまりＥＵＴＲＡセルを意味し得る。
【０２０９】
＞＞また、このフィールドが真であれば、アンカーＰＲＢ内ＮＢ−ＩｏＴ用参照信号（以下、ＮＢ−ＲＳ又はＮＲＳ）のために使用されたアンテナポート（等）（以下、ＮＲＳポート）の個数と同数のアンテナポート（等）がレガシーＣＲＳ送信のために使われると仮定することができる（Ｓ１３３０）。例えば、ＮＲＳポートが２個であれば、ＵＥは図５でＣＲＳポート０及び１で表示したＲＥ位置にνｓｈｉｆｔを適用した位置にＣＲＳがあると仮定し、該当ＰＲＢ上でデータを受信することができる。
【０２１０】
＞＞また、このフィールドが真であれば、アンカーＰＲＢ内ＮＲＳの情報とホストセルのＣＲＳ情報が同一であるとＵＥが仮定することもできる。ＮＲＳとホストセルのＣＲＳの情報が同一であるという意味は、ＮＲＳとＣＲＳのアンテナポートの数及びＮＲＳとＣＲＳが送信されるＲＥ位置が同一であることを意味し得る。また、ＵＥはＣＲＳを該当インバンドでのＮＲＳと仮定して制御信号及びデータを受信することができる。この場合、ＵＥは、該当ＰＲＢでのデータ受信時、ＣＲＳ  ＲＥ位置をレートマッチングし、制御信号及びデータ受信／復調のために該当ＣＲＳを使うことができる。
【０２１１】
＞＞＞ＣＲＳ  ＰＲＢ情報は、周波数情報が中心からのオフセットによって与えられれば、追加ＰＲＢ周波数情報から黙示的に誘導（ｄｅｒｉｖｅ）されることができる。
【０２１２】
＞同じＰＣＩフィールドが真でなければ（Ｓ１３１０、ＦＡＬＳＥ）、
【０２１３】
＞＞このフィールドが真でなければ、ＵＥが依然としてアンカーＰＲＢから探索（ｓｅａｒｃｈ）されたセルＩＤに基づいて同じνｓｈｉｆｔ値を仮定することができるかを明確化する必要がある。シグナリングオーバーヘッドを減らすために、同じνｓｈｉｆｔ値が仮定され、ＣＲＳアンテナポート（以下、ＣＲＳポート）の数のみが指示されることができる（Ｓ１３５０）。ＵＥは指示されたＣＲＳポートの数だけのＣＲＳポートが該当ＰＲＢ上でＣＲＳ送信に使用されると仮定してデータを受信することができる（Ｓ１３５０）。例えば、指示されたＣＲＳポートが４個の場合、図５でＣＲＳポート０−３が表示されたＲＥ位置にνｓｈｉｆｔを適用した位置にＣＲＳがあると仮定し、該当ＰＲＢ上でデータを受信することができる。ＣＲＳアンテナポートの数がシグナリングされなければ、ＵＥは最大数のＣＲＳポート（例えば、４個のポート）をデータレートマッチングのために仮定することができる。
【０２１４】
−制御フォーマット指示子（ｃｏｎｔｒｏｌ  ｆｏｒｍａｔ  ｉｎｄｉｃａｔｏｒ、ＣＦＩ）（又はＰＤＳＣＨ又はｎＰＤＣＣＨ開始位置指示）。
【０２１５】
＞ＵＥが自らのデータＰＲＢ内で制御チャネル（例えば、ｎＰＤＣＣＨ）及びデータチャネル（例えば、ｎＰＤＳＣＨ）を受信することができるようにするため、ｎＰＤＣＣＨが送信されるシンボル区間及びｎＰＤＳＣＨ送信が始まるシンボル位置についての情報が前記ＵＥにシグナリングされることができる。
【０２１６】
前述したように、データＲＰＢ内のＬＴＥ  ＣＲＳ情報をセルＩＤと関連させてシグナリングする代わりに（ａｌｔｅｒｎａｔｉｖｅｌｙ）、追加ＰＲＢ上でレガシーＣＲＳがそれ以上活用されず、データレートマッチングを行うためにだけＣＲＳアンテナポートの数がＵＥに設定されることもできる。すなわち、ＵＥはＣＲＳなしにＮＲＳのみに基づいてｎＰＤＳＣＨ／ｎＰＤＣＣＨを復号又は復調するとともに、ＣＲＳがあるＲＥ（等）にはｎＰＤＳＣＨ／ｎＰＤＣＣＨがマッピングされなかったと仮定し、前記ｎＰＤＳＣＨ／ｎＰＤＣＣＨを受信、復号又は復調することができる。この時、ＵＥがアンカー搬送波で獲得して既に知っているＮＲＳのνｓｈｉｆｔと追加ＰＲＢ上でのＣＲＳのνｓｈｉｆｔが同一であると仮定することができる。すなわち、ＵＥはＣＲＳなしにＮＲＳのみに基づいてｎＰＤＳＣＨ／ｎＰＤＣＣＨを復号又は復調するとともに、ＣＲＳがあるＲＥ（等）にはｎＰＤＳＣＨ／ｎＰＤＣＣＨがマッピングされなかったと仮定し、前記ｎＰＤＳＣＨ／ｎＰＤＣＣＨを受信、復号又は復調することができる。
【０２１７】
先に提案したように、次のような方法の一つでアンカー搬送波からデータ搬送波へのオフローディング（ｏｆｆｌｏａｄｉｎｇ）を行うことができる。
【０２１８】
−方法１．追加（ａｄｄｉｔｉｏｎａｌ）システム情報による潜在的（ｐｏｔｅｎｔｉａｌ）データ搬送波（等）のリストが提供され、ＵＥが（前記リスト内の）他の搬送波を検索するように許容する方法。
【０２１９】
−方法２．明示的（ｅｘｐｌｉｃｉｔ）オフローディング：セル関連（ａｓｓｏｃｉａｔｉｏｎ）以後に明示的にデータ搬送波へのホッピングを設定する方法。
【０２２０】
−方法３．アンカー搬送波はｎＳＳ及びデータ搬送波（等）を位置させる（ｌｏｃａｔｅ）ために必要な（ｎｅｃｅｓｓａｒｙ）システム情報のみを提供する方法。この場合、ＵＥはセル関連をアンカー搬送波と行うことができなく、アンカー搬送波は単純にデータ搬送波についての情報のみを与える搬送波と仮定することができる。
【０２２１】
方法３によってアンカー搬送波が同期化のみのために使われる場合、同期信号は、ＵＥが同期信号を早く検出することができるようにするために、連続的に送信されることができる。すなわち、データ搬送波の同期信号送信方式とアンカー搬送波の同期信号送信方式が違える。この場合、ＵＥがアンカー搬送波の同期信号送信方式によって同期信号のブラインド検出に成功することができなければ、前記ＵＥはデータ搬送波の同期信号送信方式によってデータ搬送波での同期信号に対するブラインド検出を行うことができる。
【０２２２】
もしくは、方法３が使われると仮定すれば、ＵＥは一般的にｎＳＳがあり得るサブフレームではＣＲＳ又はレガシーＰＤＣＣＨ領域がないと仮定してｎＳＳを検出することができる。インバンドでＩｏＴを支援しようとするシステムの場合、ガード帯域を介しての同期信号送信が強制（ｍａｎｄａｔｅ）されることができる。ガード帯域で同期信号がいつも送信されるという前提の下では、同期信号送信のための副搬送波間隔とインベンドでの副搬送波間隔が互いに違える。言い換えれば、同期信号（ｎＳＳ）が送信される副搬送波間隔がインバンドの副搬送波間隔と違える。ガード帯域で同期信号がいつも送信されるという前提の下では、同期信号送信のための副搬送波間隔とインバンドでの副搬送波間隔が違える。言い換えれば、同期信号（ｎＳＳ）が送信される副搬送波間隔がインバンドの副搬送波間隔と異なる。
【０２２３】
また、本発明の実施例（等）によって、インバンドを支援するためにガード帯域内でｎＳＳが送信される場合、インバンドにはｎＳＳがなくてアンカー搬送波でのみｎＳＳが送信されることもできる。すなわち、ＵＥは、ｎＳＳがアンカー搬送波にのみあり、インバンド内データ搬送波には何らのｎＳＳもないと仮定することができる。この場合、ＵＥはガード帯域でのｎＳＳの送信電力はインバンドでのデータ又はＣＲＳの送信電力と同一であると仮定することができ、ガード帯域とインバンドのＳＦＮ／時間／周波数などが同一であると仮定することができる。
【０２２４】
ガード帯域のアンカー搬送波上でのみｎＳＳが送信される場合、アンカー搬送波上の全てのＯＦＤＭシンボルが全てｎＳＳ送信に使われることができ、多くのサブフレームにわたってｎＳＳが送信されることもできる。
【０２２５】
ＮＢ−ＬＴＥ  ＵＥがデータ搬送波に移動してデータなどのチャネル受信を行うことができるようにするために、ｅＮＢはデータチャネル及び／又は制御チャネル受信のための参照信号についての情報をシグナリングしなければならない。以下では、ＮＢ−ＩｏＴ用データ搬送波で設定されたデータチャネルをｎＰＤＳＣＨと、制御チャネルをｎＰＤＣＣＨと称する。ｎＰＤＳＣＨ及びｎＰＤＣＣＨのために使われるＲＳとしては、大別してＣＲＳとＤＭ−ＲＳ（すなわち、ＵＥ−ＲＳ）があり得る。ＣＲＳが使われる場合、ｅＮＢはデータ搬送波上のＣＲＳに使用されたセルＩＤ情報を知らせなければならない。これはアンカー搬送波上のｎＳＳシーケンスに使用されたセルＩＤと同一のものであり得る。データ搬送波上のＣＲＳに使用されたセルＩＤとアンカー搬送波上のｎＳＳに使用されたセルＩＤが同一であれば、ＮＢ−ＬＴＥ  ＵＥは別個のセルＩＤシグナリングがない場合、ｎＳＳのセルＩＤを用いてＣＲＳをｎＰＤＳＣＨ又はｎＰＤＣＣＨの受信に活用することができる。ＤＭ−ＲＳを使われる場合であれば、ｅＮＢはＤＭ−ＲＳシーケンスについての情報を知らせなければならない。
【０２２６】
データ搬送波に移動したＮＢ−ＬＴＥ  ＵＥは、該当帯域から広帯域ＰＤＣＣＨが送信されるＯＦＤＭシンボル以後のＯＦＤＭシンボルから自らのｎＰＤＣＣＨ／ｎＰＤＳＣＨなどのチャネルを受信することができる。アンカー搬送波で知らせたＰＤＳＣＨ開始シンボルがＯＦＤＭシンボルｎであれば、ＮＢ−ＬＴＥ  ＵＥはＦＤＭシンボルｎから前記ＮＢ−ＬＴＥ  ＵＥのためのｎＰＤＣＣＨ／ｎＰＤＳＣＨなどのチャネルを受信することができる。
【０２２７】
一定時間の間にデータ搬送波をモニターしながら、前記データ搬送波上でｎＰＤＣＣＨ／ｎＰＤＳＣＨなどのチャネルを受信したＮＢ−ＬＴＥ  ＵＥは特定時点にアンカー搬送波に戻ってアンカー搬送波をモニターする。前記ＮＢ−ＬＴＥ  ＵＥは、前もって決定された周期でアンカー搬送波に移動し（Ｔ９０４）、前記アンカー搬送波をモニターすることができる（Ｓ９０１）。ｎＳＳ／ｎＰＢＣＨが周期的に送信されれば、該当チャネルが送信される区間ごとに該当チャネルの受信のためにアンカー搬送波に移動することができる。また、データ搬送波でデータなどのチャネルを受信しているＮＢ−ＬＴＥ  ＵＥにｅＮＢがアンカー搬送波に戻って特定チャネルの受信を指示する場合、アンカー搬送波に戻らなければならない。また、不連続受信（ｄｉｓｃｏｎｔｉｎｕｏｕｓ  ｒｅｃｅｐｔｉｏｎ、ＤＲＸ）状態にあってから覚めたＮＢ−ＬＴＥ  ＵＥはいつもアンカー搬送波に戻り（Ｔ９０４）、前記アンカー搬送波を介してｎＳＳ／ｎＰＢＣＨなどを受信した後（Ｓ９０１）、データ搬送波に移動することができる（Ｔ９０２）。
【０２２８】
以下では、本発明によってアンカー搬送波とデータ搬送波の２種の搬送波を用いたＮＢ−ＬＴＥシステムを運営する場合、システム情報及び同期信号送信方式についてより詳細に記述する。
【０２２９】
概略的にｎＳＳとｎＰＢＣＨはアンカー搬送波でのみ送信されることを考慮して本発明を前述した。ｎＳＳとｎＰＢＣＨがアンカー搬送波にのみ存在する方式とは違う実施例を考慮することができる。アンカー搬送波ではＭＩＢのみが送信され、一部のシステム更新（ｕｐｄａｔｅ）に対してはデータ搬送波の別個のチャネルを介して送信されることができる。また、追加的なｎＳＳがデータ搬送波で送信されることができる。この場合、データ搬送波で送信されるｎＳＳは送信頻度が非常に低く、ただ同期の再獲得（ｒｅａｃｑｕｉｓｉｔｉｏｎ）の目的のみで使われる同期信号であり得る。データ搬送波上で送信されるｎＳＳはアンカー搬送波で送信されるｎＳＳと同一であり得る。しかし、リソース活用効率を高めるために、データ搬送波で送信されるｎＳＳがアンカー搬送波で送信されるｎＳＳとは違うように設計されることもできる。例えば、アンカー搬送波で送信される同期信号はｎＰＳＳ及びｎＳＳＳの２種の信号に区分されて送信され、データ搬送波で送信される同期信号はｎＰＳＳではなければｎＳＳＳのみ送信されることができる。もしくは、再獲得のためにのみ使われる別個の信号がデータ搬送波上で送信されることもできる。
【０２３０】
データ搬送波でも同期信号とシステム情報が送信されれば、初期セル探索はアンカー搬送波でのみ行われ、セル探索を終えて初期接続に成功したＮＢ−ＬＴＥ  ＵＥはそれ以上アンカー搬送波に移動する必要がない。すなわち、初期セル探索のための（相対的に頻繁に送信される）同期信号及びｎＰＢＣＨを搬送する搬送波が設定され、初期セル探索を除いたシステム情報アップデート及び再獲得などの目的のための同期信号、そしてその他のデータなどは別個の搬送波上で送信されることができる。
【０２３１】
アンカー搬送波とデータ搬送波は各搬送波で送信／受信される信号／チャネルの種類によって違うように運用されることができる。以下では、前述したアンカー搬送波上ではｎＳＳとｎＰＢＣＨが送信され、データ搬送波ではｎＳＳ／ｎＰＢＣＨ以外の信号／チャネルが送信／受信される基本的な方式を変形して、既存のＬＴＥシステム帯域に適用する方式を説明する。本発明によるＮＢ−ＬＴＥシステムで使える周波数帯域は既存のＬＴＥシステムが使っているインバンド、ＬＴＥシステムのガード帯域、そしてＬＴＥシステム以外の別個の周波数帯域でＬＴＥシステムと関係なく運用されることができる帯域（例えば、ＧＳＭ帯域）の３種に分けられる。初期セル接続のために１５ｋＨｚの副搬送波間隔と１００ｋＨｚラスターを満たす１８０ｋＨｚ帯域位置を捜すことが特定ＬＴＥシステム帯域のインバンドではできないこともあり得ることを前述した。もちろん、ＬＴＥシステム帯域によっては該当ＬＴＥシステム帯域のインバンドでＮＢ−ＩｏＴセルの位置を簡単に捜すこともできる。システム帯域と関係なく一貫して初期セル探索が行われるように、本発明ではアンカー搬送波とデータ搬送波の運営を提案した。しかし、データ搬送波のリストが多い場合、アンカー搬送波とデータ搬送波を運営することが難しいこともある。例えば、アンカー搬送波で初期接続を行った後、ＮＢ−ＬＴＥ  ＵＥが使うことができるデータ搬送波（等）がｎＰＢＣＨを介して指示される場合、前記ｎＰＢＣＨは該当アンカー搬送波のマスターシステム情報（例えば、ＭＩＢ）と前記データ搬送波（等）の（マスター）システム情報を搬送しなければならないことがあり得る。この場合、前記ｎＰＢＣＨを介してアンカー搬送波についてのシステム情報とデータ搬送波（等）についてのシステム情報を全て伝達しにくいことがある。また、アンカー搬送波で使用する副搬送波間隔はデータ搬送波での副搬送波間隔と違うことがある。システムデザインの便宜性及び一貫性のために、アンカー搬送波はガード帯域又はＬＴＥシステム帯域以外の帯域に単独型（ｓｔａｎｄ−ａｌｏｎｅ）で動作することができる。したがって、アンカー搬送波では初期接続のみを行うようにするｎＰＳＳ／ｎＳＳＳ及びマスターシステム情報などの情報のみ送信されるようにし、データ搬送波についての情報としてはデータ搬送波の周波数位置のみを知らせるようにすることにより、アンカー搬送波を介して提供されるシステム情報の量を最小化することができる。このような情報を受信し、初期接続に成功したＮＢ−ＬＴＥ  ＵＥはシグナリングされたデータ搬送波に移動して前記データ搬送波上でデータを受信することができる。データ搬送波の数が多数の場合、アンカー搬送波では多数のデータ搬送波のうち特定数のデータ搬送波（例えば、特定数のＤＬ搬送波及び／又は特定数のＵＬ搬送波）のみを知らせることができる。該当データ搬送波で実際の多数のデータ搬送波についてのシステム情報などが提供される。例えば、ＮＢ−ＬＴＥシステムのために多数のデータ搬送波が設定されることができ、これらのデータ搬送波のうち一部のデータ搬送波には再獲得（ｒｅａｃｑｕｉｓｉｔｉｏｎ）のための同期信号、データ搬送波に対するシステム情報な��の情報が送信されることができ、残りのデータ搬送波には制御／データチャネルなどが送信されることができる。言い替えれば、初期セル接続はアンカー搬送波で行われ、データ搬送波（等）はデータ搬送波に対するシステム情報及び低密度（ｄｅｎｓｉｔｙ）で送信される同期信号が送信されるＩｏＴ搬送波、そしてデータチャネル及び制御チャネルなどが送信されるデータ搬送波に細分されることができる。ＩｏＴ搬送波はある程度同期化の機能をするがＬＴＥシステムのインバンドに位置するので、ＬＴＥシステムに対する干渉を最小化するように可用リソース要素（ｒｅｓｏｕｒｃｅ  ｅｌｅｍｅｎｔ、ＲＥ）及び可用シンボル位置などに関する制約があり得る。これに対し、アンカー搬送波はガード帯域及び他の帯域に位置するようにすることができるので、周波数及び時間リソースの活用においてもっと自由度が高くなる。ＩｏＴ搬送波とデータ搬送波間のシステム情報及びレートマッチング情報などは互いに同一であり得る。ＩｏＴ搬送波とデータ搬送波の違いは該当搬送波を介してのシステム情報の送信可否及び同期信号の送信可否によって違う。アンカー搬送波で初期接続以後のデータサービスのために移動しなければならないデータ搬送波を知らせるとき、ＩｏＴ搬送波についての情報及びＩｏＴ搬送波についての基本的なシステム情報のみを伝達し、ＩｏＴ搬送波に移動したＮＢ−ＬＴＥ  ＵＥはデータ搬送波に対するシステム情報及びレートマッチングパターンなどの情報を前記ＩｏＴ搬送波上で特定チャネルを介して受信することができる。ＤＲＸ状態で覚めたＮＢ−ＬＴＥ  ＵＥはアンカー搬送波に行かずにＩｏＴ搬送波に移動して再獲得（ｒｅａｃｑｕｉｓｉｔｉｏｎ）を行い、データ搬送波についてのシステム情報を受信してから特定データ搬送波に移動することができる。
【０２３２】
図１４は、本発明を実行する送信装置１０及び受信装置２０の構成要素を示すブロック図である。
【０２３３】
送信装置１０及び受信装置２０は、情報及び／又はデータ、信号、メッセージなどを搬送する無線信号を送信又は受信できる無線周波数（ｒａｄｉｏ  ｆｒｅｑｕｅｎｃｙ、ＲＦ）ユニット１３，２３と、無線通信システムにおける通信と関連した各種情報を記憶するメモリ１２，２２と、上記ＲＦユニット１３，２３及びメモリ１２，２２などの構成要素と動作的に連結され、上記構成要素を制御して該当装置が前述した本発明の実施例の少なくとも１つを行うようにメモリ１２，２２及び／又はＲＦユニット１３，２３を制御するように構成された（ｃｏｎｆｉｇｕｒｅｄ）プロセッサ１１，２１とをそれぞれ備える。
【０２３４】
メモリ１２，２２は、プロセッサ１１，２１の処理及び制御のためのプログラムを格納することができ、入／出力される情報を臨時記憶することができる。メモリ１２，２２をバッファーとして活用することができる。
【０２３５】
プロセッサ１１，２１は、通常、送信装置又は受信装置内の各種モジュールの全般的な動作を制御する。特に、プロセッサ１１，２１は、本発明を実行するための各種の制御機能を実行することができる。プロセッサ１１，２１は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。プロセッサ１１，２１は、ハードウェア（ｈａｒｄｗａｒｅ）、ファームウェア（ｆｉｒｍｗａｒｅ）、ソフトウェア、又はそれらの結合によって具現することができる。ハードウェアを用いて本発明を具現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などをプロセッサ４００ａ，４００ｂに具備することができる。一方、ファームウェアやソフトウェアを用いて本発明を具現する場合には、本発明の機能又は動作を実行するモジュール、手順又は関数などを含むようにファームウェアやソフトウェアを構成することができ、本発明を実行するように構成されたファームウェア又はソフトウェアは、プロセッサ１１，２１内に設けられてもよく、メモリ１２，２２に記憶されてプロセッサ１１，２１によって駆動されてもよい。
【０２３６】
送信装置１０のプロセッサ１１は、プロセッサ１１又はプロセッサ１１と接続されたスケジューラからスケジュールされて外部に送信される信号及び／又はデータに対して所定のコーディング（ｃｏｄｉｎｇ）及び変調（ｍｏｄｕｌａｔｉｏｎ）を行った後にＲＦユニット１３に送信する。例えば、プロセッサ１１は、送信しようとするデータ列を逆多重化及びチャネルコーディング、スクランブリング、変調過程などを経てＮｌａｙｅｒ個のレイヤに変換する。コーディングされたデータ列はコードワードとも呼ばれ、ＭＡＣ層の提供するデータブロックである送信ブロックと等価である。１つの送信ブロック（ｔｒａｎｓｐｏｒｔ  ｂｌｏｃｋ、ＴＢ）は１つのコードワードにコーディングされ、各コードワードは、１つ以上のレイヤの形態で受信装置に送信される。周波数アップコンバートのためにＲＦユニット１３はオシレーター（ｏｓｃｉｌｌａｔｏｒ）を備えることができる。ＲＦユニット１３は、Ｎｔ個（Ｎｔは１以上の正の整数）の送信アンテナを有することができる。
【０２３７】
受信装置２０の信号処理過程は、送信装置１０の信号処理過程の逆に構成される。プロセッサ２１の制御下に、受信装置２０のＲＦユニット２３は送信装置１０によって送信された無線信号を受信する。ＲＦユニット２３はＮｒ個の受信アンテナを有することができ、ＲＦユニット２３は、受信アンテナで受信した信号のそれぞれを周波数ダウンコンバート（ｆｒｅｑｕｅｎｃｙ  ｄｏｗｎ−ｃｏｎｖｅｒｔ）して基底帯域信号に復元する。ＲＦユニット２３は、周波数ダウンコンバートのためにオシレーターを備えることができる。プロセッサ２１は、受信アンテナで受信した無線信号に対する復号（ｄｅｃｏｄｉｎｇ）及び復調（ｄｅｍｏｄｕｌａｔｉｏｎ）を行い、送信装置１０が本来送信しようとしたデータを復元することができる。
【０２３８】
ＲＦユニット１３，２３は、１つ以上のアンテナを具備する。アンテナは、プロセッサ１１，２１の制御下に、本発明の一実施例によって、ＲＦユニット１３，２３によって処理された信号を外部に送信したり、外部から無線信号を受信してＲＦユニット１３，２３に伝達する機能を果たす。アンテナは、アンテナポートとも呼ばれる。各アンテナは、１つの物理アンテナに該当してもよく、１つよりも多い物理アンテナ要素（ｅｌｅｍｅｎｔ）の組合せによって構成されてもよい。各アンテナから送信された信号は、受信装置２０でそれ以上分解することができない。該当アンテナに対応して送信された参照信号（ｒｅｆｅｒｅｎｃｅ  ｓｉｇｎａｌ、ＲＳ）は、受信装置２０の観点で見たアンテナを定義し、チャネルが１つの物理アンテナからの単一（ｓｉｎｇｌｅ）無線チャネルか或いは上記アンテナを含む複数の物理アンテナ要素（ｅｌｅｍｅｎｔ）からの合成（ｃｏｍｐｏｓｉｔｅ）チャネルかに関係なく、上記受信装置２０にとって上記アンテナに対するチャネル推定を可能にする。すなわち、アンテナは、上記アンテナ上のシンボルを伝達するチャネルが、上記同一アンテナ上の他のシンボルが伝達される上記チャネルから導出されうるように定義される。複数のアンテナを用いてデータを送受信する多重入出力（Ｍｕｌｔｉ−Ｉｎｐｕｔ  Ｍｕｌｔｉ−Ｏｕｔｐｕｔ、ＭＩＭＯ）機能を支援するＲＦユニットの場合は、２個以上のアンテナと接続することができる。
【０２３９】
本発明の実施例において、ＵＥは、上りリンクでは送信装置１０として動作し、下りリンクでは受信装置２０として動作する。本発明の実施例において、ｅＮＢは、上りリンクでは受信装置２０として動作し、下りリンクでは送信装置１０として動作する。以下、ＵＥに具備されたプロセッサ、ＲＦユニット及びメモリを、ＵＥプロセッサ、ＵＥ  ＲＦユニット及びＵＥメモリとそれぞれ称し、ｅＮＢに具備されたプロセッサ、ＲＦユニット及びメモリを、ｅＮＢプロセッサ、ｅＮＢ  ＲＦユニット及びｅＮＢメモリとそれぞれ称する。
【０２４０】
本発明のｅＮＢプロセッサは、本発明の提案のいずれか一つによってｎＳＳ／ｎＰＢＣＨをアンカー搬送波上で送信するようにｅＮＢ  ＲＦユニットを制御することができる。前記ｅＮＢプロセッサは前記アンカー搬送波上で特定ＵＥのためのデータ／制御チャネルの送信／受信に使われるデータ搬送波（等）についての情報（以下、データ搬送波情報）を送信するように前記ｅＮＢ  ＲＦユニットを制御することができる。前記ｅＮＢプロセッサは、前記データ搬送波（等）のいずれか一つから前記ＵＥへの下りリンク制御／データチャネル（例えば、ｎＰＤＣＣＨ及び／又はｎＰＤＳＣＨ）を送信するように前記ｅＮＢ  ＲＦユニットを制御することができる。前記ｅＮＢプロセッサは、前記データ搬送波（等）のいずれか一つで前記ＵＥからの上りリンク制御／データチャネル（例えば、ｎＰＵＣＣＨ及び／又はｎＰＵＳＣＨ）を受信するように前記ｅＮＢ  ＲＦユニットを制御することができる。
【０２４１】
本発明のＵＥプロセッサは、本発明の提案のいずれか一つによってそれぞれ１個のＲＢのチャネル帯域幅を有するアンカー搬送波上でｎＳＳ／ｎＰＢＣＨの受信を試みるようにＵＥ  ＲＦユニットの制御又はｎＳＳ／ｎＰＢＣＨの復号を試みることができる。ｎＳＳ／ｎＰＢＣＨの受信又は復号に成功したＵＥプロセッサは、該当アンカー搬送波上で自らの制御／データチャネルの送信／受信に使われるデータ搬送波についてのデータ搬送波情報を受信するように前記ＵＥ  ＲＦユニットを制御することができる。前記ＵＥプロセッサは、前記データ搬送波情報に基づいてデータ搬送波（等）のいずれか一つで下りリンク制御／データチャネル（例えば、ｎＰＤＣＣＨ及び／又はｎＰＤＳＣＨ）を受信するように前記ＵＥ  ＲＦユニットを制御することができる。前記ＵＥプロセッサは、前記データ搬送波情報に基づいてデータ搬送波（等）のいずれか一つで上りリンク制御／データチャネル（例えば、ｎＰＵＣＣＨ及び／又はｎＰＵＳＣＨ）を送信するように前記ＵＥ  ＲＦユニットを制御することができる。
【０２４２】
本発明のｅＮＢプロセッサは、本発明の提案のいずれか一つによってＮＢ−ＩｏＴ搬送波のセルＩＤ（以下、第１セルＩＤ）についての情報を送信するようにｅＮＢ  ＲＦユニットを制御することができる。前記ｅＮＢプロセッサは、前記ＮＢ−ＩｏＴ搬送波上で下りリンク信号（例えば、ｎＰＤＣＣＨ及び／又はｎＰＤＳＣＨ）を送信するように前記ｅＮＢ  ＲＦユニットを制御することができる。前記ＮＢ−ＩｏＴ搬送波は、例えばＬＴＥシステムのチャネル帯域内の１個のＰＲＢ上で動作する搬送波であり得る。この場合、ＬＴＥセル上で送信されるＣＲＳの処理が問題となることがある。前記ＮＢ−ＩｏＴ搬送波がインバンドＰＲＢ上で動作する場合、前記ｅＮＢプロセッサは、前記ＮＢ−ＩｏＴ搬送波上の（レガシー）ＣＲＳに使用されたセルＩＤ（以下、第２セルＩＤ）が前記第１セルＩＤと同一であるかそれとも違うかを示すセルＩＤ情報を送信するように前記ｅＮＢ  ＲＦユニットを制御することができる。
【０２４３】
前記第２セルＩＤと前記第１セルＩＤが同一であれば、前記ｅＮＢプロセッサはＮＲＳの送信に使用されたアンテナポート（以下、ＮＲＳポート）と同一数のアンテナポートを介してＣＲＳを前記ＮＢ−ＩｏＴ搬送波上で送信するように前記ｅＮＢ  ＲＦユニットを制御することができる。
【０２４４】
前記第２セルＩＤと前記第１セルＩＤが違えば、前記ｅＮＢプロセッサはＣＲＳの送信に使われるアンテナポート（以下、ＣＲＳポート）の数を示すＣＲＳポート数情報を送信するように前記ｅＮＢ  ＲＦユニットを制御することができる。ＣＲＳポートの数とＮＲＳポートの数は同一であっても異なってもよい。しかし、前記第２セルＩＤと前記第１セルＩＤが異なれば、ＣＲＳの送信に使われるセルＩＤとＮＲＳの送信に使われるセルＩＤが異なることを意味するので、ＣＲＳポートの数がＮＲＳポートの数と同一であると言っても、レートマッチングのためのＣＲＳリソース位置はセルＩＤによって変わることがある。よって、前記第２セルＩＤと前記第１セルＩＤが違えば、本発明によるｅＮＢプロセッサはＣＲＳポートの数を示す情報をＵＥに送信するようにｅＮＢ  ＲＦユニットを制御することができる。前記ｅＮＢプロセッサは、前記ＣＲＳポート数情報による数だけのＣＲＳポートを介してＣＲＳを前記ＮＢ−ＩｏＴ搬送波上で送信するように前記ｅＮＢ  ＲＦユニットを制御することができる。
【０２４５】
前記ＣＲＳを前記ＮＢ−ＩｏＴ搬送波上で送信する場合、前記ｅＮＢプロセッサは前記第２セルＩＤに基づく周波数遷移νｓｈｉｆｔが適用された周波数位置（式９及び式１０参照）で前記ＣＲＳを送信するように前記ｅＮＢ  ＲＦユニットを制御することができる。前記ｅＮＢプロセッサは前記ＮＲＳを前記第２セルＩＤに基づいて生成し、前記ｅＮＢ  ＲＦユニットが前記ＮＢ−ＩｏＴ搬送波上で送信するように制御することができる。
【０２４６】
前記ｅＮＢプロセッサは、前記ＮＢ−ＩｏＴ搬送波（以下、データ搬送波）についての搬送波情報を前記ＮＢ−ＩｏＴ搬送波とは違うＮＢ−ＩｏＴ搬送波（以下、アンカー搬送波）上で送信するように前記ｅＮＢ  ＲＦユニットを制御することができる。前記搬送波情報は前記データ搬送波のセルＩＤを示す情報を含むことができる。例えば、前記セルＩＤは前記アンカー搬送波上で送信されるｎＳＳを介して（黙示的に）送信されることができる。言い換えれば、前記アンカー搬送波上で送信されるセルＩＤが前記データ搬送波に適用されることができる。前記データ搬送波はｎＳＳ／ｎＰＢＣＨがない搬送波であり、前記アンカー搬送波はｎＳＳ／ｎＰＢＣＨがある搬送波であり得る。前記アンカー搬送波はＬＴＥシステムで使われるチャネル帯域のガード帯域内ＰＲＢ上で動作する搬送波であり得る。
【０２４７】
本発明のＵＥプロセッサは、本発明の提案のいずれか一つによってＮＢ−ＩｏＴ搬送波のセルＩＤ（以下、第１セルＩＤ）についての情報を受信するようにＵＥ  ＲＦユニットを制御することができる。前記ＵＥプロセッサは前記ＮＢ−ＩｏＴ搬送波上で下りリンク信号（例えば、ｎＰＤＣＣＨ及び／又はｎＰＤＳＣＨ）を受信するように前記ｅＮＢ  ＲＦユニットを制御することができる。前記ＮＢ−ＩｏＴ搬送波は、例えばＬＴＥシステムのチャネル帯域内の１個のＰＲＢ上で動作する搬送波であり得る。この場合、ＬＴＥセル上で送信されるＣＲＳの処理が問題となることがある。前記ＮＢ−ＩｏＴ搬送波がインバンドＰＲＢ上で動作する場合、前記ＵＥ  ＲＦユニットは前記ＮＢ−ＩｏＴ搬送波上の（レガシー）ＣＲＳに使用されたセルＩＤ（以下、第２セルＩＤ）が前記第１セルＩＤと同一であるかそれとも違うかを示すセルＩＤ情報を受信することができる。
【０２４８】
前記第２セルＩＤと前記第１セルＩＤが同一であれば、前記ＵＥプロセッサはＮＲＳの送信に使用されたアンテナポート（以下、ＮＲＳポート）と同一数のアンテナポートを介してＣＲＳが前記ＮＢ−ＩｏＴ搬送波上で送信されると仮定し、前記ＮＢ−ＩｏＴ上で下りリンク信号を受信するように前記ＵＥ  ＲＦユニットを制御することができる。例えば、ＮＲＳポートの数が２個の場合、前記ＵＥプロセッサはＣＲＳポート０及び２からＣＲＳが送信されると仮定し、該当ＣＲＳリソース位置をレートマッチングすることができる。言い換えれば、ＮＲＳポートの数が２個の場合、前記ＵＥプロセッサはＣＲＳポート０及び２からＣＲＳが送信されると仮定し、該当ＣＲＳリソース位置にマッピングされた該当下りリンク信号（例えば、ｎＰＤＣＣＨ及び／又はｎＰＤＳＣＨ）がないと仮定して前記下りリンク信号を受信又は復号することができる。
【０２４９】
前記第２セルＩＤと前記第１セルＩＤが違えば、前記ＵＥ  ＲＦユニットはＣＲＳの送信に使われるアンテナポート（以下、ＣＲＳポート）の数を示すＣＲＳポート数情報を受信することができる。前記ＵＥプロセッサは前記ＣＲＳポート数情報による数だけのＣＲＳポートからＣＲＳが送信されると仮定し、前記ＮＢ−ＩｏＴ搬送波上で下りリンク信号（例えば、ｎＰＤＣＣＨ及び／又はｎＰＤＳＣＨ）を受信するように前記ＵＥ  ＲＦユニットを制御することができる。
【０２５０】
前記ＣＲＳを前記ＮＢ−ＩｏＴ搬送波上で受信する場合、前記ＵＥプロセッサは前記第２セルＩＤに基づく周波数遷移νｓｈｉｆｔが適用された周波数位置（式９及び式１０参照）で前記ＣＲＳが送信されると仮定し、前記ＮＢ−ＩｏＴ搬送波上で前記下りリンク信号（例えば、ｎＰＤＣＣＨ及び／又はｎＰＤＳＣＨ）を受信するように前記ＵＥ  ＲＦユニットを制御することができる。前記ＵＥプロセッサは前記第２セルＩＤに基づいて前記ＮＲＳを受信するように前記ＵＥ  ＲＦユニットを制御することができる。
【０２５１】
前記ＵＥプロセッサは、前記ＮＢ−ＩｏＴ搬送波（以下、データ搬送波）についての搬送波情報を前記ＮＢ−ＩｏＴ搬送波とは違うＮＢ−ＩｏＴ搬送波（以下、アンカー搬送波）上で獲得することができる。前記搬送波情報は前記データ搬送波のセルＩＤを示す情報を含むことができる。例えば、前記セルＩＤは前記アンカー搬送波上で受信されるｎＳＳを介して獲得されることができる。前記ＵＥプロセッサは、前記アンカー搬送波上で獲得されたセルＩＤを前記データ搬送波に適用することができる。前記データ搬送波はｎＳＳ／ｎＰＢＣＨがない搬送波であり、前記アンカー搬送波はｎＳＳ／ｎＰＢＣＨがある搬送波であり得る。前記アンカー搬送波はＬＴＥシステムで使われるチャネル帯域のガード帯域内の１個のＰＲＢ上で動作する搬送波であり得る。
【０２５２】
上述したように開示された本発明の好適な実施例に関する詳細な説明は、当業者が本発明を具現して実施できるように提供された。上記では本発明の好適な実施例を参照して説明したが、当該技術の分野における熟練した当業者にとっては、添付の特許請求の範囲に記載された本発明を様々に修正及び変更させることができるということは明らかである。したがって、本発明は、ここに開示された実施の形態に制限しようとするものではなく、ここに開示された原理及び新規な特徴と一致する最も広い範囲を与えようとするものである。
【産業上の利用可能性】
【０２５３】
本発明の実施例は、無線通信システムにおいて、基地局又はユーザ機器、その他の装備に用いることができる。
【図１】
2018536335.tif 000025
【図２】
2018536335.tif 000026
【図３】
2018536335.tif 000027
【図４】
2018536335.tif 000028
【図５】
2018536335.tif 000029
【図６】
2018536335.tif 000030
【図７】
2018536335.tif 000031
【図８】
2018536335.tif 000032
【図９】
2018536335.tif 000033
【図１０】
2018536335.tif 000034
【図１１】
2018536335.tif 000035
【図１２】
2018536335.tif 000036
【図１３】
2018536335.tif 000037
【図１４】
2018536335.tif 000038
【手続補正書】
【提出日】平成30年4月20日(2018.4.20)
【手続補正１】
【補正対象書類名】明細書
【補正対象項目名】０１９０
【補正方法】変更
【補正の内容】
【０１９０】
−ガード帯域内アンカー搬送波＋他のＰＡ−インバンド内データ搬送波：アンカー搬送波とデータ搬送波に対して相異なるＰＡが使われる場合、アンカー搬送波とデータ搬送波でセルＩＤ、ＳＦＮなどが異なり得る。アンカー搬送波とデータ搬送波に対して違うＰＡが使われる場合、データ搬送波のセルＩＤ、ＳＦＮなどがアンカー搬送波で送信されることができる。インバンドデータ搬送波はＬＴＥのセルＩＤ及び／又はＳＦＮを有することができ、ガード帯域内アンカー搬送波はＬＴＥのセルＩＤ及び／又はＳＦＮとは違うセルＩＤ及び／又はＳＦＮを有することができる。インバンドとガード帯域の周波数間隔が広ければ、時間／周波数トラッキング値が同一であると仮定することができる。インバンドとガード帯域の周波数間隔が広くなければ、データ搬送波とアンカー搬送波のトラッキング値を異にすることが好ましい。この場合、データ搬送波に対する時間／周波数トラッキングが新しく行われなければならないことがあり得るので、データ搬送波のｎＳＳが送信されるフレーム／サブフレームインデックスに対するオフセット値がアンカー搬送波を介して送信されることができる。アンカー搬送波とデータ搬送波間の送信パワーの差又はデータ搬送波に対する送信電力の値についての情報もアンカー搬送波を介して送信されることができる。
【手続補正２】
【補正対象書類名】明細書
【補正対象項目名】０２２６
【補正方法】変更
【補正の内容】
【０２２６】
データ搬送波に移動したＮＢ−ＬＴＥ  ＵＥは、該当帯域から広帯域ＰＤＣＣＨが送信されるＯＦＤＭシンボル以後のＯＦＤＭシンボルから自らのｎＰＤＣＣＨ／ｎＰＤＳＣＨなどのチャネルを受信することができる。アンカー搬送波で知らせたＰＤＳＣＨ開始シンボルがＯＦＤＭシンボルｎであれば、ＮＢ−ＬＴＥ  ＵＥはＯＦＤＭシンボルｎから前記ＮＢ−ＬＴＥ  ＵＥのためのｎＰＤＣＣＨ／ｎＰＤＳＣＨなどのチャネルを受信することができる。
【国際調査報告】
2018536335.tif 000039
2018536335.tif 000040
2018536335.tif 000041
2018536335.tif 000042